(57)【要約】【課題】遊技の興趣を向上させることが可能な遊技機を提供する。【解決手段】期間表示が開始されてから当該期間表示が特定態様となるまでの期間において、期間表示を更新した後、当該期間表示の更新を停止する所定態様を経由せずに特定態様とする第１パターンと、期間表示を更新した後、当該期間表示の更新を停止する所定態様を経由した後に特定態様とする第２パターンと、を実行可能であり、第１パターンと第２パターンとで、期間表示の更新が開始される前に共通の更新前表示を表示可能であり、所定態様として、期間表示に対して作用する作用演出を実行する。【選択図】図４８
2020054883.tif 000002
【特許請求の範囲】
【請求項１】
遊技者にとって有利な有利状態に制御可能な遊技機であって、
期間表示を更新することによって期間の経過状況を示す期間表示手段と、
前記期間表示手段により更新された前記期間表示が特定態様となったときに、複数種類の演出のうちのいずれかの演出を実行可能な演出実行手段と、を備え、
前記期間表示手段は、
前記期間表示が開始されてから当該期間表示が前記特定態様となるまでの期間において、前記期間表示を更新した後、当該期間表示の更新を停止する所定態様を経由せずに前記特定態様とする第１パターンと、前記期間表示を更新した後、当該期間表示の更新を停止する前記所定態様を経由した後に前記特定態様とする第２パターンと、を実行可能であり、
前記第１パターンと前記第２パターンとで、前記期間表示の更新が開始される前に共通の更新前表示を表示可能であり、
前記演出実行手段は、前記所定態様として、前記期間表示に対して作用する作用演出を実行する、
ことを特徴とする、遊技機。
【発明の詳細な説明】
【技術分野】
【０００１】
本発明は、パチンコ遊技機等の遊技機に関し、特に、可変表示を行ない、遊技者にとって有利な有利状態に制御可能な遊技機に関する。
【背景技術】
【０００２】
従来、複数種類の所定演出に応じた所定画像を事前にストックする遊技機で、複数ストックした所定画像のうちのいずれかに決定する決定演出を実行するものがあった（たとえば、特許文献１参照）。さらに、タイマ表示のような期間表示を行ない、当該期間表示が特定態様（０秒）となったときに、所定の演出を実行するものがあった（特許文献２）。
【先行技術文献】
【特許文献】
【０００３】
【特許文献１】特開２０１２−２３２００６号公報
【特許文献２】特開２０１３−１４０号公報
【発明の概要】
【発明が解決しようとする課題】
【０００４】
期間表示を行ない、所定の演出を実行する遊技機では、演出効果を高めて遊技の興趣を向上させることが求められている。
【０００５】
本発明は、かかる実情に鑑み考え出されたものであり、その目的は、遊技の興趣を向上させることが可能な遊技機を提供することである。
【課題を解決するための手段】
【０００６】
（Ａ）  遊技者にとって有利な有利状態に制御可能な遊技機であって、
期間表示を更新することによって期間の経過状況を示す期間表示手段と、
前記期間表示手段により更新された前記期間表示が特定態様となったときに、複数種類の演出のうちのいずれかの演出を実行可能な演出実行手段と、を備え、
前記期間表示手段は、
前記期間表示が開始されてから当該期間表示が前記特定態様となるまでの期間において、前記期間表示を更新した後、当該期間表示の更新を停止する所定態様を経由せずに前記特定態様とする第１パターンと、前記期間表示を更新した後、当該期間表示の更新を停止する前記所定態様を経由した後に前記特定態様とする第２パターンと、を実行可能であり、
前記第１パターンと前記第２パターンとで、前記期間表示の更新が開始される前に共通の更新前表示を表示可能であり、
前記演出実行手段は、前記所定態様として、前記期間表示に対して作用する作用演出を実行する、
ことを特徴とする。
（１）  可変表示を行ない、遊技者にとって有利な有利状態（たとえば、大当り遊技状態）に制御可能な遊技機（たとえば、パチンコ遊技機１、スロットマシン）であって、
それぞれ異なるタイミングにより開始可能であり前記有利状態になることを示唆する複数種類（たとえば、３種類以上）の予告演出（たとえば、保留／アクティブ変化演出、激熱演出、タイマ演出）を実行可能な予告演出実行手段（たとえば、演出制御用ＣＰＵ１２０、図３９のステップＳ８４４，ステップＳ８４８，ステップＳ８５０）と、
可変表示中に実行可能な予告演出のうちから少なくとも２種類の予告演出が実行される場合に、予告演出が実行されるよりも前の所定タイミングにおいて、実行される予告演出の種類の組合せを報知する報知演出（たとえば、ストックゾーン演出）を実行可能な報知演出実行手段（たとえば、演出制御用ＣＰＵ１２０、図３９のステップＳ８３２，ステップＳ８３５）とを備え、
前記報知演出実行手段は、前記報知演出において報知される予告演出の種類の組合せによって前記有利状態に制御される期待度が異なるように前記報知演出を実行可能である（たとえば、図２４参照）。
【０００７】
このような構成によれば、実行される予告演出の種類の組合せを報知することによって有利状態に制御される期待度を報知することができる。その結果、遊技の興趣を向上させることができる。
【０００８】
（２）  上記（１）の遊技機において、
前記報知演出実行手段によって報知された予告演出の種類にそれぞれ対応する所定画像（たとえば、図４１〜図４６のストック画像７４Ａ〜７４Ｃ）を、対応する予告演出が実行されるまで表示する画像表示手段（たとえば、演出制御用ＣＰＵ１２０、図３９のステップＳ８３７，ステップＳ８４２，ステップＳ８４６）をさらに備える。
【０００９】
このような構成によれば、いずれの種類の予告演出が実行されるかをそれぞれの予告演出が実行されるまで遊技者に分かり易く知らせることができる。
【００１０】
（３）  上記（１）または（２）の遊技機において、
前記報知演出実行手段は、実行される予告演出の種類とともに当該予告演出の実行態様を報知する（たとえば、図３９のステップＳ８３５）。
【００１１】
このような構成によれば、報知演出の演出態様が多彩になる。その結果、報知演出によって遊技の興趣を向上させることができる。
【００１２】
（４）  上記（１）から（３）のいずれかの遊技機において、
前記報知演出実行手段によって前記報知演出が実行されることを事前に示唆する報知示唆演出（たとえば、待機中表示）を実行可能な報知示唆演出実行手段（たとえば、演出制御用ＣＰＵ１２０、図１６のステップＳ６１５，図２３のステップＳ７４５）をさらに備える。
【００１３】
このような構成によれば、報知演出が実行されることが示唆されることによって遊技の興趣を向上させることができる。
【００１４】
（５）  上記（４）の遊技機において、
前記報知示唆演出実行手段は、前記報知示唆演出の実行期間（たとえば、待機中表示の表示期間）に応じて、前記報知示唆演出の後に生じる事象（たとえば、大当り遊技状態、スーパーリーチ演出、ストックゾーン演出で報知される予告演出の種類の組合せ）の期待度が異なるように前記報知示唆演出を実行する（たとえば、図２１（Ａ），（Ｂ）参照）。
【００１５】
このような構成によれば、報知示唆演出の実行期間に遊技者を注目させることができる。その結果、報知示唆演出によって遊技の興趣を向上させることができる。
【００１６】
（６）  上記（１）から（５）のいずれかの遊技機において、
遊技者が操作可能な操作手段（たとえば、プッシュボタン１２６）をさらに備え、
前記報知演出実行手段は、前記操作手段の操作に基づいて、報知した種類の予告演出の実行態様を同時に報知する（たとえば、図３９のステップＳ８３５）。
【００１７】
このような構成によれば、遊技者が介入する要素を含ませることができる。その結果、遊技の興趣を向上させることができる。
【００１８】
（７）  上記（１）から（６）のいずれかの遊技機において、
前記予告演出実行手段は、前記報知演出実行手段によって実行される予告演出の種類が報知された後、当該予告演出をそれぞれ実行する前に、共通の態様の演出を実行する（たとえば、「いくよー！」といったような共通のセリフを各キャラクタの音声として出力したり吹出しなどの画像として表示したりしてもよい）。
【００１９】
このような構成によれば、報知演出の後、予告演出が開始されるタイミングを遊技者に明確に知らせることができる。
【００２０】
（８）  上記（１）から（７）のいずれかの遊技機において、
前記報知演出において、実行される予告演出の種類が複数である場合、当該報知演出において報知される予告演出の種類を当該報知演出の実行前に段階的に報知することが可能である（たとえば、図４２（Ｃ），図４３（Ｃ）で示すように複数の予告演出にそれぞれ対応するキャラクタを同時に表示するのではなく、キャラクタを段階的に表示することによってキャラクタに対応する予告演出を段階的に報知してもよい）。
【００２１】
このような構成によれば、予告演出の種類が段階的に報知されるので、遊技者の期待感を段階的に高めることができる。
【００２２】
（９）  上記（１）から（８）のいずれかの遊技機において、
前記報知演出実行手段は、前記報知演出の実行タイミングによって前記有利状態に制御される期待度が異なるように前記報知演出を実行する（たとえば、図２４参照）。
【００２３】
このような構成によれば、報知演出の実行タイミングによって有利状態に制御される期待度を報知することができる。その結果、遊技の興趣を向上させることができる。
【００２４】
（１０）  上記（１）から（９）のいずれかの遊技機において、
前記予告演出実行手段は、同じ種類の予告演出を実行する場合であっても、前記報知演出で報知された後に実行するとき（たとえば、図２３のステップＳ７４６でストックゾーン演出の予告演出として決定された激熱演出が図３９のステップＳ８４８で実行される）と前記報知演出で報知されずに実行するとき（たとえば、図２３のステップＳ７５０で単独で決定された激熱演出が図２９のステップＳ３４６Ｃで実行される）とで前記有利状態に制御される期待度が異なるように予告演出を実行する（たとえば、図２４，図２５参照）。
【００２５】
このような構成によれば、予告演出が報知演出で報知されたか否かによって有利状態に制御される期待度を報知することができる。その結果、遊技の興趣を向上させることができる。
【００２６】
（１１）  上記（１）から（１０）のいずれかの遊技機において、
所定の動作を行なう可動物（たとえば、役物２００）と、
可変表示に関する情報に対応して特定表示（たとえば、保留表示画像、アクティブ表示画像）を特定表示領域（たとえば、表示エリア５ＨＬ，５ＨＲ，５ＨＡ）に表示可能な特定表示手段（たとえば、演出制御用ＣＰＵ１２０、画像表示装置５）と、
前記可動物を前記特定表示領域の少なくとも一部に被さる位置に動作させる動作演出（たとえば、役物演出）を実行可能な動作演出手段（たとえば、演出制御用ＣＰＵ１２０）と、
前記特定表示の表示態様を変化させることで前記有利状態に制御される期待度を示唆する変化演出（たとえば、保留変化、アクティブ変化）を実行可能な変化演出手段（たとえば、演出制御用ＣＰＵ１２０、画像表示装置５）と、
前記変化演出の実行前の所定期間に亘って前記特定表示の表示態様が変化するか否かを示唆する示唆演出（たとえば、キャラクタＣＨＲ−Ａ，Ｂによる保留表示画像への作用演出）を実行可能な示唆演出手段（たとえば、演出制御用ＣＰＵ１２０、画像表示装置５）とをさらに備え、
前記動作演出手段は、前記所定期間の間に動作演出を実行する場合、少なくとも前記変化演出が実行されるときには前記特定表示に被らないように前記可動物を動作させ（たとえば、図３２（Ｅ）参照）、
前記示唆演出手段は、複数種類の示唆演出のいずれかを実行可能である（たとえば、図２７参照）。
【００２７】
このような構成によれば、可動物が特定表示領域の少なくとも一部に被さる位置に動作可能な場合であっても、変化演出が実行されるときには特定表示に被らない位置に可動物が動作されるので、特定表示の変化態様を遊技者にいち早く確認させることができる。その結果、遊技の興趣を向上させることができる。
【００２８】
（１２）  上記（１）から（１１）のいずれかの遊技機において、
期間表示（たとえば、図４７の第１領域９１におけるタイマ表示９４）を表示する期間表示手段（たとえば、演出制御用ＣＰＵ１２０、図４７の画像表示装置５、第１領域９１、図１５のステップＳ１７２でタイマ演出を実行する処理）と、
前記期間表示が所定態様となったとき（たとえば、図４７の第１領域９１でタイマ表示９４が０秒となったとき）に所定演出（たとえば、スーパーリーチ演出）を実行可能な所定演出実行手段（たとえば、演出制御用ＣＰＵ１２０、図１５のステップＳ１７２でスーパーリーチ演出を実行する処理）と、
特殊演出（たとえば、図４７（ｂ）のタイマ枠９７の見せ隠れ表示による特殊演出）を実行可能な特殊演出実行手段（たとえば、演出制御用ＣＰＵ１２０、図１５のステップＳ１７２で特殊演出を実行する処理）とをさらに備え、
前記特殊演出実行手段は、前記期間表示の実行前に前記特殊演出を実行可能（たとえば、図４７（ｂ），（ｄ））であるとともに、前記期間表示が実行されない場合（ガセ演出時）にも前記特殊演出を実行可能である（たとえば、図４７（ｂ），（ｃ））。
【００２９】
このような構成によれば、期間表示が実行されるか否かに注目させることができ、期間表示を実行する前の過程について遊技の興趣を向上させることができる。
【図面の簡単な説明】
【００３０】
【図１】この実施の形態におけるパチンコ遊技機の正面図である。
【図２】パチンコ遊技機に搭載された各種の制御基板などを示す構成図である。
【図３】演出制御コマンドの一例を示す図である。
【図４】特別図柄プロセス処理の一例を示すフローチャートである。
【図５】始動入賞判定処理の一例を示すフローチャートである。
【図６】特図保留記憶部の構成例を示すブロック図である。
【図７】先読み判定処理などの一例を示すフローチャートなどである。
【図８】特別図柄通常処理の一例を示すフローチャートである。
【図９】変動パターン設定処理の一例を示すフローチャートである。
【図１０】変動パターンの構成例を示す説明図である。
【図１１】大当り用変動パターン決定テーブルの構成例を示す図である。
【図１２】ハズレ用変動パターン決定テーブルの構成例を示す図である。
【図１３】コマンド解析処理の処理内容の一例を示す図である。
【図１４】始動入賞時コマンドバッファの構成例を示す図である。
【図１５】演出制御プロセス処理の一例を示すフローチャートである。
【図１６】先読み処理の一例を示すフローチャートである。
【図１７】保留・アクティブ変化パターンの内容や決定割合の一例を示す図である。
【図１８】保留・アクティブ変化パターンの内容や決定割合の一例を示す図である。
【図１９】保留・アクティブ変化パターンの内容や決定割合の一例を示す図である。
【図２０】保留・アクティブ変化パターンの内容や決定割合の一例を示す図である。
【図２１】ストックゾーン演出実行決定テーブルおよびストックゾーン演出待機中表示開始決定テーブルの一例を示す図である。
【図２２】可変表示開始設定処理の一例を示すフローチャートである。
【図２３】演出決定処理の一例を示すフローチャートである。
【図２４】ストックゾーン演出態様決定テーブルの一例を示す図である。
【図２５】単独激熱演出決定テーブルの一例を示す図である。
【図２６】スーパーリーチ実行時のアクティブ変化演出の実行タイミングの決定例を示す図である。
【図２７】作用演出決定テーブルの一例を示す図である。
【図２８】役物演出決定テーブルの一例を示す図である。
【図２９】可変表示中演出処理の一例を示すフローチャートである。
【図３０】保留変化演出処理の一例を示すフローチャートである。
【図３１】保留変化演出の演出画面例である。
【図３２】キャラクタによる作用演出後の保留変化演出の演出画面例である。
【図３３】アクティブ変化演出（第１演出）の演出画面例である。
【図３４】アクティブ変化演出（第２演出）の演出画面例である。
【図３５】キャラクタによる作用演出時の役物演出および保留変化のタイミングの第１の例を示す図である。
【図３６】キャラクタによる作用演出時の役物演出および保留変化のタイミングの第２の例を示す図である。
【図３７】アクティブ表示画像の表示タイミング例などを示す図である。
【図３８】アクティブ表示画像の表示タイミング例などを示す図である。
【図３９】ストックゾーン演出処理の一例を示すフローチャートである。
【図４０】ストックゾーン演出の第１の演出画面例である。
【図４１】ストックゾーン演出の第２の演出画面例である。
【図４２】ストックゾーン演出の第３の演出画面例である。
【図４３】ストックゾーン演出の第４の演出画面例である。
【図４４】ストックゾーン演出の第５の演出画面例である。
【図４５】ストックゾーン演出の第６の演出画面例である。
【図４６】ストックゾーン演出の第７の演出画面例である。
【図４７】第１の変形例におけるタイマ演出を説明するための図である。
【図４８】第２の変形例におけるタイマ演出を説明するための図である。
【図４９】第３の変形例におけるタイマ演出を説明するための図である。
【図５０】第４の変形例におけるタイマ演出を説明するための図である。
【図５１】保留変化演出の演出画面例である。
【図５２】音量変更時の演出画面例である。
【図５３】役物予告演出およびボタンセリフ予告演出の具体例を示す説明図である。
【図５４】作用演出および役物演出決定テーブルの一例を示す図である。
【発明を実施するための形態】
【００３１】
（本発明の一実施形態に係るパチンコ遊技機１の構成等）
図１は、本実施の形態におけるパチンコ遊技機１の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２には、遊技領域が形成され、この遊技領域には、遊技媒体としての遊技球が、所定の打球発射装置から発射されて打ち込まれる。
【００３２】
遊技盤２の所定位置（図１に示す例では、遊技領域の右側方）には、複数種類の特別識別情報としての特別図柄（特図ともいう。）の可変表示（特図ゲームともいう）を行う、第１特別図柄表示装置４Ａと、第２特別図柄表示装置４Ｂとが設けられている。これらは、７セグメントのＬＥＤなどからなり、特別図柄は、「０」〜「９」を示す数字や「−」などの点灯パターンなどであればよい。特別図柄には、ＬＥＤを全て消灯したパターンが含まれてもよい。
【００３３】
なお、特別図柄の「可変表示」とは、例えば、複数種類の特別図柄を更新表示などにより変動させる（変動可能に表示する）ことである（後述の他の図柄の可変表示についても同じ）。可変表示の最後には、表示結果（可変表示結果）として所定の特別図柄が停止表示（導出表示などともいう）される（後述の他の可変表示についても同じ）。なお、図柄（特に、後述の飾り図柄）の変動として、スクロール表示、変形、拡大／縮小などが行われてもよい。
【００３４】
なお、以下では、第１特別図柄表示装置４Ａにおいて可変表示される特別図柄を「第１特図」ともいい、第２特別図柄表示装置４Ｂにおいて可変表示される特別図柄を「第２特図」ともいう。また、第１特図を用いた特図ゲームを「第１特図ゲーム」といい、第２特図を用いた特図ゲームを「第２特図ゲーム」ともいう。
【００３５】
遊技盤２における遊技領域の中央付近には、画像表示装置５が設けられている。画像表示装置５は、例えばＬＣＤ（液晶表示装置）等から構成され、各種の演出画像を表示する表示領域を形成している。
【００３６】
画像表示装置５の画面上では、第１特図ゲームや第２特図ゲームと同期して、特別図柄とは異なる複数種類の装飾識別情報としての飾り図柄（数字などを示す図柄など）の可変表示が行われる。一例として、画像表示装置５の画面上では、第１特図ゲーム又は第２特図ゲームに同期して、「左」、「中」、「右」の各飾り図柄表示エリア５Ｌ、５Ｃ、５Ｒにおいて飾り図柄の可変表示（例えば上下方向のスクロール表示や更新表示）が行われる。
【００３７】
画像表示装置５の画面上には、表示エリア５ＨＬ、５ＨＲ、５ＨＡも配置されている。これら表示エリアには、実行が保留されている、又は、実行中の特図ゲーム（飾り図柄の可変表示）に対応する対応画像が表示される。
【００３８】
表示エリア５ＨＬに表示される対応画像は、実行が保留されている第１特図ゲーム（飾り図柄の可変表示）を示す。当該対応画像は、第１保留表示画像（ここでは、丸の画像）ともいい、右詰めで表示される。
【００３９】
表示エリア５ＨＲに表示される対応画像は、実行が保留されている第２特図ゲーム（飾り図柄の可変表示）を示す。当該対応画像は、第２保留表示画像（ここでは、丸の画像）ともいい、左詰めで表示される。
【００４０】
なお、特図ゲームの保留数は、特図保留記憶数ともいう。特に、第１特図ゲームの保留数を、第１特図保留記憶数という。第２特図ゲームの保留数を、第２特図保留記憶数という。第１保留表示画像の数により、第１特図保留記憶数が示され、第２保留表示画像の数により、第２特図保留記憶数が示される。第１保留表示画像及び第２保留表示画像を総称して、総称して保留表示画像ということがある。
【００４１】
表示エリア５ＨＡに表示される対応画像は、実行中の特図ゲーム（飾り図柄の可変表示でもある。以下同じ。）を示す。当該対応画像は、アクティブ表示画像ともいう。アクティブ表示画像は、保留表示画像を拡大した画像とする場合がある。
【００４２】
保留されている第１特図ゲームが実行（消化）されたときには、表示エリア５ＨＬに表示されている各対応画像（第１保留表示画像）が右にシフトし、最も右の対応画像（消化される第１特図ゲームに対応した画像）は、表示エリア５ＨＡに移動してアクティブ表示画像として表示される。保留されている第２特図ゲームが実行（消化）されたときには、表示エリア５ＨＲに表示されている各対応画像（第２保留表示画像）が左側にシフトし、最も左の対応画像（消化される第２特図ゲームに対応した画像）は、表示エリア５ＨＡに移動してアクティブ表示画像として表示される。アクティブ表示画像は、対応する特図ゲームの実行終了時（可変表示結果の導出表示時）などの適宜のタイミングで消去される。
【００４３】
また、特図保留記憶数を特定可能に表示するための第１保留表示器２５Ａと第２保留表示器２５Ｂとが設けられている。第１保留表示器２５Ａと第２保留表示器２５Ｂとはそれぞれ、複数のＬＥＤを含んで構成され、ＬＥＤの点灯個数によって、第１特図保留記憶数と第２特図保留記憶数とを表示する。
【００４４】
画像表示装置５の下方には、普通入賞球装置６Ａと、普通可変入賞球装置６Ｂとが設けられている。普通入賞球装置６Ａは、例えば所定の玉受部材によって常に遊技球が進入可能な一定の開放状態に保たれる第１始動入賞口を形成する。第１始動入賞口に遊技球が進入したときには、第１始動口スイッチ２２Ａ（図２参照）がオンし、これによって、当該遊技球の進入が検出される（このときには、所定個（例えば３個）の賞球が払い出されるとともに、第１特図ゲームが開始され得る。）。
【００４５】
普通可変入賞球装置６Ｂは、普通電動役物用のソレノイド８１（図２参照）によって垂直位置となる閉鎖状態と傾動位置となる開放状態とに変化する一対の可動翼片を有する電動チューリップ型役物（普通電動役物）を備え、第２始動入賞口を形成する。普通可変入賞球装置６Ｂは、例えば、ソレノイド８１がオフ状態であるときに可動翼片が垂直位置となることにより、当該可動翼片の先端が普通入賞球装置６Ａに近接し、第２始動入賞口に遊技球が進入しない閉鎖状態になる（第２始動入賞口が閉鎖状態になるともいう。）。その一方で、普通可変入賞球装置６Ｂは、ソレノイド８１がオン状態であるときに可動翼片が傾動位置となることにより、第２始動入賞口に遊技球が進入できる開放状態になる（第２始動入賞口が開放状態になるともいう。）。第２始動入賞口に遊技球が進入したときには、第２始動口スイッチ２２Ｂ（図２参照）がオンし、これによって、当該遊技球の進入が検出される（このときには、所定個（例えば３個）の賞球が払い出されるとともに、第２特図ゲームが開始され得る。）。
【００４６】
普通入賞球装置６Ａと普通可変入賞球装置６Ｂの下方には、特別可変入賞球装置７が設けられている。特別可変入賞球装置７は、大入賞口扉用となるソレノイド８２（図２参照）によって開閉駆動される大入賞口扉を備え、その大入賞口扉によって開放状態と閉鎖状態とに変化する特定領域としての大入賞口を形成する。
【００４７】
一例として、特別可変入賞球装置７では、大入賞口扉用のソレノイド８２がオフ状態であるときに大入賞口扉が大入賞口を閉鎖状態として、遊技球が大入賞口に進入（例えば、通過）できなくなる。その一方で、特別可変入賞球装置７では、大入賞口扉用のソレノイド８２がオン状態であるときに大入賞口扉が大入賞口を開放状態として、遊技球が大入賞口に進入しやすくなる。
【００４８】
大入賞口に遊技球が進入したときには、カウントスイッチ２３（図２参照）がオンし、これによって、当該遊技球の進入が検出される。このときには、所定個数（例えば１４個）の遊技球が賞球として払い出される。こうして、大入賞口に遊技球が進入したときには、例えば第１始動入賞口や第２始動入賞口に遊技球が進入したときよりも多くの賞球が払い出される。
【００４９】
遊技盤２の所定位置（図１に示す例では、遊技領域の左側方）には、普通図柄表示器２０が設けられている。一例として、普通図柄表示器２０は、７セグメントのＬＥＤなどからなり、特別図柄とは異なる複数種類の普通識別情報としての普通図柄（「普図」あるいは「普通図」ともいう）の可変表示を行う。このような普通図柄の可変表示は、普図ゲーム（「普通図ゲーム」ともいう）ともいう。
【００５０】
普図ゲームは、遊技球が通過ゲート４１を通過したことに基づいて実行される。遊技球が通過ゲート４１を通過したときには、図２のゲートスイッチ２１がオンになり、これにより当該遊技球の通過が検出される。
【００５１】
普通図柄表示器２０の上方には、普図保留表示器２５Ｃが設けられている。普図保留表示器２５Ｃは、例えば４個のＬＥＤを含んで構成され、実行が保留されている普図ゲームの数である普図保留記憶数をＬＥＤの点灯個数により表示する。
【００５２】
遊技盤２における画像表示装置５の上部の中央には、役物２００が設けられる。役物２００は、下方向の画像表示装置５の前面側、つまり、遊技者から見て画像表示装置５の画面の手前側に、役物用モータ１２８（他のアクチュエータであってもよい）によって移動可能に構成される。役物２００の待機位置（初期位置）は、図１で示す画像表示装置５の上部の中央である。役物２００は、待機位置から、後述の図３２（Ｃ）で示すように、保留表示画像やアクティブ表示画像を表示する表示エリア５ＨＬ，５ＨＲ，５ＨＡの前面側に移動可能である。なお、役物２００は、ＬＥＤ等の発光装置によって発光可能なように構成されてもよい。
【００５３】
遊技盤２の表面には、上記の構成以外にも、遊技球の流下方向や速度を変化させる風車及び多数の障害釘が設けられている。遊技領域の最下方には、いずれの入賞口にも進入しなかった遊技球が取り込まれるアウト口が設けられている。
【００５４】
遊技機用枠３の左右上部位置には、効果音等を再生出力するためのスピーカ８Ｌ、８Ｒが設けられており、さらに遊技領域周辺部には、遊技効果用の遊技効果ランプ９が設けられている。遊技効果ランプ９は、ＬＥＤを含んで構成されている。
【００５５】
遊技機用枠３の右下部位置には、遊技媒体としての遊技球を打球発射装置により遊技領域に向けて発射するために遊技者等によって操作される打球操作ハンドル（操作ノブ）が設けられている。
【００５６】
遊技領域の下方における遊技機用枠３の所定位置には、賞球として払い出された遊技球や所定の球貸機により貸し出された遊技球を、打球発射装置へと供給可能に保持（貯留）する上皿（打球供給皿）が設けられている。遊技機用枠３の下部には、上皿から溢れた余剰球などを、パチンコ遊技機１の外部へと排出可能に保持（貯留）する下皿が設けられている。
【００５７】
打球供給皿（上皿）を形成する部材には、例えば上皿本体の上面における手前側の所定位置などに、遊技者が押下操作などにより所定の指示操作を可能なプッシュボタン１２６が設けられている。プッシュボタン１２６は、遊技者からの押下操作などによる所定の指示操作を、機械的、電気的、あるいは、電磁的に、検出できるように構成されていればよい。プッシュボタン１２６の設置位置における上皿の本体内部などには、プッシュボタン１２６に対してなされた遊技者の操作行為を検知するプッシュセンサ１２７（図２参照）が設けられている。
【００５８】
パチンコ遊技機１には、例えば図２に示すような主基板１１、演出制御基板１２、音声制御基板１３、ランプ制御基板１４、中継基板１５などが搭載されている。その他にも、パチンコ遊技機１における遊技盤などの背面には、例えば払出制御基板、情報端子基板、発射制御基板、電源基板などといった、各種の基板が配置されている。
【００５９】
主基板１１は、メイン側の制御基板であり、パチンコ遊技機１における遊技の進行（特図ゲーム、普図ゲームの実行など）を制御する機能（演出制御基板１２に向けて演出制御コマンドを送信する機能を含む。）を有する。主基板１１は、遊技制御用マイクロコンピュータ１００、スイッチ回路１１０、ソレノイド回路１１１などを有する。
【００６０】
主基板１１に搭載された遊技制御用マイクロコンピュータ１００は、例えば１チップのマイクロコンピュータであり、ＲＯＭ（Read Only Memory）１０１と、ＲＡＭ（Random Access Memory）１０２と、ＣＰＵ（Central Processing Unit）１０３と、乱数回路１０４と、Ｉ／Ｏ（Input/Output port）１０５とを備える。
【００６１】
一例として、ＣＰＵ１０３がＲＯＭ１０１に記憶されたプログラムを実行することにより、主基板１１の機能（遊技の進行の制御）を実現する。このとき、ＲＯＭ１０１が記憶する各種データ（変動パターン、演出制御コマンド、各種テーブルなどのデータ）が用いられ、ＲＡＭ１０２がメインメモリとして使用される。
【００６２】
乱数回路１０４は、遊技の進行を制御するときに使用される各種の乱数値（遊技用乱数）を示す数値データを更新可能にカウントする。遊技用乱数は、ＣＰＵ１０３が所定のコンピュータプログラムを実行することで更新されるもの（ソフトウェアで更新されるもの）であってもよい。
【００６３】
Ｉ／Ｏ１０５は、例えば各種信号が入力される入力ポートと、各種信号を伝送するための出力ポートとを含んで構成される。
【００６４】
ＣＰＵ１０３は、Ｉ／Ｏ１０５を介して、第１特別図柄表示装置４Ａ、第２特別図柄表示装置４Ｂ、普通図柄表示器２０、第１保留表示器２５Ａ、第２保留表示器２５Ｂ、普図保留表示器２５Ｃなどを制御（駆動）する信号を出力し、これらを制御する。
【００６５】
スイッチ回路１１０は、遊技球検出用の各種スイッチ（ゲートスイッチ２１、始動口スイッチ（第１始動口スイッチ２２Ａおよび第２始動口スイッチ２２Ｂ）、カウントスイッチ２３）からの検出信号（遊技媒体が通過又は進入してスイッチがオンになったことを示す検出信号など）を取り込んで遊技制御用マイクロコンピュータ１００に伝送する。
【００６６】
ソレノイド回路１１１は、遊技制御用マイクロコンピュータ１００からのソレノイド駆動信号（例えば、ソレノイド８１やソレノイド８２をオンする信号など）を、普通電動役物用のソレノイド８１や大入賞口扉用のソレノイド８２に伝送する。
【００６７】
主基板１１から演出制御基板１２に向けて伝送される演出制御コマンドは、中継基板１５によって中継される。
【００６８】
演出制御基板１２は、主基板１１とは独立したサブ側の制御基板であり、中継基板１５を介して主基板１１から伝送された演出制御コマンドを受信し、受信した演出制御コマンドに基づいて各種の演出（飾り図柄の可変表示を含む。）を実行する機能を有する。
【００６９】
演出制御基板１２には、演出制御用ＣＰＵ１２０と、ＲＯＭ１２１と、ＲＡＭ１２２と、表示制御部１２３と、乱数回路１２４と、Ｉ／Ｏ１２５とが搭載されている。
【００７０】
一例として、演出制御用ＣＰＵ１２０がＲＯＭ１２１に記憶されたプログラムを実行することにより、演出制御基板１２の機能（演出の実行）を実現する。このとき、ＲＯＭ１２１が記憶する各種データ（演出制御パターンに用いるデータや各種テーブルなどのデータ）が用いられ、ＲＡＭ１２２がメインメモリとして使用される。
【００７１】
表示制御部１２３は、演出制御用ＣＰＵ１２０からの表示制御指令に基づき、画像表示装置５において表示する演出画像の映像信号を出力し、画像表示装置５に演出画像を表示する。一例として、表示制御部１２３には、ＶＤＰ（Video Display Processor）、ＣＧＲＯＭ（Character Generator ROM）、ＶＲＡＭ（Video RAM）などが搭載されていればよい。
【００７２】
乱数回路１２４は、演出動作を制御するときに使用される各種の乱数値（演出用乱数）を示す数値データを更新可能にカウントする。演出用乱数は、演出制御用ＣＰＵ１２０が所定のコンピュータプログラムを実行することで更新されるもの（ソフトウェアで更新されるもの）であってもよい。
【００７３】
演出制御基板１２に搭載されたＩ／Ｏ１２５は、例えば主基板１１などから伝送された演出制御コマンドを取り込むための入力ポートと、各種信号を伝送するための出力ポートとを含んで構成される。
【００７４】
音声制御基板１３は、演出制御基板１２からの効果音信号に基づき、スピーカ８Ｌ、８Ｒから音声（効果音信号が指定する音声）を出力させる機能を有する。
【００７５】
ランプ制御基板１４は、演出制御基板１２からの電飾信号に基づき、遊技効果ランプ９の点灯／消灯駆動（電飾信号が示す駆動内容による点灯／消灯）を行う機能を有する。
【００７６】
画像表示装置５は、液晶パネル、ＥＬパネルなどからなる表示パネルと、当該表示パネルを駆動するドライバ回路などを備える。表示制御部１２３からＩ／Ｏ１２５を介して画像表示装置５に供給された映像信号は、前記ドライバ回路に入力される。ドライバ回路は、当該映像信号が表す画像を表示パネルに表示させる。これによって、画像表示装置５には、各種の演出画像などが表示されることになる。
【００７７】
演出制御用ＣＰＵ１２０は、プッシュボタン１２６に対する遊技者の操作行為を検出したことを示す操作検出信号を、プッシュセンサ１２７からＩ／Ｏ１２５を介して入力する。また、演出制御用ＣＰＵ１２０は、Ｉ／Ｏ１２５を介して役物用モータ１２８に駆動信号を出力することにより、役物２００を動作させる。
【００７８】
（遊技の進行や演出の進行など）
パチンコ遊技機１が備える打球操作ハンドルへの遊技者による回転操作により、遊技媒体（遊技球）が遊技領域に向けて発射される。
【００７９】
遊技領域を流下した遊技球が通過ゲート４１を通過したときには、普図ゲーム（普通図柄の可変表示）が開始される。なお、すでに他の普図ゲームが実行されている、下記の開放制御中など、普図ゲームを開始できないとき（開始条件が成立していないとき）には、４つなどを上限として普図ゲームの実行は保留される。保留された普図ゲームは、当該普図ゲームを開始できる開始条件の成立（他の普図ゲームが実行されておらず、開放制御中でもないなど）により実行される。普図保留記憶数が上限値に達しているときに遊技球が通過ゲート４１を通過したときには、当該普図保留記憶数は増えないで、当該通過は無効化される。
【００８０】
普図ゲームで停止表示される可変表示結果には、普図当り図柄（例えば、「７」などの普図）と、普図ハズレ図柄（例えば、「−」などの普図）と、がある。普図当り図柄が停止表示（導出）されるときは、可変表示結果が「普図当り」のときである。普図ハズレ図柄が停止表示（導出）されるときは、可変表示結果が「普図ハズレ」のときである。
【００８１】
「普図当り」のときには、普通可変入賞球装置６Ｂの可動翼片を所定期間傾動位置とする開放制御（第２始動入賞口が開放状態になる。）が行われる。
【００８２】
遊技領域を流下した遊技球が、普通入賞球装置６Ａに形成された第１始動入賞口に進入したときには、第１特図ゲームが開始される。また、遊技球が、普通可変入賞球装置６Ｂに形成された第２始動入賞口に進入したときには、第２特図ゲームが開始される。なお、すでに他の特図ゲームが実行されている、後述の大当り遊技状態に制御されているときなど、特図ゲームを開始できないとき（開始条件が成立していないとき）には、それぞれ４つなどを上限として特図ゲームの実行は保留される。保留された特図ゲームは、特図ゲームを開始できる開始条件の成立（他の特図ゲームが実行されておらず、大当り遊技状態中でもないなど）により実行される。第１特図保留記憶数が上限値に達しているときに遊技球が第１始動入賞口を進入したときには、当該第１特図保留記憶数は増えないで、当該進入は無効化される（賞球はあってもよい）。第２特図保留記憶数が上限値に達しているときに遊技球が第２始動入賞口を進入したときには、当該第２特図保留記憶数は増えないで、当該進入は無効化される（賞球はあってもよい）。第１特図保留記憶数を増やす遊技球の第１始動入賞口への進入（入賞）を第１始動入賞ともいう。第２特図保留記憶数を増やす遊技球の第２始動入賞口への進入（入賞）を第２始動入賞ともいう。これら入賞を総称して単に始動入賞ともいう。
【００８３】
特図ゲームで停止表示される可変表示結果には、大当り図柄（例えば、「３」、「７」などの特図）と、ハズレ図柄（例えば、「−」などの特図）と、がある。大当り図柄が停止表示（導出）されるときは、可変表示結果が「大当り」のときである。ハズレ図柄が停止表示（導出）されるときは、可変表示結果が「ハズレ」のときである。
【００８４】
第１特図ゲーム又は第２特図ゲームの可変表示結果が「大当り」（特定表示結果）のときには、遊技者にとって有利な有利状態としての大当り遊技状態に制御される。可変表示結果が「ハズレ」のときには、大当り遊技状態には制御されない。
【００８５】
大当り遊技状態では、特別可変入賞球装置７により形成される大入賞口が開放状態となる。当該開放状態は、所定期間（例えば２９秒間）の経過タイミングと、所定個数（例えば９個）の遊技球が大入賞口に進入して入賞球が発生するまでのタイミングと、のうちのいずれか早いタイミングまで継続される。このような開放状態をラウンド遊技（単に「ラウンド」ともいう）という。大当り遊技状態では、当該ラウンド遊技が、所定の上限回数（例えば「１５回」）に達するまで繰返し実行される（ラウンド遊技以外の期間では、大入賞口が閉鎖する。）。
【００８６】
「大当り」には、「非確変」、「確変」という大当り種別が設定されている。大当り種別が「非確変」のときには、「３」の大当り図柄が停止表示される。大当り種別が「確変」のときには、「７」の大当り図柄が停止表示される。
【００８７】
なお、大当り種別が「確変」のときの「大当り」を「確変大当り」、大当り種別が「非確変」のときの「大当り」を「非確変大当り」ということがある。また、「確変大当り」に基づく大当り遊技状態を「確変大当り遊技状態」ということがある。また、「非確変大当り」に基づく大当り遊技状態を「非確変大当り遊技状態」ということがある。
【００８８】
確変大当り遊技状態が終了した後には、可変表示結果が「大当り」となる確率（大当り確率）が通常状態よりも高くなる確変状態に制御される。確変状態は、次回の大当り遊技状態が開始されるまで継続する。確変状態は、遊技者にとって有利な遊技状態である。
【００８９】
確変大当り遊技状態又は非確変大当り遊技状態が終了した後には、平均的な可変表示時間（可変表示の期間）が通常状態よりも短くなる時短状態に制御される。時短状態は、所定回数（この実施の形態では、１００回）の特図ゲームが実行されたことと、次回の大当り遊技状態が開始されたことのうち、いずれか一方の終了条件が先に成立するまで、継続する。時短状態は、遊技者にとって有利な遊技状態である。
【００９０】
なお、時短状態では、通常状態などの時短状態になっていない非時短状態よりも第２始動入賞口に遊技球が進入しやすい有利変化態様で、普通可変入賞球装置６Ｂを開放状態と閉鎖状態とに変化させる。例えば、普図ゲームにおける普通図柄の変動時間（普図の可変表示の期間であり、普図変動時間ともいう。）を通常状態のときよりも短くする制御や、各回の普図ゲームで可変表示結果が「普図当り」となる確率を通常状態のときよりも向上させる制御などにより、普通可変入賞球装置６Ｂを有利変化態様で開放状態と閉鎖状態とに変化させればよい。このような制御は、高開放制御（「時短制御」あるいは「高ベース制御」ともいう）と称される。こうした時短状態に制御されることにより、次に可変表示結果が「大当り」となるまでの所要時間が短縮され、遊技状態は、通常状態よりも遊技者にとって有利な状態となる。
【００９１】
なお、通常状態とは、大当り遊技状態等の有利状態や、時短状態や、確変状態等の遊技者にとって有利な状態以外の遊技状態のことであり、普図ゲームにおける可変表示結果が「普図当り」となる確率及び特図ゲームにおける可変表示結果が「大当り」となる確率などのパチンコ遊技機１が、パチンコ遊技機１の初期設定状態（例えばシステムリセットが行われた場合のように、電源投入後に所定の復帰処理を実行しなかったとき）と同一に制御される状態である。
【００９２】
時短状態は、「高ベース」などともいわれ、時短状態でない遊技状態は、「低ベース」「非時短状態」などともいわれる。確変状態は、「高確」などともいわれ、確変状態でない遊技状態は、「低確」、「非確変」などともいわれる。
【００９３】
画像表示装置５に設けられた「左」、「中」、「右」の飾り図柄表示エリア５Ｌ、５Ｃ、５Ｒでは、第１特図ゲーム又は第２特図ゲームが開始されることに対応して、飾り図柄の可変表示（これも演出の一種である。）が開始される。第１特図ゲームや第２特図ゲームにおいて可変表示結果（確定特別図柄ともいう。）が停止表示されるときには、飾り図柄の可変表示の表示結果（可変表示結果）となる確定飾り図柄（３つの飾り図柄の組合せ）も停止表示（導出表示）される。
【００９４】
飾り図柄の可変表示が開始されてから終了するまでの期間では、飾り図柄の可変表示態様が所定のリーチ態様となる（リーチが成立する）ことがある。ここで、リーチ態様とは、画像表示装置５の画面上にて停止表示された飾り図柄が後述の大当り組合せの一部を構成しているときに未だ停止表示されていない飾り図柄（「リーチ変動図柄」ともいう）については変動が継続している表示態様などのことである。
【００９５】
また、この実施の形態では、可変表示中に上記リーチ態様となったことに対応してリーチ演出が実行される。リーチ演出として、演出態様がそれぞれ異なるノーマルリーチ、スーパーリーチＡ、及び、スーパーリーチＢが用意されている。この実施の形態では、大当り期待度は、スーパーリーチＢ＞スーパーリーチＡ＞ノーマルリーチの順で高い。
【００９６】
大当り期待度は、例えば、特図ゲームの可変表示結果が「大当り」となる割合であり、ここでは、飾り図柄の可変表示の表示結果が「大当り」となる割合でもある。
【００９７】
また、この実施の形態では、保留表示画像として表示される対応画像の表示色を変化させる保留変化演出と、アクティブ表示画像として表示される対応画像の表示色を変化させるアクティブ変化演出と、が用意されている（図３１〜図３４）。保留変化演出やアクティブ変化演出を総称して保留・アクティブ変化演出ということがある。なお、この実施の形態では、保留変化演出やアクティブ変化演出の一態様として、対応画像の表示色を変化させないガセ（失敗）の態様も用意されている。保留・アクティブ変化演出は、１つの対応画像について複数回行われることがある。保留・アクティブ変化演出（表示色の変化）は、先読み判定の判定結果に基づいて実行される先読み予告の一種である。先読み判定は、当該特図ゲームの実行前（ここでは、第１始動入賞の発生時、第２始動入賞の発生時）に行われる判定であり、保留された特図ゲームの可変表示結果（飾り図柄の可変表示の表示結果でもある）が「大当り」となるかなどを判定するものである。保留・アクティブ変化演出により変化した対応画像の表示色は、その対応画像に対応する特図ゲームや飾り図柄の可変表示（ターゲットともいう。）の大当り期待度を報知する。
【００９８】
特図ゲームの可変表示結果が「大当り」となるときには、画像表示装置５の画面上において、飾り図柄の可変表示の表示結果として、予め定められた大当り組合せとなる確定飾り図柄が導出表示される（飾り図柄の可変表示の表示結果が「大当り」となる）。一例として、「左」、「中」、「右」の飾り図柄表示エリア５Ｌ、５Ｃ、５Ｒにおける所定の有効ライン上に同一の飾り図柄（例えば、確変大当りのときに「７」、非確変大当りのときに「６」など）が揃って停止表示される。
【００９９】
可変表示結果が「ハズレ」となる場合には、飾り図柄の可変表示態様がリーチ態様とならずに、飾り図柄の可変表示の表示結果として、非リーチ組合せの確定飾り図柄が停止表示されることがある。また、可変表示結果が「ハズレ」となる場合には、飾り図柄の可変表示態様がリーチ態様となった後に、飾り図柄の可変表示の表示結果として、大当り組合せでない所定のリーチ組合せ（「リーチハズレ組合せ」ともいう）の確定飾り図柄が停止表示されることもある。
【０１００】
（パチンコ遊技機の主要な動作）
以下、パチンコ遊技機１の主要な動作をフローチャートなどを参照して説明するが、各動作（各処理）では下記で説明されない処理などが行われる場合がある。
【０１０１】
（主基板１１の主要な動作）
主基板１１では、ＣＰＵ１０３が遊技制御用タイマ割込み処理を実行する。遊技制御用タイマ割込み処理は、所定期間（例えば２ミリ秒）ごとに供給されるＣＴＣ（カウンタ／タイマ回路）からの割込み要求信号によるタイマ割り込みが発生するごと（割込み要求信号の供給間隔である所定時間（２ｍｓ）ごと）に実行される。遊技制御用タイマ割込み処理では、ＣＰＵ１０３は、スイッチ処理、遊技用乱数更新処理、特別図柄プロセス、普通図柄プロセス処理、コマンド制御処理などを実行し、遊技制御用タイマ割込み処理がタイマ割り込みごとに繰り返し実行されることで、遊技の制御などが実現される。
【０１０２】
スイッチ処理では、スイッチ回路１１０を介してゲートスイッチ２１、第１始動口スイッチ２２Ａ、第２始動口スイッチ２２Ｂ、カウントスイッチ２３といった各種スイッチから検出信号が入力されたかを判定することによって、各スイッチがオンとなったか否か（つまり、遊技球の進入又は通過があったか否か）をスイッチごとに判定する。この判定の結果は、特別図柄プロセス処理や普通図柄プロセス処理において使用される。
【０１０３】
遊技用乱数更新処理は、主基板１１の側で用いられる複数種類の遊技用乱数のうち、少なくとも一部をソフトウェアにより更新するための処理である。
【０１０４】
特別図柄プロセス処理は、スイッチ処理での判定結果などに基づいて、特図ゲームの保留や実行、大当り遊技状態などを実現する処理（第１特別図柄表示装置４Ａ、第２特別図柄表示装置４Ｂ、第１保留表示器２５Ａ、第２保留表示器２５Ｂ、大入賞口扉用のソレノイド８２の制御を含む。）である。なお、特別図柄プロセス処理では、遊技の進行に応じて演出制御コマンドの送信設定を行う。
【０１０５】
普通図柄プロセス処理は、スイッチ処理での判定結果などに基づいて、普図ゲームの保留や実行、普図当りのときの普通可変入賞球装置６Ｂ（第２始動入賞口）の開放状態などを実現する処理（普通図柄表示器２０、普図保留表示器２５C、普通電動役物用のソレノイド８１の制御を含む。）である。
【０１０６】
コマンド制御処理は、特別図柄プロセス処理などで送信設定された演出制御コマンドを、主基板１１から演出制御基板１２に対して実際に伝送させる処理である。
【０１０７】
（特別図柄プロセス処理で送信設定される演出制御コマンド）
次に、特別図柄プロセス処理にて送信設定され、コマンド制御処理にて主基板１１から演出制御基板１２に送信される演出制御コマンドについて説明する。図３に、主な演出制御コマンドの例を示す。なお、以下の「（Ｈ）」は１６進数であることを示す。
【０１０８】
コマンド８１ＸＸ（Ｈ）は、開始する特図ゲームの種類やその変動パターン（可変表示の実行時間（特図変動時間）や、飾り図柄の可変表示のパターンを指定するもの、図１０参照）を指定（通知）する変動パターン指定コマンドである。「ＸＸ」（ＥＸＴデータ）に、開始する特図ゲームが第１特図ゲームであるか第２特図ゲームであるかと、その変動パターンと、に応じた数値が設定される（例えば、第１特図ゲーム開始で変動パターンがＰＡ１−１なら「００」、第２特図ゲーム開始で変動パターンがＰＡ１−１なら「０１」など）。当該コマンドは、特図ゲーム開始時（変動開始時）に送信される。なお、第１特図ゲームの開始や第２特図ゲームの開始を個別に指定する演出制御コマンドを別途用意してもよい。この場合には、第１特図ゲームと第２特図ゲームとで共通の数値が変動パターンに応じて「ＸＸ」に設定されてもよい。
【０１０９】
コマンド８ＣＸＸ（Ｈ）は、開始する特図ゲームの可変表示結果を指定（通知）する表示結果指定コマンドである。「ＸＸ」には、可変表示結果に対応する数値が設定される（例えば、「ハズレ」なら「００」、「非確変大当り」なら「０１」、「確変大当り」なら「０２」など）。当該コマンドは、特図ゲームの開始時に送信される。
【０１１０】
コマンド８Ｆ００（Ｈ）は、特図ゲームの終了（つまり、可変表示結果を導出表示すること）を指定（通知）する図柄確定指定コマンドである。当該コマンドは、特図ゲームの終了時に送信される。
【０１１１】
コマンドＡ０００（Ｈ）は、大当り遊技状態の開始（ファンファーレの開始）を指定（通知）する当り開始指定コマンドである。なお、ファンファーレとは、大当り遊技状態の開始時に実行される演出であり、大当り遊技状態になったことを報知する演出などである。当該コマンドは、大当り遊技状態の開始時に送信される。
【０１１２】
コマンドＡ３００（Ｈ）は、大当り遊技状態の終了（エンディングの開始でもある）を指定（通知）する当り終了指定コマンドである。なお、エンディングとは、大当り遊技状態の終了時に実行される演出であり、大当り遊技状態が終了することを報知する演出などである。当該コマンドは、最後のラウンド遊技の終了時に送信される。
【０１１３】
コマンドＢ１００（Ｈ）は、第１始動入賞口に遊技球が進入したことに基づく第１始動入賞が発生したことを指定（通知）する第１始動入賞指定コマンドである。コマンドＢ２００（Ｈ）は、第２始動入賞口に遊技球が進入したことに基づく第２始動入賞が発生したことを指定（通知）する第２始動入賞指定コマンドである。これらコマンドを始動入賞指定コマンドと総称することがある。当該コマンドは、始動入賞発生時に送信される。
【０１１４】
コマンドＣ０００（Ｈ）は、第１特図保留記憶数が１つ増加することを指定（通知）する第１特図保留記憶数加算指定コマンドである。Ｃ１００（Ｈ）は、第２特図保留記憶数が１つ増加することを指定（通知）する第２特図保留記憶数加算指定コマンドである。これらコマンドを特図保留記憶数加算指定コマンドと総称することがある。当該コマンドは、始動入賞発生時（保留が増えたとき）に送信される。
【０１１５】
コマンドＣ２００（Ｈ）は、第１特図保留記憶数が１つ減少することを指定（通知）する第１特図保留記憶数減算指定コマンドである。コマンドＣ３００（Ｈ）は、第２特図保留記憶数が１つ減少することを指定（通知）する第２特図保留記憶数減算指定コマンドである。これらコマンドを特図保留記憶数減算指定コマンドと総称することがある。当該コマンドは、特図ゲーム開始時（保留が減ったとき）に送信される。
【０１１６】
コマンドＣ４ＸＸ（Ｈ）は、第１始動入賞が発生したとき（第１特図ゲームが保留されたとき）に行われる先読み判定の判定結果などを指定（通知）する第１先読み判定結果指定コマンドである。コマンドＣ５ＸＸ（Ｈ）は、第２始動入賞が発生したとき（第２特図ゲームが保留されたとき）に行われる先読み判定の判定結果などを指定（通知）する第２先読み判定結果指定コマンドである。各コマンドの「ＸＸ」には、先読み判定の判定結果や判定無しに対応する数値が設定される（図７（Ｂ）参照。詳しくは後述）。当該コマンドは、先読み判定時に送信される。これら第１先読み判定結果指定コマンド及び第２先読み判定結果指定コマンドを、先読み判定結果指定コマンドと総称することがある。
【０１１７】
コマンド８２ＸＸ（Ｈ）は、変動パターンの種別を指定（ＸＸ＝００のときはスーパーリーチ、ＸＸ＝０１のときはそれ以外）する変動パターン種別指定コマンドである。なお、スーパーリーチ後に大当りとなる場合とはずれになる場合とで、ＸＸの上位バイトや下位バイトを異ならせるようにしてもよい。たとえば、スーパーリーチ大当りの場合、ＸＸ＝１０とし、スーパーリーチはずれの場合、ＸＸ＝００としてもよい。同様に、スーパーリーチ以外で大当りとなる場合とはずれとなる場合とで、ＸＸを異ならせるようにしてもよい。たとえば、スーパーリーチ以外で大当りの場合、ＸＸ＝１１とし、スーパーリーチ以外ではずれの場合、ＸＸ＝０１としてもよい。
【０１１８】
（特別図柄プロセス処理）
図４は、特別図柄プロセス処理の一例を示すフローチャートである。この特別図柄プロセス処理において、ＣＰＵ１０３は、まず、始動入賞判定処理を実行する（ステップＳ１０１）。始動入賞判定処理を実行した後、ＣＰＵ１０３は、ＲＡＭ１０２に設けられた特図プロセスフラグの値に応じて、ステップＳ１１０〜Ｓ１１７の処理のいずれかを選択して実行する。
【０１１９】
図５は、始動入賞判定処理（ステップＳ１０１）の一例を示すフローチャートである。
始動入賞判定処理を開始すると、ＣＰＵ１０３は、まず、第１始動口スイッチ２２Ａがオンであるか否かを判定する（前記のスイッチ処理の判定結果を参照すればよい。以下、各種スイッチのオン判定について同じ。）（ステップＳ２０１）。第１始動口スイッチ２２Ａがオンであれば（ステップＳ２０１；Ｙｅｓ）、第１特図保留記憶数が、所定の上限値（例えば「４」）となっているか否かを判定する（ステップＳ２０２）。ＣＰＵ１０３は、例えば、ＲＡＭ１０２に設けられた第１保留記憶数カウンタ（第１特図保留記憶数をカウントするカウンタ）の格納値である第１保留記憶数カウント値により、第１特図保留記憶数を特定できればよい（以下、第１特図保留記憶数について同じ。）。ステップＳ２０２にて第１特図保留記憶数が上限値ではないときには（ステップＳ２０２；Ｎｏ）、第１始動入賞の発生として、ＲＡＭ１０２に設けられた始動口バッファの格納値である始動口バッファ値を、「１」に設定する（ステップＳ２０３）。
【０１２０】
ステップＳ２０１にて第１始動口スイッチ２２Ａがオフであるときや（ステップＳ２０１；Ｎｏ）、ステップＳ２０２にて第１特図保留記憶数が上限値に達しているときには（ステップＳ２０２；Ｙｅｓ）、第２始動口スイッチ２２Ｂがオンであるか否かを判定する（ステップＳ２０４）。このとき、第２始動口スイッチ２２Ｂがオンであれば（ステップＳ２０４；Ｙｅｓ）、第２特図保留記憶数が、所定の上限値（例えば「４」）となっているか否かを判定する（ステップＳ２０５）。ＣＰＵ１０３は、例えば、ＲＡＭ１０２に設けられた第２保留記憶数カウンタ（第２特図保留記憶数をカウントするカウンタ）の格納値である第２保留記憶数カウント値により、第２特図保留記憶数を特定できればよい（以下、第２特図保留記憶数について同じ。）。ステップＳ２０５にて第２特図保留記憶数が上限値ではないときには（ステップＳ２０５；Ｎｏ）、第２始動入賞の発生として、始動口バッファ値を「２」に設定する（ステップＳ２０６）。
【０１２１】
ステップＳ２０３、Ｓ２０６の処理のいずれかを実行した後には、始動口バッファ値に応じた保留記憶数カウント値を１加算するように更新する（ステップＳ２０７）。例えば、始動口バッファ値が「１」であるときには第１保留記憶数カウント値を１加算する一方で、始動口バッファ値が「２」であるときには第２保留記憶数カウント値を１加算する。こうして、第１始動入賞口を遊技球が通過（進入）して第１特図ゲームに対応した第１始動条件が成立したとき（第１始動入賞が発生したとき）には第１特図保留記憶数が１増加するように更新され、第２始動入賞口を遊技球が通過（進入）して第２特図ゲームに対応した第２始動条件が成立したとき（第２始動入賞が発生したとき）には第２特図保留記憶数が１増加するように更新される。このときには、ＲＡＭ１０２に設けられた合計保留記憶数カウンタの格納値である合計保留記憶数カウント値を、１加算するように更新する（ステップＳ２０８）。
【０１２２】
ステップＳ２０８の処理を実行した後に、ＣＰＵ１０３は、始動入賞の発生時に対応した所定の遊技用乱数を抽出する（ステップＳ２０９）。一例として、ステップＳ２０９の処理では、乱数回路１０４やＲＡＭ１０２に設けられたランダムカウンタ（遊技用乱数更新処理で値が更新される。）等によって更新される数値データのうちから、特図表示結果（特図ゲームの可変表示結果）決定用の乱数値ＭＲ１や大当り種別決定用の乱数値ＭＲ２、変動パターン決定用の乱数値ＭＲ３を示す数値データが抽出される。こうして抽出された各乱数値を示す数値データが保留データとして、始動口バッファ値に応じた特図保留記憶部（ＲＡＭ１０２に設けられる。）における空きエントリの先頭にセットされることで記憶される（ステップＳ２１０）。
【０１２３】
ステップＳ２１０の処理では、例えば始動口バッファ値が「１」であるときに、保留データが図６（Ａ）の第１特図保留記憶部にセットされる一方、始動口バッファ値が「２」であるときに、保留データが図６（Ｂ）の第２特図保留記憶部にセットされる。このようにして、保留された特図ゲームを表す保留データが特図保留記憶部に記憶される。
【０１２４】
図６（Ａ）に示すように、第１特図保留記憶部は、例えば、第１始動入賞口への入賞順（遊技球の検出順）に保留番号「１」〜「４」と関連付けて、乱数値ＭＲ１〜ＭＲ３の数値データを保留データとして、その記憶数が所定の上限値（例えば「４」）に達するまで記憶する。こうして第１特図保留記憶部に記憶された保留データは、実行が保留されている第１特図ゲームを示す。
【０１２５】
図６（Ｂ）に示すように、第２特図保留記憶部は、例えば、第２始動入賞口への入賞順（遊技球の検出順）に保留番号「１」〜「４」と関連付けて、乱数値ＭＲ１〜ＭＲ３の数値データを保留データとして、その記憶数が所定の上限値（例えば「４」）に達するまで記憶する。こうして第２特図保留記憶部に記憶された保留データは、実行が保留されている第２特図ゲームを示す。
【０１２６】
この実施の形態では、このようにして、未だ開始されていない（実行が保留されている）特図ゲーム（特に、特図ゲームに関する情報）が保留記憶として記憶されることになる。
【０１２７】
図５に戻り、ステップＳ２１０の処理に続いて、先読み判定処理を行う（ステップＳ２１１）。先読み判定処理は、先読み判定を行う処理であり、今回特図保留記憶部に格納されたデータ（ここでは、乱数値ＭＲ１のデータ）に基づいて行われる。なお、先読み判定に使用されるデータは、今回特図保留記憶部に格納されたデータと同じデータであればよく、ＲＡＭ１０２における特図保留記憶部以外の他の領域に保持されて、用いられてもよい。
【０１２８】
図７に例示する先読み判定処理では、ＣＰＵ１０３は、まず、始動口バッファ値が「１」であれば（第１始動入賞が発生したとき）、第１始動入賞指定コマンドの送信設定を行なってから第１特図保留記憶数加算指定コマンドの送信設定を行い、始動口バッファ値が「２」であれば（第２始動入賞が発生したとき）、第２始動入賞指定コマンドの送信設定を行なってから第２特図保留記憶数加算指定コマンドの送信設定を行う（ステップＳ４０１）。
【０１２９】
次に、ＣＰＵ１０３は、現在が大当り遊技状態であるか否かを判定する（ステップＳ４０２）。現在が大当り遊技状態であるか否かは、例えば、特図プロセスフラグの値によって特定できる。ここでは、「４」〜「７」であれば大当り遊技状態中とする。大当り遊技状態中でない場合（ステップＳ４０２；Ｎｏ）、現在が時短状態であるか否かを判定する（ステップＳ４０３）。現在が時短状態であるか否かは、時短フラグ（ＲＡＭ１０２に設けられ、時短状態中にオン状態になるフラグ）の状態によって特定すればよい（以下、同じ）。
【０１３０】
現在が時短状態中である場合（ステップＳ４０３；Ｙｅｓ）、現在が大当り遊技状態の場合（ステップS４０２；Yes）、始動口バッファ値が「２」であるかを判定する（ステップＳ４０４）。
【０１３１】
始動口バッファ値が「２」である場合（ステップＳ４０４；Ｙｅｓ）、時短状態中でない場合（ステップＳ４０３；Ｎｏ）、ＣＰＵ１０３は、今回保留された特図ゲームの表示結果（特別図柄の可変表示結果であり、以下、特図表示結果ともいう。）が「大当り」であるか否かを判定する（ステップＳ４０５、ここでは、当該判定が先読み判定に該当する）。
【０１３２】
例えば、今回のステップＳ２０９で抽出した乱数値ＭＲ１（今回のステップＳ２１０で特図保留記憶部に新たに格納された乱数値ＭＲ１）に基づいて、後述のステップＳ２３９と同様に、第１特図表示結果決定テーブル又は第２特図表示結果決定テーブル（特図ゲームの開始条件の成立時に可変表示結果を決定するときに参照するテーブル。詳細は後述）を参照し、当該乱数値ＭＲ１に合致する決定値に割り当てられた決定結果（特図表示結果）が「大当り」であるときに「大当り」であると判定する（大当り判定）。遊技状態が非確変状態のときには、第１特図表示結果決定テーブルが参照され、遊技状態が確変状態のときには、第２特図表示結果決定テーブルが参照される。遊技状態が確変状態であるか否かは、ＲＡＭ１０２に設けられ確変状態のときにオン状態となる確変フラグに基づいて特定すればよい（以下、同じ）。後述のように、確変状態のときの方が、大当りと判定される可能性が高い。
【０１３３】
大当り判定のときは（ステップＳ４０５；Ｙｅｓ）、「大当り判定」を先読み判定結果として指定する先読み判定結果指定コマンドの送信設定を行う（ステップＳ４０７）。例えば、「０２」をＥＸＴデータとして設定した先読み判定結果指定コマンドの送信設定を行う（図７（Ｂ）参照）。
【０１３４】
大当り判定でないとき（ハズレ判定のとき）は（ステップＳ４０５；Ｎｏ）、「ハズレ判定」を先読み判定結果として指定する先読み判定結果指定コマンドの送信設定を行う（ステップＳ４１０）。例えば、「０１」をＥＸＴデータとして設定した先読み判定結果指定コマンドの送信設定を行う（図７（Ｂ）参照）。
【０１３５】
始動口バッファ値が「１」である場合（ステップＳ４０４；Ｎｏ）、保留・アクティブ変化演出の実行を制限するため、先読み判定を行わなかった旨の「判定無し」を指定する先読み判定結果指定コマンドの送信設定を行う（ステップＳ４１３）。例えば、「００」をＥＸＴデータとして設定した先読み判定結果指定コマンドの送信設定を行う（図７（Ｂ）参照）。
【０１３６】
なお、ステップＳ４０７、Ｓ４１０、Ｓ４１３では、始動口バッファが「１」であれば、第１先読み判定結果指定コマンドが送信設定され、始動口バッファが「２」であれば、第２先読み判定結果指定コマンドが送信設定される。
【０１３７】
ステップＳ４０７，Ｓ４１０，Ｓ４１３の後、ＣＰＵ１０３は、今回保留された特図ゲームに対応する飾り図柄の可変表示の変動パターン種別（スーパーリーチか否か）を判定する（ステップＳ４２１）。たとえば、今回のステップＳ２０９で抽出されステップＳ２１０で特図保留記憶部に新たに可能された乱数値ＭＲ３に基づいて、後述の図１１，図１２のテーブルを参照し、スーパーリーチの変動パターンであるかを判定する。そして、変動パターン種別を先読み判定結果として指定する変動パターン種別指定コマンドの送信設定を行う（ステップＳ４２２）。
【０１３８】
なお、当該処理にて送信設定された各コマンド（始動入賞指定コマンド、特図保留記憶数加算指定コマンド、先読み判定結果指定コマンド）の１セットは、始動入賞時コマンドとして、このあとのコマンド制御処理にて一括送信される（送信順序は、始動入賞指定コマンド→特図保留記憶数加算指定コマンド→先読み判定結果指定コマンド）。なお、第１始動入賞指定コマンド、第１特図保留記憶数加算指定コマンド、第１先読み判定結果指定コマンドのセットを第１始動入賞時コマンドといい、第２始動入賞指定コマンド、第２特図保留記憶数加算指定コマンド、第２先読み判定結果指定コマンドのセットを第２始動入賞時コマンドという。
【０１３９】
図５に戻り、ＣＰＵ１０３は、始動口バッファ値が「１」であるか「２」であるかを判定する（ステップＳ２１４）。このとき、始動口バッファ値が「２」であれば（ステップＳ２１４；「２」）、始動口バッファをクリアして、その格納値（始動口バッファ値）を「０」に初期化してから（ステップＳ２１５）、始動入賞判定処理を終了する。これに対して、始動口バッファ値が「１」であるときには（ステップＳ２１４；「１」）、始動口バッファをクリアして、その格納値を「０」に初期化してから（ステップＳ２１６）、ステップＳ２０４の処理に進む。
【０１４０】
図４に示すステップＳ１１０の特別図柄通常処理は、特図プロセスフラグの値が「０」のときに実行される。図８は、特別図柄通常処理の一例を示すフローチャートである。
【０１４１】
特別図柄通常処理において、ＣＰＵ１０３は、まず、第２特図保留記憶数が「０」であるか否かを判定する（ステップＳ２３１）。第２特図保留記憶数が「０」以外であるときには（ステップＳ２３１；Ｎｏ）、第２特図保留記憶部の先頭領域（保留番号「１」に対応する記憶領域）に記憶されている乱数値ＭＲ１〜ＭＲ３の数値データを読み出す（ステップＳ２３２）。これにより、第２始動入賞の発生に対応して抽出された遊技用乱数が読み出される。このとき読み出された数値データは、例えばＲＡＭ１０２の変動用乱数バッファなどに格納されて、一時記憶されればよい。
【０１４２】
ステップＳ２３２の処理に続いて、例えば第２保留記憶数カウント値を１減算して更新することなどにより、第２特図保留記憶数を１減算させるように更新するとともに、第２特図保留記憶部における記憶内容をシフトさせる（ステップＳ２３３）。例えば、第２特図保留記憶部にて保留番号「１」より下位の記憶領域（保留番号「２」〜「４」に対応する記憶領域）に記憶された保留データを、１エントリずつ上位にシフトする。また、ステップＳ２３３では、合計保留記憶数を１減算するように更新する。そして、ＲＡＭ１０２に設けられた変動特図指定バッファの格納値である変動特図指定バッファ値を、「２」に更新する（ステップＳ２３４）。
【０１４３】
ステップＳ２３１にて第２特図保留記憶数が「０」であるときには（ステップＳ２３１；Ｙｅｓ）、第１特図保留記憶数が「０」であるか否かを判定する（ステップＳ２３５）。第１特図保留記憶数が「０」以外であるときには（ステップＳ２３５；Ｎｏ）、第１特図保留記憶部の先頭領域（保留番号「１」に対応する記憶領域）に記憶されている乱数値ＭＲ１〜ＭＲ３の数値データを読み出す（ステップＳ２３６）。これにより、第１始動入賞の発生に対応して抽出された遊技用乱数が読み出される。このとき読み出された数値データは、例えばＲＡＭ１０２の変動用乱数バッファなどに格納されて、一時記憶されればよい。
【０１４４】
ステップＳ２３６の処理に続いて、例えば第１保留記憶数カウント値を１減算して更新することなどにより、第１特図保留記憶数を１減算させるように更新するとともに、第１特図保留記憶部における記憶内容をシフトさせる（ステップＳ２３７）。例えば、第１特図保留記憶部にて保留番号「１」より下位の記憶領域（保留番号「２」〜「４」に対応する記憶領域）に記憶された保留データを、１エントリずつ上位にシフトする。また、ステップＳ２３７の処理では、合計保留記憶数を１減算するように更新する。そして、変動特図指定バッファ値を「１」に更新する（ステップＳ２３８）。
【０１４５】
この実施の形態では、上記処理により第２特図ゲームは、第１特図ゲームよりも優先して実行される。
【０１４６】
ステップＳ２３４、Ｓ２３８の処理のいずれかを実行した後には、特別図柄の可変表示結果（特図ゲームの可変表示結果）である特図表示結果を、「大当り」と「ハズレ」のいずれかに決定する（ステップＳ２３９）。一例として、ステップＳ２３９の処理では、予めＲＯＭ１０１に用意された第１特図表示結果決定テーブル（確変フラグがオフで非確変状態のときに参照される）又は第２特図表示結果決定テーブル（確変状態のときに参照される）が用いられる。各特図表示結果決定テーブルでは、特図表示結果決定用の乱数値ＭＲ１と比較される数値（決定値）が、特図表示結果を「大当り」と「ハズレ」のいずれとするかの決定結果に、割り当てられていればよい。ＣＰＵ１０３は、変動用乱数バッファに読み出した特図表示結果決定用の乱数値ＭＲ１に基づいて、特図表示結果決定テーブルを参照することにより、特図表示結果を決定すればよい。なお、ＣＰＵ１０３は、確変状態のときには、確変状態でないときよりも高い決定割合で特図表示結果を「大当り」に決定する。
【０１４７】
ＣＰＵ１０３は、ステップＳ２３９の処理により決定された特図表示結果が「大当り」であるか否かを判定する（ステップＳ２４０）。特図表示結果が「大当り」に決定された場合には（ステップＳ２４０；Ｙｅｓ）、ＲＡＭ１０２に設けられた大当りフラグをオン状態にセットする（ステップＳ２４１）。
【０１４８】
その後、大当り種別を複数種類のいずれかに決定する（ステップＳ２４２）。一例として、ステップＳ２４２の処理では、予めＲＯＭ１０１に用意された大当り種別決定テーブルが用いられる。大当り種別決定テーブルでは、大当り種別決定用の乱数値ＭＲ２と比較される数値（決定値）が、大当り種別を「確変」、「非確変」のいずれとするかの決定結果に、割り当てられていればよい。ＣＰＵ１０３は、変動用乱数バッファに読み出した大当り種別決定用の乱数値ＭＲ２に基づいて、大当り種別決定テーブルを参照することにより、大当り種別を決定すればよい。
【０１４９】
その後、大当り種別を記憶させる。ＣＰＵ１０３は、ＲＡＭ１０２に設けられた大当り種別バッファに、大当り種別の決定結果を示すデータを格納することにより、大当り種別を記憶させる（ステップＳ２４３）。
【０１５０】
ステップＳ２４０にて特図表示結果が「大当り」ではない場合や（ステップＳ２４０；Ｎｏ）、ステップＳ２４３の処理を実行した後には、今回実行する特図ゲームの可変表示結果（特図表示結果）となる確定特別図柄を決定する（ステップＳ２４４）。一例として、大当りフラグがオフのときには、ハズレ図柄として予め定められた特別図柄を確定特別図柄に決定する。一方、大当りフラグがオンのときには、大当り種別バッファに記憶された大当り種別に応じて、複数種類の大当り図柄として予め定められた特別図柄のいずれかを確定特別図柄に決定する。
【０１５１】
ステップＳ２４４の処理を実行した後には、特図プロセスフラグの値を「１」に更新してから（ステップＳ２４５）、特別図柄通常処理を終了する。
【０１５２】
ステップＳ２３５にて第１特図ゲームの保留記憶数が「０」である場合には（ステップＳ２３５；Ｙｅｓ）、所定のデモ表示設定を行ってから（ステップＳ２４６）、特別図柄通常処理を終了する。所定のデモ表示設定は、演出制御基板１２側でデモ表示などを実行させるための設定である。
【０１５３】
ステップＳ１１１の変動パターン設定処理は、特図プロセスフラグの値が「１」のときに実行される。図９は、変動パターン設定処理の一例を示すフローチャートである。
【０１５４】
図９に示す変動パターン設定処理において、ＣＰＵ１０３は、まず、大当りフラグがオンであるか否かを判定する（ステップＳ２６１）。そして、大当りフラグがオンである場合には（ステップＳ２６１；Ｙｅｓ）、大当り時の変動パターンを決定する（ステップＳ２６２）。一方、大当りフラグがオフである場合には（ステップＳ２６１；Ｎｏ）、ハズレ時の変動パターンを決定する（ステップＳ２６３）。変動パターンは、特図ゲームや飾り図柄の可変表示の実行時間（特図変動時間）や、飾り図柄の可変表示のパターンを指定するものである。
【０１５５】
図１０は、この実施の形態で使用される変動パターンを示している。この実施の形態では、ハズレ時の変動パターンとして、ＰＡ１−１、ＰＡ２−１、ＰＡ３−２〜ＰＡ３−４がある。また、大当り時の変動パターンとして、ＰＢ３−２〜ＰＢ３−４がある。ＰＡ１−１、ＰＡ２−１は、非リーチを指定する。ＰＡ２−１は、特図変動時間（特図ゲームの実行期間）が通常（ＰＡ１−１）よりも短くなっている時短用（短縮有り）のパターンである。ＰＡ３−２、ＰＢ３−２は、ノーマルリーチの実行を指定し、ＰＡ３−３、ＰＢ３−３は、スーパーリーチＡの実行を指定し、ＰＡ３−４、ＰＢ３−４は、スーパーリーチＢの実行を指定する。
【０１５６】
スーパーリーチＢの実行を指定する変動パターンＰＡ３−４，ＰＢ３−４に基づく変動表示においては、擬似連の変動表示が実行された後に、リーチ状態となり、スーパーリーチＢのリーチ演出が実行される。擬似連とは、本来は１つの保留記憶に対応する１回の変動であるものの複数の保留記憶に対応する複数回の変動が連続して行なわれているように見せる演出表示である擬似連続変動を示す略語であり、１の始動入賞に対して、あたかも複数回の図柄の変動表示（可変表示）が実行されたかのように見せるために、１の始動入賞に対して決定された変動時間内にて、全部の図柄列（左，中，右）について仮停止と、再変動とを所定回数実行する特殊な変動パターン（変動表示パターンともいう）のことを指す。
【０１５７】
ステップＳ２６２の処理では、例えば、ＲＯＭ１０１に用意された大当り用変動パターン決定テーブルを用いて、大当り時の変動パターンが決定される。大当り用変動パターン決定テーブルでは、例えば図１０の決定割合を実現するように、変動パターン決定用の乱数値ＭＲ３と比較される数値（決定値）が、決定結果としての大当り時の各変動パターン（ＰＢ３−２〜ＰＢ３−４）に割り当てられていればよい。ＣＰＵ１０３は、変動用乱数バッファに読み出した変動パターン決定用の乱数値ＭＲ３を示す数値データに基づいて、大当り用変動パターン決定テーブルを参照することにより、大当り時の変動パターン（ＰＢ３−２〜ＰＢ３−４のいずれか）を決定すればよい。
【０１５８】
また、ステップＳ２６３の処理では、例えばＲＯＭ１０１に用意された第１ハズレ用変動パターン決定テーブル又は第２ハズレ用変動パターン決定テーブルを用いて、ハズレ時の変動パターンが決定される。第１ハズレ用変動パターン決定テーブルは時短状態でないときに用いられ、第２ハズレ用変動パターン決定テーブルは時短状態のときに用いられる。時短状態であるかは、時短フラグにより特定する。第１ハズレ変動パターン決定テーブルでは、図１１（Ａ）の決定割合を実現するように、変動パターン決定用の乱数値ＭＲ３と比較される数値（決定値）が、決定結果としてのハズレ時の変動パターン（ＰＡ１−１、ＰＡ３−２〜ＰＡ３−４）に割り当てられていればよい。第２ハズレ変動パターン決定テーブルでは、図１１（Ｂ）の決定割合を実現するように、変動パターン決定用の乱数値ＭＲ３と比較される数値（決定値）が、決定結果としてのハズレ時の変動パターン（ＰＡ２−１、ＰＡ３−２〜ＰＡ３−４）に割り当てられていればよい。ＣＰＵ１０３は、変動用乱数バッファに読み出した変動パターン決定用の乱数値ＭＲ３を示す数値データに基づいて、第１又は第２ハズレ変動パターン決定テーブルを参照することにより、ハズレ時の変動パターン（ＰＡ１−１、ＰＡ３−２〜ＰＡ３−４のいずれか、又は、ＰＡ２−１、ＰＡ３−２〜ＰＡ３−４のいずれか）を決定すればよい。
【０１５９】
図１１及び図１２を参照すると、変動パターンの決定割合は、ハズレ時は、ＰＡ１−１又はＰＡ２−１＞ＰＡ３−２＞ＰＡ３−３＞ＰＡ３−４の順で高い。大当り時は、ＰＢ３−４＞ＰＢ３−３＞ＰＢ３−２の順で高い。このため、スーパーリーチＢ＞スーパーリーチＡ＞ノーマルリーチの順で大当り期待度が高い。また、時短状態のときには、特図変動時間が短いＰＡ２−１が選択されるので、時短状態のときには、平均的な特図変動時間が非時短状態のときよりも短くなる。
【０１６０】
ステップＳ２６２、Ｓ２６３の処理のいずれかを実行した後には、今回決定した変動パターンに応じた特図変動時間を設定する（ステップＳ２６４）。例えば、特図変動時間に応じたタイマ初期値をＲＡＭ１０２の所定のタイマに設定する（これ以降、タイマ値が更新されることで、特図ゲーム実行開始からの経過時間が計測されることになる。）。
【０１６１】
ステップＳ２６４の処理に続いて、第１特図ゲームと第２特図ゲームとのうち、開始条件が成立したいずれかの特図ゲームを開始させるように、特別図柄の変動を開始させる（ステップＳ２６５）。一例として、変動特図指定バッファ値が「１」であれば、第１特図ゲームを実行するための駆動信号を第１特別図柄表示装置４Ａに送信する。一方、変動特図指定バッファ値が「２」であれば、第２特図ゲームを実行するための駆動信号を第２特別図柄表示装置４Ｂに送信する。
【０１６２】
ステップＳ２６５の処理を実行した後には、特図ゲームの実行開始時のコマンドとして変動開始時コマンド（上記決定結果などを指定する各種コマンド）の送信設定が行われる（ステップＳ２６６）。例えば、変動特図指定バッファ値が「１」である場合に、ＣＰＵ１０３は、変動パターン指定コマンド、表示結果指定コマンド、第１特図保留記憶数減算指定コマンドの送信設定を行う。他方、変動特図指定バッファ値が「２」である場合に、ＣＰＵ１０３は、変動パターン指定コマンド、表示結果指定コマンド、第２特図保留記憶数減算指定コマンドの送信設定を行う。
【０１６３】
ステップＳ２６６の処理を実行した後には、特図プロセスフラグの値を「２」に更新してから（ステップＳ２６７）、変動パターン設定処理を終了する。
【０１６４】
ステップＳ１１２の特別図柄変動処理は、特図プロセスフラグの値が「２」のときに実行される。例えば、ＣＰＵ１０３は、特図ゲームが開始してからの経過時間（上記所定のタイマなどによって測定すればよい。）が、上記で設定した特図変動時間に達したか（所定のタイマ値が０になったか）を判定し、達していないときには、第１特図ゲーム又は第２特図ゲームを実行するための駆動信号を第１特別図柄表示装置４Ａ又は第２特別図柄表示装置４Ｂに供給して特別図柄を変動させる処理を行ってから本処理を終了する。一方、特図変動時間に達したときには、可変表示結果の導出タイミングとなったので、所定の駆動信号を第１特別図柄表示装置４Ａ又は第２特別図柄表示装置４Ｂに供給し、上記で決定した今回の可変表示結果（大当りフラグや大当り種別バッファに記憶された大当り種別などで特定する。）の図柄（「ハズレ」のときは「−」、「確変大当り」のときは「７」、「非確変大当り」のときは「３」など）を停止表示（導出表示）させ、図柄確定指定コマンドの送信設定を行い、特図プロセスフラグの値を「３」に更新する。タイマ割り込みの発生毎にステップＳ１１２が繰り返し実行されることによって、特図ゲームの実行が実現される。
【０１６５】
ステップＳ１１３の特別図柄停止処理は、特図プロセスフラグの値が「３」のときに実行される。例えば、ＣＰＵ１０３は、今回の可変表示結果が「大当り」のとき（大当りフラグがオンのときなど）は、時短フラグ、確変フラグをオフにリセットなどする。その後、当り開始指定コマンドの送信設定を行い、特図プロセスフラグを「４」に更新して本処理を終了する。「ハズレ」（大当りフラグがオフのときなど）で時短状態のときは、時短状態において実行可能な所定回数の可変表示が実行されたかを判定し（例えば、カウンタなどによってカウントすればよい。）、所定回数の可変表示が実行されている場合には、時短フラグをオフにリセットし、特図プロセスフラグの値を「０」にするなどして本処理を終了する。「ハズレ」で時短状態でない、所定回数の可変表示が未実行の場合にも、特図プロセスフラグの値を「０」にするなどして本処理を終了する。
【０１６６】
ステップＳ１１４の大当り開放前処理は、特図プロセスフラグの値が「４」のときに実行される。例えば、当り開始指定コマンドの送信設定を行ってからの経過時間（ＲＡＭ１０２に設けられたタイマなどによって測定すればよい。他の経過時間についても同じ。）が、予め設定されているファンファーレ待ち時間（大当り遊技状態におけるファンファーレの開始から終了するまでの待ち時間）に達したかを判定し、達していなければ、大当り開放前処理を終了する。ファンファーレ待ち時間に達したときには、ラウンド遊技の開始のため、大入賞口を開放状態とする処理（ソレノイド駆動信号の供給）などを行い、特図プロセスフラグを「５」に更新する。タイマ割り込みの発生毎にステップＳ１１４が繰り返し行われることによって、ラウンド遊技の開始タイミングまでの待機（ファンファーレの終了までの待機）及び大入賞口の開放などが実現される。
【０１６７】
ステップＳ１１５の大当り開放中処理は、特図プロセスフラグの値が「５」のときに実行される。例えば、ＣＰＵ１０３は、ラウンド遊技を終了するタイミングになったかを判定する。カウントスイッチ２３がオンの回数（大入賞口に進入した遊技球の数）が所定値（例えば「９」）になったり（ＲＡＭ１０２に設けられたカウンタなどでカウントすればよい。）、ラウンド遊技を開始してから（大入賞口を開放状態としてから）の経過時間がラウンド遊技の上限期間（例えば、２９秒）に達したりして、ラウンド遊技を終了するタイミングとなったときには、大入賞口を閉鎖状態に戻してラウンド遊技を終了させる処理（ソレノイド８２をオフにする処理）などを行う。このとき、終了したラウンド遊技が、最後のラウンド遊技（例えば、１５ラウンド目）であるとき（ＲＡＭ１０２に設けられたカウンタなどでカウントすればよい。）、当り終了指定コマンドを送信する設定を行い、特図プロセスフラグの値を「７」に更新し、本処理を終了する。最後のラウンド遊技でないときは、特図プロセスフラグを「６」に更新し、本処理を終了する。現在がラウンド遊技を終了するタイミングでないときは、そのまま本処理を終了する（大入賞口を開放状態に維持する処理などを行ってもよい）。タイマ割り込みの発生毎にステップＳ１１５が繰り返し行われることによって、大入賞口を閉鎖状態に戻すタイミングまで大入賞口の開放状態が維持され、最後に大入賞口が閉鎖される。
【０１６８】
ステップＳ１１６の大当り開放後処理は、特図プロセスフラグの値が「６」のときに実行される。例えば、ＣＰＵ１０３は、ラウンド遊技が終了してから（大入賞口を閉鎖してから）の経過時間が、所定の閉鎖時間（ラウンド遊技のインターバル期間）に達したかを判定し、達していない場合には、閉鎖状態が維持され、本処理は終了する。所定の閉鎖時間に達したときには、ラウンド遊技の開始のため、大入賞口を開放状態とする処理などを実行し、特図プロセスフラグの値を「５」に更新し、本処理を終了する。
【０１６９】
ステップＳ１１４で大入賞口が開放されてからタイマ割り込みの発生ごとにＳ１１５、Ｓ１１６が繰り返し実行されることによって、各ラウンド遊技が実現される。
【０１７０】
ステップＳ１１７の大当り終了処理は、特図プロセスフラグの値が「７」のときに実行される。例えば、最後のラウンド遊技を終了してから（大入賞口を閉鎖してから）の経過時間が、予め定められたエンディング待ち時間（大当り遊技状態におけるエンディングの開始から終了するまでの待ち時間）に達したかを判定し、達していないときには、本処理を終了する。エンディング待ち時間に達したときには、エンディングが終了するので、今回の大当り種別（大当り種別バッファに記憶された大当り種別）が「確変」のときに時短フラグ及び確変フラグをオンにし、「非確変」のときに、時短フラグをオンにして、確変フラグをオフのままにする。そして、特図プロセスフラグの値を「０」に更新して本処理を終了する。
【０１７１】
（演出制御基板１２における主な動作）
演出制御基板１２において、演出制御用ＣＰＵ１２０は、Ｉ／Ｏ１２５の所定の入力ポートから演出制御コマンドを受信したときには、当該演出制御コマンドを受信コマンドとして例えばＲＡＭ１２２に設けられた演出制御コマンド受信用バッファに格納する。また、演出制御用ＣＰＵ１２０は、コマンド解析処理、演出制御プロセス処理、演出用乱数更新処理などを実行する。なお、これら処理は、ＣＴＣ（カウンタ／タイマ回路）などによるタイマ割り込みが発生するごと（例えば、１０ｍｓごと）に実行される。コマンド解析処理、演出制御プロセス処理などがタイマ割り込みごとに実行されることで、演出の実行が実現する。
【０１７２】
コマンド解析処理は、例えば演出制御コマンド受信用バッファに格納されている受信コマンドを読み出して解析し、解析結果に対応した設定や制御などを行う処理である。演出制御プロセス処理は、演出制御コマンドに応じて演出を実行する処理である。演出用乱数更新処理は、演出制御に用いる演出用乱数値をソフトウェアにより更新する。
【０１７３】
（コマンド解析処理）
コマンド解析処理では、演出制御コマンド受信用バッファに格納されている受信コマンド（演出制御基板１２が受信した演出制御コマンド）を解析し（例えば、ＭＯＤＥデータを確認する）、当該受信コマンドがどの演出制御コマンドであるかを特定し、特定した演出制御コマンドに応じた処理を行う。受信コマンドが複数の場合には、それぞれのコマンドについてコマンド解析処理を行う。
【０１７４】
図１３に、コマンド解析処理による解析によって特定された演出制御コマンドと、その演出制御コマンドに対応してコマンド解析処理にて行われる処理内容と、の関係を示す。なお、図中における各フラグ、各格納領域、第１始動入賞時コマンドバッファ、第２始動入賞時コマンドバッファは、ＲＡＭ１２２に設けられる。また、フラグについて「セット」とは、当該フラグをオン状態にすることである。なお、各フラグの状態や各格納領域に格納されたコマンドは、適宜のタイミングでリセットや消去されるようにすればよい。なお、第１始動入賞時コマンドバッファ、第２始動入賞時コマンドバッファを、始動入賞時コマンドバッファと総称することがある。
【０１７５】
図１４（Ａ）のように、第１始動入賞時コマンドバッファには、バッファ番号となる保留表示番号（第１保留表示番号）に対応して、第１始動入賞指定コマンド、第１特図保留記憶数加算指定コマンド、第１先読み時判定結果指定コマンド、および、変動パターン種別指定コマンドからなる１セットのコマンド（第１始動入賞時に主基板１１から送信させてくる第１始動入賞時コマンド）を格納する格納領域が設けられている。図１４（Ｂ）のように、第２についても同様である。
【０１７６】
さらに、第１始動入賞時コマンドバッファ、第２始動入賞時コマンドバッファそれぞれには、各保留表示番号に対応して、後述の保留・アクティブ変化パターン（対応画像の表示色の変遷のパターン（保留・アクティブ変化演出の実行の有無なども特定可能となっている））（図１７〜図２０）を格納する格納領域が設けられている。
【０１７７】
なお、図１４の始動入賞時コマンドバッファにおいて、「００００（Ｈ）」は、コマンドが格納されていないことを示し、保留・アクティブ変化パターンの欄の「−」は、保留・アクティブ変化パターンが格納されていないことを示す。
【０１７８】
第１始動入賞時コマンドは、第１特図ゲームの保留の発生に対応して主基板１１から送信されるので、当該第１特図ゲームの保留の発生時（第１始動入賞発生時）には、第１始動入賞時コマンドバッファに格納される第１始動入賞時コマンドが１つ増える。また、詳しくは後述するが、第１特図ゲームの実行時には、第１特図保留記憶部の保留データと同様に、第１保留表示番号「２」〜「４」に対応して記憶されている第１始動入賞時コマンド及び保留・アクティブ変化パターンがそれぞれ上位の番号の第１保留表示番号「１」〜「３」にシフトする（後述のステップＳ３２２参照）。従って、第１始動入賞時コマンドバッファの保留表示番号と第１特図保留記憶部の保留番号とは同じ番号同士が対応し、同じ番号に対応して記憶される第１始動入賞時コマンド、保留・アクティブ変化パターン、保留データは、同じ第１特図ゲーム（飾り図柄の可変表示）に関するものとなっている。従って、第１始動入賞時コマンドバッファに格納されている第１始動入賞時コマンドの数は、第１特図保留記憶数に対応することになる。なお、このようなことは、第２特図ゲームについても同様である。
【０１７９】
さらに、第１始動入賞時コマンドバッファ及び第２始動入賞時コマンドバッファにおける各保留表示番号は、対応画像（保留表示画像）の各表示位置にも対応する。具体的には、各第１保留表示番号は、表示エリア５ＨＲに設けられている第１保留表示画像の各表示位置に対応する（例えば、第１保留表示番号「１」は表示エリア５ＨＲにおける最も左の表示位置に対応し、第１保留表示番号「４」は表示エリア５ＨＲにおける最も右の表示位置に対応する）。各第２保留表示番号は、表示エリア５ＨＬに設けられている第２保留表示画像の各表示位置に対応する（例えば、第２保留表示番号「１」は表示エリア５ＨＬにおける最も右の表示位置に対応し、第２保留表示番号「４」は表示エリア５ＨＬにおける最も左の表示位置に対応する）。つまり、保留表示画像も、特図ゲームの実行に伴ってシフトする始動入賞時コマンド及び保留・アクティブ変化パターンとともに、特図ゲーム（飾り図柄の可変表示）の実行に伴ってその表示位置がシフトすることになる。
【０１８０】
このようなことにより、（１）ある表示位置の第１保留表示画像（対応画像）と、（２）その表示位置に対応する第１保留表示番号に対応して第１始動入賞時コマンドバッファに格納されている第１始動入賞時コマンド及び保留・アクティブ変化パターンと、（３）当該第１保留表示番号と同じ番号の保留番号に対応して第１特図保留記憶部に格納されている保留データと、（４）当該保留データによって実行される第１特図ゲーム（飾り図柄の可変表示でもある）と、のそれぞれは互いに対応関係にあることになる。なお、このようなことは、第２特図ゲームについても同様である。
【０１８１】
なお、ＲＡＭ１２２には、第１保留表示番号それぞれに対応した各フラグが設けられ、新たに第１始動入賞時コマンドを格納したとき（１セットの３つのコマンドのうち最後に送信されてくる第１先読み判定結果指定コマンドを格納したとき）には、当該第１始動入賞時コマンドを格納した格納領域に対応する第１保留表示番号に対応するフラグをオン状態とする。同様に、ＲＡＭ１２２には、第２保留表示番号それぞれに対応した各フラグが設けられ、新たに第２始動入賞時コマンドを格納したとき（１セットの３つのコマンドのうち最後に送信されてくる第２先読み判定結果指定コマンドを格納したとき）には、当該第２始動入賞時コマンドを格納した格納領域に対応する第２保留表示番号に対応するフラグをオン状態とする。このようにすることで、フラグの状態をチェックすることで、新たに受信した始動入賞時コマンドの格納先（保留表示番号など）を確認できる。なお、上記各フラグを、受信確認フラグということがある。
【０１８２】
（演出制御プロセス処理）
演出制御用ＣＰＵ１２０は、演出制御プロセス処理において、各種演出の実行を開始するための開始設定（演出の開始設定）、開始設定した演出を実行する演出動作制御などを行う。なお、以下で説明する各フラグ、各タイマ、各カウンタなどは、ＲＡＭ１２２に設けられる。
【０１８３】
演出の開始設定は、例えば、演出を実行するための演出制御パターンをＲＡＭ１２２に使用パターンとしてセットし、かつ、セットした演出制御パターンに応じた初期値をプロセスタイマに設定することを含む。プロセスタイマのタイマ値は、初期値の設定後、タイマ割り込みの発生毎の所定タイミング（演出制御プロセス処理開始時、演出動作制御時など）において減算される（これにより、演出制御パターンで実行される演出の経過時間を特定できる）。演出制御パターンは、各種演出（飾り図柄の可変表示を含む。）を実行するためのデータの集まりであって、プロセスタイマのタイマ値と比較されるプロセスタイマ判定値と、当該判定値に対応付けられた演出制御実行データ（表示制御データ、音声制御データ、点灯制御データなど）や終了コードなどを含んだプロセスデータから構成されている。演出制御パターンを構成するデータは、ＲＯＭ１２１に格納されている。
【０１８４】
演出動作制御は、演出の開始設定でセットした演出制御パターンに基づいて演出の実行する制御である。例えば、プロセスタイマの現在のタイマ値に合致するプロセスタイマ判定値に対応する演出制御実行データのうちの、表示制御データに従った表示制御指令を表示制御部１２３に伝送して画像表示装置５に画像を表示させたり、音声制御データに従った効果音信号を音声制御基板１３に伝送してスピーカ８Ｌ、８Ｒから音声を出力させたり、点灯制御データに従った電飾信号をランプ制御基板１４に伝送して遊技効果ランプ９を点灯／消灯させたりして各種演出を実行する制御を行う。タイマ割り込みの発生毎に演出動作制御が繰り返し行われることで、演出制御パターンで規定された各種の演出の実行が実現される。
【０１８５】
図１５は、演出制御プロセス処理の一例を示すフローチャートである。演出制御プロセス処理において、先読み処理（ステップＳ１６０）を実行した後、演出プロセスフラグの値に応じてステップＳ１７０〜ステップＳ１７５のうちのいずれかの処理を行う。各処理において、以下のような処理を実行する。
【０１８６】
図１６は、図１５のステップＳ１６０にて実行される先読み処理（先読み予告としての保留・アクティブ変化演出の実行の有無などを決定する処理）の一例を示すフローチャートである。
【０１８７】
演出制御用ＣＰＵ１２０は、第１始動入賞時コマンド又は第２始動入賞時コマンドの新たな受信があったかを判定する（ステップＳ６００）。新たな受信があったかは、例えば、上記受信確認フラグ（始動入賞時コマンドバッファの保留表示番号それぞれに対応したフラグであって、始動入賞時コマンドの受信時にオンになるフラグ）の状態を確認すればよい。なお、当該受信フラグは、先読み処理の終了時など、適宜のタイミングでオフにリセットされればよい。
【０１８８】
始動入賞時コマンドの新たな受信がある場合（いずれかの受信確認フラグがオンのとき）は（ステップＳ６００；Ｙｅｓ）、下記のステップＳ６０２〜Ｓ６０５の処理を実行する。なお、新たに受信した始動入賞時コマンドが複数ある場合、それぞれの始動入賞時コマンドについて、ステップＳ６０２〜Ｓ６０５を受信順にまとめて行うとよい。
【０１８９】
以下、ステップＳ６０２〜Ｓ６０５の処理の対象となる、新たに受信した始動入賞時コマンド（新たに保留された特図ゲームに対応するコマンド）を処理対象の始動入賞時コマンドなどということがある。また、ここでは、処理対象の始動入賞時コマンドに対応する特図ゲームや飾り図柄の可変表示（新たに保留された特図ゲームや飾り図柄の可変表示）を便宜上ターゲットということがある。なお、特図ゲームや飾り図柄の可変表示を総称して、単に可変表示ということがある。また、ここでは、当該ターゲットに対応する対応画像（後述のステップＳ６０５で追加されることになる対応画像）を便宜上ターゲット画像ということがある。なお、ターゲットとは、基本的には、保留変化演出やアクティブ変化演出の対象（先読みの対象）となる可変表示をいい、ターゲット画像とは、基本的には、ターゲットの可変表示に対応する対応画像（保留表示画像やアクティブ表示画像）をいう。
【０１９０】
ステップＳ６０２では、演出制御用ＣＰＵ１２０は、保留・アクティブ変化演出の実行が現在禁止されているかを判定する。例えば、処理対象の始動入賞時コマンド（第１始動入賞時コマンド又は第２始動入賞時コマンド）に含まれる先読み判定結果指定コマンド（第１先読み判定結果指定コマンド又は第２先読み判定結果指定コマンド）が「判定無し」を指定している場合（ＥＸＴデータが「００」のとき）には、保留・アクティブ変化演出の実行が現在禁止されていると判定する。また、処理対象の始動入賞時コマンド（今回のターゲット）の保留表示番号以外の保留表示番号に対応して保留変化演出やアクティブ変化演出を実行しないＱＡ０−０（詳しくは後述）以外の保留・アクティブ変化パターンが格納されているなどして、すでに保留・アクティブ変化演出の実行が決定されている場合に、保留・アクティブ変化演出の実行が現在禁止されていると判定してもよい。この場合、１つの対応画像について保留・アクティブ変化演出が実行されるときには、他の対応画像について保留・アクティブ変化演出の実行は禁止される。また、処理対象の始動入賞時コマンドの保留表示番号以外の保留表示番号に対応して格納されている先読み判定結果指定コマンドが「大当り判定」を指定している場合に、保留・アクティブ変化演出の実行が現在禁止されていると判定してもよい。保留・アクティブ変化演出の実行をどのような場合に禁止するかは適宜設定されればよい。
【０１９１】
保留・アクティブ変化演出の実行が現在禁止されていない場合（ステップＳ６０２；Ｎｏ）、今回のターゲットについての保留・アクティブ変化パターンを決定する（ステップＳ６０２）（詳細は後述）。保留・アクティブ変化演出の実行が現在禁止されている場合（ステップＳ６０２；Ｙｅｓ）、保留・アクティブ変化パターンをＱＡ０−０に決定する（ステップＳ６０４）。ステップＳ６０３、Ｓ６０４のあとは、ステップＳ６０３、Ｓ６０４で決定した保留・アクティブ変化パターンを、始動入賞時コマンドバッファにおける、処理対象の始動入賞時コマンドの保留表示番号に対応した格納領域に格納するとともに、今回のターゲットに対応する対応画像を保留表示画像として追加表示する処理を行う（ステップＳ６０５）。具体的には、演出制御用ＣＰＵ１２０は、保留表示画像の追加の指令（処理対象の始動入賞時コマンドの保留表示番号に対応する表示位置に保留表示画像を表示させることを開始する指令）を、表示制御部１２３（ＶＤＰなど）に供給する。表示制御部１２３は、当該指令に基づいて、新たな保留表示画像（初期の表示色（白色）の対応画像）を追加表示する処理を開始する（以降、対応画像は、表示制御部１２３により表示制御される。）。
【０１９２】
ここで、保留・アクティブ変化パターンを説明する。保留・アクティブ変化パターンは、対応画像の表示色の変遷や保留・アクティブ変化演出の実行の有無などを指定するパターンである。図１７〜図２０に、保留・アクティブ変化パターンと、各パターンのステップＳ７０２での決定割合と、を例示する。
【０１９３】
図１７〜図２０に示す保留・アクティブ変化パターンは、対象の対応画像（ステップＳ６０５にて始動入賞時コマンドバッファに保留・アクティブ変化パターンが格納されたときの当該パターンに対応する対応画像）が保留表示画像として保留表示番号「３」、「２」、「１」に対応する表示位置にシフトして表示されているとき（ステップＳ６０５で始動入賞時コマンドバッファに格納される保留・アクティブ変化パターンが保留表示番号「３」、「２」、「１」にシフトしたとき）に実行される可変表示（特図ゲームや飾り図柄の可変表示）の実行中や、当該対象の対応画像に対応する可変表示の実行中（当該対象の対応画像がアクティブ表示画像として表示されているとき）における、当該対象の対応画像の色及び色の変化のパターンを示す（保留表示番号「３」、「２」、「１」の欄やアクティブの欄を参照）。なお、当該パターンにおいて、保留変化演出やアクティブ変化演出の実行の有無も特定できる。図中、「→」が含まれる欄は、そのときに実行される可変表示にて、保留変化演出やアクティブ変化演出を実行することを示す（「→」前後で色が異なるときには成功（表示色の変化あり）、同じのときには失敗（ガセ）となる）。「−」（ハイフン）は、ターゲット画像の表示が想定されていないこと、ターゲット画像が白色（初期の色）で表示開始されることなどを示す。保留・アクティブ変化パターンの情報は、例えば、ＲＯＭ１２１に用意されている。
【０１９４】
ステップＳ７０２で決定可能な保留・アクティブ変化パターンは、処理対象の始動入賞時コマンドが今回格納された保留表示番号に応じて異なる。なお、保留・アクティブ変化パターンＱＡ０−０は、全てにおいて決定可能である。
【０１９５】
保留・アクティブ変化パターンＱＡ０−０は、対象の対応画像の表示開始から終了までで、保留変化演出やアクティブ変化演出を実行せず、当該対象の対応画像の表示色を変化させないパターンである。
【０１９６】
保留表示番号が「１」である場合には、保留・アクティブ変化パターンＱＡ０−０の他、保留・アクティブ変化パターンＱＡ１−１〜ＱＡ１−４が決定可能である（図１７参照）。ＱＡ１−１〜ＱＡ１−４は、対象の対応画像がアクティブ表示画像のときの可変表示中においてアクティブ変化演出が実行され得るパターンである。例えば、ＱＡ１−１は、ターゲット画像がアクティブ表示画像のとき（ターゲットの可変表示の実行中）に、ターゲット画像の表示色を白色から変化させない失敗（ガセ）のアクティブ変化演出を実行するパターンである。
【０１９７】
保留表示番号が「２」である場合には、保留・アクティブ変化パターンＱＡ０−０の他、保留・アクティブ変化パターンＱＡ２−１〜ＱＡ２−７が決定可能である（図１８参照）。ＱＡ２−１〜ＱＡ２−７は、対象の対応画像が保留表示番号「１」の表示位置に表示されているときの可変表示中や、対象の対応画像がアクティブ表示画像のときの可変表示中において、保留変化演出やアクティブ変化演出が実行され得るパターンである。例えば、保留・アクティブ変化パターンＱＡ２−７は、ターゲット画像が保留表示番号「１」の表示位置に表示されているときの可変表示の実行中にターゲット画像の表示色を白色から青色に変化させる成功の保留変化演出と、ターゲット画像がアクティブ表示画像のときに、ターゲット画像の表示色を青色から金色に変化させる成功のアクティブ変化演出を実行するパターンである。
【０１９８】
保留表示番号が「３」である場合には、保留・アクティブ変化パターンＱＡ０−０の他、保留・アクティブ変化パターンＱＡ３−１〜ＱＡ３−１３が決定可能である（図１９参照）。ＱＡ３−１〜ＱＡ３−１３は、対象の対応画像が保留表示番号「２」、「１」の表示位置に表示されているときの可変表示中や、対象の対応画像がアクティブ表示画像のときの可変表示中において、保留変化演出やアクティブ変化演出が実行され得るパターンである。例えば、保留・アクティブ変化パターンＱＡ３−１３は、ターゲット画像が保留表示番号「２」の表示位置に表示されているときの可変表示の実行中にターゲット画像の表示色を白色から緑色に変化させる成功の保留変化演出を実行し、ターゲット画像が保留表示番号「１」の表示位置に表示されているときの可変表示の実行中に保留変化演出を実行せず、ターゲット画像がアクティブ表示画像のときに、ターゲット画像の表示色を緑色から金色に変化させる成功のアクティブ変化演出を実行するパターンである。
【０１９９】
保留表示番号が「４」である場合には、保留・アクティブ変化パターンＱＡ０−０の他、保留・アクティブ変化パターンＱＡ４−１〜ＱＡ４−１３が決定可能である（図２０参照）。ＱＡ４−１〜ＱＡ４−１３は、対象の対応画像が保留表示番号「３」、「２」、「１」の表示位置に表示されているときの可変表示中や、対象の対応画像がアクティブ表示画像のときの可変表示中において、保留変化演出やアクティブ変化演出が実行され得るパターンである。例えば、保留・アクティブ変化パターンＱＡ４−１０は、ターゲット画像が保留表示番号「３」の表示位置に表示されているときの可変表示中にターゲット画像の表示色を白色から緑色に変化させる成功の保留変化演出を実行し、ターゲット画像が保留表示番号「２」及び「１」の表示位置に表示されているときの可変表示中に保留変化演出を実行せず、ターゲット画像がアクティブ表示画像のときに、ターゲット画像の表示色を緑色から変化させない失敗（ガセ）のアクティブ変化演出を実行するパターンである。
【０２００】
ステップＳ６０３では、図１７〜図２０に示すような決定割合で保留・アクティブ変化パターンをどのパターンにするかを決定する。なお、当該決定割合は、処理対象の始動入賞時コマンドに含まれる先読み判定結果指定コマンドが「大当り判定」を指定している場合（ＥＸＴデータが「０２」のとき）と、「ハズレ判定」を指定している場合（ＥＸＴデータが「０１」のとき）とで、異なっている。
【０２０１】
例えば、ステップＳ６０３では、処理対象の始動入賞時コマンドに対応する保留表示番号が「１」のときに、第１−１又は第１−２保留・アクティブ変化パターン決定テーブルが参照され、保留表示番号が「２」のときに、第２−１又は第２−２保留・アクティブ変化パターン決定テーブルが参照され、保留表示番号が「３」のときに、第３−１又は第３−２保留・アクティブ変化パターン決定テーブルが参照され、保留表示番号が「４」のときに、第４−１又は第４−２保留・アクティブ変化パターン決定テーブルが参照される。これら各テーブルは、予めＲＯＭ１２１に用意される。なお、処理対象の始動入賞時コマンドに含まれる先読み判定結果指定コマンドが「大当り判定」を指定している場合、第１−１保留・アクティブ変化パターン決定テーブル、第２−１保留・アクティブ変化パターン決定テーブル、第３−１保留・アクティブ変化パターン決定テーブル、第４−１保留・アクティブ変化パターン決定テーブルのいずれかを参照し、「ハズレ判定」を指定している場合、第１−２保留・アクティブ変化パターン決定テーブル、第２−２保留・アクティブ変化パターン決定テーブル、第３−２保留・アクティブ変化パターン決定テーブル、第４−２保留・アクティブ変化パターン決定テーブルのいずれかを参照する。上記各テーブルでは、乱数値と比較される数値（決定値）が各保留・アクティブ変化パターンに割り当てられていればよい（図１７〜図２０の決定割合を実現するように割り当てられていればよい）。演出制御用ＣＰＵ１２０は、乱数回路１２４または演出用ランダムカウンタ（演出用乱数更新処理で値が更新される。）などにより更新される演出実行決定用の乱数値を抽出し、抽出した乱数値に基づいて上記保留・アクティブ変化パターン決定テーブルを参照することにより、保留・アクティブ変化パターンを決定すればよい。
【０２０２】
図１７〜図２０の決定割合に示すように、この実施の形態では、対応画像の最終色（アクティブ表示画像として表示されているときの最後の表示色（アクティブ変化演出が実行されるときには、当該演出による変化後の表示色））が、金色のときが最もターゲットの可変表示の大当り期待度が高く、緑色がその次に高く、青色がその次に高く、白色が最も低い。大当り判定のときの決定割合が、金色＞緑色＞青色＞白色の順で高く、ハズレ判定のときの決定割合は、その逆となっているからである。なお、この決定割合は、同じ最終色について複数のパターンがあるときにはその合計割合である。例えば、図１８で大当り判定時の、緑が最終色となる決定割合は、１０／１００（ＱＡ２−５）＋１０／１００（ＱＡ２−６）＝２０／１００となる。なお、ガセの保留変化演出やアクティブ変化演出が実行されたときの大当り期待度は、当該ガセの演出が実行されないときと略同じにするとよい。
【０２０３】
なお、この実施の形態では、ターゲット画像（追加表示される対応画像）の表示開始時に実行されている可変表示中には、当該ターゲット画像の表示色は変化せず（保留変化演出は実行されず）、次変動から保留変化演出（場合によっては、アクティブ変化演出）が実行される。
【０２０４】
上記ステップＳ６０４では、保留・アクティブ変化演出を実行しないため、保留・アクティブ変化パターンとして、保留・アクティブ変化演出を実行しないパターンＱＡ０−０を今回のパターンとして決定している。
【０２０５】
図１６に戻って、始動入賞時コマンドの新たな受信がない（ステップＳ６００；Ｎｏ）と判定した場合、および、ステップＳ６０５の後、演出制御用ＣＰＵ１２０は、図２１（Ａ）で示すテーブルを用いて、図１４のコマンドバッファに記憶された変動パターン種別指定コマンドで示される変動パターン種別に応じてストックゾーン演出を実行するか否かを決定する（ステップＳ６１１）。ストックゾーン演出とは、可変表示中に実行可能な複数種類の予告演出のうちから１つまたは複数の予告演出が実行される場合に、予告演出が実行されるよりも前の所定タイミングにおいて、実行される予告演出の種類（の組合せ）を報知する演出である。具体的には、ストックゾーン演出は、それぞれ異なる複数種類の予告演出にそれぞれ対応する複数種類のキャラクタのうち、ストックするキャラクタの種類（の組合せ）を或るタイミングで報知することで、実行される予告演出の種類（の組合せ）を報知する演出である。
【０２０６】
図２１は、ストックゾーン演出実行決定テーブルおよびストックゾーン演出待機中表示開始決定テーブルの一例を示す図である。図２１（Ａ）を参照して、ストックゾーン演出実行決定テーブルを用いて、変動パターン種別の判定結果がスーパーリーチであるか否かに応じて、所定の割合で、ストックゾーン演出の実行／不実行が決定される。このテーブルに基づくと、大当り遊技状態となる期待度が高いスーパーリーチの変動パターンの方が、それ以外の変動パターンである場合よりも高い割合でストックゾーン演出を実行すると決定される。本実施の形態においては、スーパーリーチの変動パターン以外である場合、ストックゾーン演出を実行すると決定されない。
【０２０７】
図１６に戻って、演出制御用ＣＰＵ１２０は、ステップＳ６１１でストックゾーン演出を実行すると決定されたか否かを判断する（ステップＳ６１２）。実行すると決定された（ステップＳ６１２でＹＥＳ）と判断した場合、演出制御用ＣＰＵ１２０は、図２１（Ｂ）で示すテーブルを用いて、大当り判定の結果に応じてストックゾーン演出の待機中の表示（後述の図４０（Ｅ）の待機中表示７１）を開始するか否かを決定する（ステップＳ６１３）。
【０２０８】
図２１（Ｂ）を参照して、ストックゾーン演出待機中表示開始決定テーブルを用いて、大当り判定の結果に応じて、所定の割合で、待機中の表示を開始するか開始を保留するかが決定される。
【０２０９】
図１６に戻って、演出制御用ＣＰＵ１２０は、待機中の表示を開始すると決定されたか否かを判断する（ステップＳ６１４）。開始すると決定された（ステップＳ６１４でＹＥＳ）と判断した場合、演出制御用ＣＰＵ１２０は、ストックゾーン演出が実行されることを示唆する待機中の表示（図４０（Ｄ），（Ｅ）参照）を開始する（ステップＳ６１５）。
【０２１０】
ストックゾーン演出を実行すると決定されていない（ステップＳ６１２でＮＯ）と判断した場合、待機中の表示を開始すると決定されていない（ステップＳ６１４でＮＯ）と判断した場合、および、ステップＳ６１５の後、この処理を終了し、実行する処理を呼出元に戻す。
【０２１１】
図１５の演出制御プロセス処理におけるステップＳ１７０の可変表示開始待ち処理は、演出プロセスフラグが「０」のときに実行される。可変表示開始待ち処理において、演出制御用ＣＰＵ１２０は、変動開始時コマンド（変動パターン指定コマンド、表示結果指定コマンド、第１又は第２特図保留記憶数減算指定コマンド）を受信しているかを判定する。変動開始時コマンドの受信がない場合には、デモを実行するための処理などを適宜行い、本処理を終了する。変動開始時コマンドの受信がある場合には、飾り図柄の可変表示を開始するので、演出プロセスフラグを「１」に更新して、可変表示開始待ち処理を終了する。
【０２１２】
演出制御プロセス処理におけるステップＳ１７１の可変表示開始設定処理は、実行される特図ゲームに同期して実行される飾り図柄の可変表示を開始するための処理であり、演出プロセスフラグが「１」のときに実行される。図２２は、ステップＳ１７１にて実行される処理の一例を示すフローチャートである。
【０２１３】
可変表示開始設定処理において、演出制御用ＣＰＵ１２０は、まず、飾り図柄の可変表示結果としての確定飾り図柄となる最終停止図柄などを決定する（ステップＳ３２１）。ステップＳ３２１の処理として、演出制御用ＣＰＵ１２０は、主基板１１から伝送された表示結果指定コマンドで示された今回の可変表示結果（表示結果指定コマンド格納領域に格納されている。）に基づいて、最終停止図柄を決定する。最終停止図柄は、表示結果指定コマンドで指定された可変表示結果に応じて予め定められていればよい。なお、確定飾り図柄は、予め定められた確定飾り図柄の候補（可変表示結果に応じた候補）からランダムに決定してもよい。
【０２１４】
演出制御用ＣＰＵ１２０は、ステップＳ３２１のあと、始動入賞時コマンドバッファの記憶内容をシフトさせる（ステップＳ３２２）。
【０２１５】
具体的には、今回実行される飾り図柄の可変表示が第１特図ゲームであれば（例えば、変動パターン指定コマンド（変動パターン指定コマンド格納領域に格納されている。）の内容から特定できる、また、今回第１特図保留記憶数減算指定コマンドを受信したときに第１特図ゲームと特定できる。）、第１始動入賞時のコマンドバッファに格納されたデータのうち、第１保留表示番号「１」に対応する始動入賞時コマンドと保留・アクティブ変化パターンと、をＲＡＭ１２２の所定領域に格納するとともに、第１保留表示番号「２」〜「４」に対応して格納されている始動入賞時コマンド及び保留・アクティブ変化パターンを、それぞれ、１つ上位の第１保留表示番号「１」〜「３」に対応する格納領域にシフトさせる。
【０２１６】
同様に、今回実行される飾り図柄の可変表示が第２特図ゲームであれば（例えば、変動パターン指定コマンド（変動パターン指定コマンド格納領域に格納されている。）の内容から特定できる、また、今回第２特図保留記憶数減算指定コマンドを受信したときに第２特図ゲームと特定できる。）、第２始動入賞時のコマンドバッファに格納されたデータのうち、第２保留表示番号「１」に対応する始動入賞時コマンドと、保留・アクティブ変化パターンと、をＲＡＭ１２２の所定領域に格納するとともに、第２保留表示番号「２」〜「４」に対応して格納されている始動入賞時コマンド及び保留・アクティブ変化パターンを、それぞれ、１つ上位の第２保留表示番号「１」〜「３」に対応する格納領域にシフトさせる。
【０２１７】
ステップＳ３２２に続いて、演出制御用ＣＰＵ１２０は、図２３に例示されている演出決定処理を実行する（ステップＳ３２４）。
【０２１８】
図２３は、演出決定処理の一例を示すフローチャートである。図２３を参照して、演出決定処理では、まず、演出制御用ＣＰＵ１２０は、ストックゾーン演出の実行が既に決定されているか否かを判断する（ステップＳ７４１）。決定されていない（ステップＳ７４１でＮＯ）と判断した場合、演出制御用ＣＰＵ１２０は、図１６のステップＳ６１１と同様に、現在の可変表示の開始時のタイミングでも、ストックゾーン演出を実行するか否かを決定する（ステップＳ７４２）。
【０２１９】
ストックゾーン演出の実行が既に決定されている（ステップＳ７４１でＹＥＳ）と判断した場合、演出制御用ＣＰＵ１２０は、待機中の表示を既に開始しているか否かを判断する（ステップＳ７４４）。開始していない（ステップＳ７４４でＮＯ）と判断した場合、および、可変表示の開始時のタイミングでストックゾーン演出を実行すると決定した（ステップＳ７４３でＹＥＳ）と判断した場合、演出制御用ＣＰＵ１２０は、ストックゾーン演出が実行されることを示唆する待機中の表示（図４０（Ｄ），（Ｅ）参照）を開始する（ステップＳ７４５）。
【０２２０】
待機中の表示を既に開始している（ステップＳ７４４でＹＥＳ）と判断した場合、および、ステップＳ７４５の後、演出制御用ＣＰＵ１２０は、図２４で示すテーブルを用いて、大当りの決定結果に応じて、ストックゾーン演出で報知する予告演出の種類および実行態様、ならびに、ストックゾーン演出の開始タイミングを決定する（ステップＳ７４６）。その後、演出制御用ＣＰＵ１２０は、実行する処理をこの処理の呼出元に戻す。
【０２２１】
図２４は、ストックゾーン演出態様決定テーブルの一例を示す図である。図２４を参照して、ストックゾーン演出態様決定テーブルを用いて、当該可変表示に対する大当りの決定結果（大当り，はずれ）、および、当該可変表示における保留表示またはアクティブ表示の変化態様（複数段階，１段階，変化無し）に応じて、所定の割合で、ストックゾーン演出の態様および開始タイミングが決定される。
【０２２２】
このテーブルは、以下のように決定されるように構成されている。ストックゾーン演出でのキャラクタの組合せによって大当りの期待度が異なる。ここでは、組合せの数が多いほど期待度が高い。ストックゾーン演出の実行タイミング（ここでは開始タイミング）によって大当りの期待度が異なる。ここでは、報知演出の開始タイミングが遅いほど大当りの期待度が高い。
【０２２３】
また、ストックゾーン演出の待機中の表示が、大当り判定の結果に応じて始動入賞時または可変表示開始時から開始され、大当り期待度に応じたストックゾーン演出の開始タイミングまで行なわれるので、待機中の表示の表示期間に応じても大当りの期待度が異なる。
【０２２４】
なお、ここでは大当りの決定結果に応じてストックゾーン演出のキャラクタの組合せおよび開始タイミングを決定するようにしているが、これに替えて、大当りの決定結果とともにまたは大当りの決定結果に替えて、キャラクタの組合せに応じて開始タイミングを決定するようにしてもよい。
【０２２５】
キャラクタＡが決定された場合は、予告演出として保留表示またはアクティブ表示の変化演出（保留／アクティブ変化演出）が実行される。このキャラクタＡに対応する保留／アクティブ変化演出としては、前述した保留変化演出およびアクティブ変化演出を適用することができる。事前に変化無しと決定されている場合は、キャラクタＡは選択されない。変化が１段階と決定されている場合は、変化が２回であることを示すキャラクタＡは選択されない。
【０２２６】
キャラクタＢが決定された場合は、予告演出として激熱演出βが実行される。激熱演出は、飾り図柄の可変表示中に実行される演出であって、遊技者にとって有利な状態（たとえば大当り遊技状態）となる期待度が他の通常の演出と比較して非常に高い演出（たとえば、大当り期待度が６０％以上の演出）である。
【０２２７】
キャラクタＣが決定された場合は、予告演出としてタイマ演出が実行された後、タイマ後演出として激熱演出αまたはβが実行される。タイマ演出は、所定のタイマ後演出が実行されるまでのタイミングをタイマ表示で示す演出である。このキャラクタＣに対応するタイマ演出としては、後述する図４７〜図５０で示すタイマ演出を適用することができる。
【０２２８】
キャラクタＢとキャラクタＣとを含む組合せが決定された場合、キャラクタＢに対応する予告演出として激熱演出βが実行されるので、激熱演出βが重複しないようにするため、対応する予告演出が激熱演出βであるキャラクタＣは決定ないようにされ、対応する予告演出が激熱演出αであるキャラクタＣが決定可能なようにされる。
【０２２９】
なお、重複する予告演出に対応するキャラクタが決定された場合に、事後的に、一方の予告演出を他の予告演出に変更する処理（禁則処理）を実行するようにしてもよい。
【０２３０】
図２３に戻って、ストックゾーン演出を実行すると決定されていない（ステップＳ７４３でＮＯ）と判断した場合、演出制御用ＣＰＵ１２０は、図２５で示すテーブルを用いて、大当りの決定結果に応じて、ストックゾーン演出のキャラクタ演出のキャラクタによって報知されることなく単独で激熱演出を実行するか否かを決定する（ステップＳ７５０）。
【０２３１】
図２５は、単独激熱演出決定テーブルの一例を示す図である。図２５を参照して、単独激熱演出決定テーブルを用いて、当該可変表示に対する大当りの決定結果（大当り，はずれ）に応じて、所定の割合で、激熱演出を実行するか否か、および、実行する場合、激熱演出の種類が決定される。このように、激熱演出は、ストックゾーン演出のキャラクタに対応して実行されるときと、単独で実行されるときとで、大当りの期待度が異なるように決定される。
【０２３２】
図２３に戻って、演出制御用ＣＰＵ１２０は、今回の可変表示にて、成功又は失敗（ガセ）の保留変化演出やアクティブ変化演出を実行するか及び成功の演出を実行する場合の表示色の変化の態様を決定する（ステップＳ７５１）。
【０２３３】
例えば、演出制御用ＣＰＵ１２０は、前記所定領域及び記憶内容をシフトさせた方の始動入賞時コマンドバッファそれぞれの記憶内容をチェックし、保留・アクティブ変化パターンの内容及び格納先をチェックする。そして、例えば、保留・アクティブ変化パターンの格納先（第１又は第２保留表示番号「１」〜「３」、前記所定領域のいずれか）と、保留・アクティブ変化パターンが指定するその格納先での内容（図１７〜図２０における保留表示番号「１」〜「３」、「アクティブ」（格納先が所定領域のとき）の欄参照）と、に基づいて保留変化演出又はアクティブ変化演出を実行するかなどを決定する。なお、保留・アクティブ変化パターンが複数の場合には、それぞれの保留・アクティブ変化パターンについて、処理を行うとよい（異なるターゲット画像について複数の保留・アクティブ変化演出が実行される場合、それぞれの実行タイミングをずらすとよい。）。
【０２３４】
例えば、前記の所定領域に格納されている保留・アクティブ変化パターンが、ターゲット画像（そのパターンの対象となる対応画像）がアクティブ表示画像のときの可変表示中（ターゲットの可変表示中）においてアクティブ変化演出を実行するパターン（ＱＡ１−１〜ＱＡ１−４、ＱＡ２−１、ＱＡ２−３、ＱＡ２−５〜ＱＡ２−７など、図１７〜図２０に示す保留・アクティブ変化パターンのうちの「アクティブ」の欄が「→」を含むパターン）であるときには、アクティブ変化演出を実行すると決定する（上記のようなパターンが所定領域に格納されていない場合には、当該演出を実行しないと決定する）。このとき、当該保留・アクティブ変化パターンの「アクティブ」の欄の内容でのアクティブ変化演出を実行すると決定する。例えば、「アクティブ」の欄の「→」の前後で色が変化していない保留・アクティブ変化パターン（ＱＡ１−１など）が所定領域に格納されているときには、失敗（ガセ）のアクティブ変化演出を実行すると決定する。例えば、「アクティブ」の欄の「→」の前後で色が変化している保留・アクティブ変化パターン（ＱＡ１−２〜ＱＡ１−４など）が所定領域に格納されているときには、その色の変化を行わせる成功のアクティブ変化演出（ＱＡ１−４であれば、白色（現在の色）から金色に変化させる成功の演出）を実行すると決定する。
【０２３５】
前記の保留表示番号「１」（第１保留表示番号「１」と第２保留表示番号「１」とのうち、上記でチェックした方）に格納されている保留・アクティブ変化パターンが、ターゲット画像（そのパターンの対象となる対応画像）が保留表示番号「１」の表示位置に表示されているとき（当該保留・アクティブ変化パターンが保留表示番号「１」にシフトしているとき）の可変表示中において保留変化演出を実行するパターン（ＱＡ２−２、ＱＡ２−４、ＱＡ２−６、ＱＡ２−７など、図１７〜図２０に示す保留・アクティブ変化パターンのうちの保留表示番号「１」の欄が「→」を含むパターン）であるときには、当該保留表示番号「１」に対応する表示位置に表示された対応画像をターゲット画像とする保留変化演出を実行すると決定する（上記のようなパターンが所定領域に格納されていない場合には、当該演出を実行しないと決定する）。このとき、当該保留・アクティブ変化パターンのうちの保留表示番号「１」の欄の内容での保留変化演出を実行すると決定する。例えば、保留表示番号「１」の欄の「→」の前後で色が変化していない保留・アクティブ変化パターン（ＱＡ２−２など）が前記の保留表示番号「１」に対応して格納されているに格納されているときには、失敗（ガセ）の保留変化演出を実行すると決定する。例えば、保留表示番号「１」の欄の「→」の前後で色が変化している保留・アクティブ変化パターン（ＱＡ２−６〜ＱＡ２−７など）が保留表示番号「１」に対応して格納されているときには、その色の変化を行わせる成功の保留変化演出（ＱＡ２−６であれば、白色（現在の色）から青色に変化させる成功の演出）を実行すると決定する。このようなことは、前記の保留表示番号「２」や「３」に対応して格納されている保留・アクティブ変化パターンについても同様であり、上記と同様にして（なお、例えば、保留表示番号「１」の欄は、保留表示番号「２」や「３」の欄に置き換えて考える。）、保留変化演出の実行の有無などを決定する。
【０２３６】
ステップＳ７５１のあと、ステップＳ７５１でアクティブ変化演出を実行すると決定したかを判定し（ステップＳ７５２）、実行すると決定した場合には（ステップＳ７５２；Ｙｅｓ）、今回の飾り図柄の可変表示の変動パターン（今回受信した変動パターン指定コマンドにより特定できる。）がスーパーリーチの実行を指定する変動パターン（ＰＡ３−３〜ＰＡ３−４、ＰＢ３−３〜ＰＢ３−４）であるかを判定する（ステップ７５４）。
【０２３７】
スーパーリーチの実行を指定する変動パターンのときには（ステップＳ７５４；Ｙｅｓ）、アクティブ変化演出の実行タイミングを決定する（ステップＳ７５５）。例えば、予めＲＯＭ１２１に用意された第１又は第２アクティブ変化演出実行タイミング決定テーブルが用いられる。第１アクティブ変化演出実行タイミング決定テーブルは、今回の飾り図柄の可変表示の変動パターンがスーパーリーチＡの実行を指定しているときに参照され、第２アクティブ変化演出実行タイミング決定テーブルは、今回の飾り図柄の可変表示の変動パターンがスーパーリーチＢの実行を指定しているときに参照される。上記各テーブルでは、乱数値と比較される数値（決定値）が決定結果としての実行タイミング（「スーパーリーチ前」又は「スーパーリーチ中」）に割り当てられていればよい（図２６の決定割合を実現するように割り当てられていればよい）。演出制御用ＣＰＵ１２０は、乱数回路１２４または演出用ランダムカウンタ（演出用乱数更新処理で値が更新される。）などにより更新されるアクティブ変化演出実行タイミング決定用の乱数値を抽出し、抽出した乱数値に基づいて上記各テーブルのいずれかを参照することにより、アクティブ変化演出の実行タイミングを決定する。なお、この実施の形態では、スーパーリーチ前とスーパーリーチ中とで、アクティブ変化演出の態様が異なり（図３３、図３４）、スーパーリーチ前に実行されるアクティブ変化演出を第１演出といい、スーパーリーチ中に実行されるアクティブ変化演出を第２演出という。図２６に示すように、この実施の形態では、スーパーリーチの種類に応じて、アクティブ変化演出の実行タイミングの決定割合が異なっている（スーパーリーチＢの方が、スーパーリーチ中にアクティブ変化演出が実行されやすい）。
【０２３８】
アクティブ変化演出を実行しない場合（保留変化演出を実行する場合と実行しない場合を含む）（ステップＳ７５２；Ｎｏ）、スーパーリーチの実行を指定する変動パターンでない場合（ステップＳ７５４；Ｎｏ）、および、ステップＳ７５５の後、演出制御用ＣＰＵ１２０は、作用演出の態様を決定し（ステップＳ７５６）、役物演出の態様を決定する（ステップＳ７５７）。その後、本処理は終了する。
【０２３９】
作用演出は、何らかの作用物が保留表示画像またはアクティブ表示画像に作用することで、それらの画像が変化するか否かを示唆する演出であり、たとえば、図３１（Ｂ）で示すブーメラン５Ｂによる作用演出や図３２で示すキャラクタＣＨＲ−Ａなどのキャラクタによる作用演出である。役物演出は、役物２００などの可動物を動作させる演出であり、たとえば、図３２で示すように、役物２００が移動する演出である。
【０２４０】
図２７は、作用演出決定テーブルの一例を示す図である。図２７を参照して、この作用演出決定テーブルは、図２３のステップＳ７５６で作用演出の態様を決定するときに用いられる。
【０２４１】
たとえば、演出制御用ＣＰＵ１２０は、ステップＳ７５１において保留変化演出を実行しないと決定した場合、作用演出の態様として、２５／１００の割合で不実行、２５／１００の割合でブーメラン５Ｂが作用する態様、２０／１００の割合でキャラクタＣＨＲ−Ｂが保留表示画像の左から作用する態様、１５／１００の割合でキャラクタＣＨＲ−Ｂが保留表示画像の右から作用する態様、１０／１００の割合でキャラクタＣＨＲ−Ａが保留表示画像の左から作用する態様、５／１００の割合でキャラクタＣＨＲ−Ａが保留表示画像の右から作用する態様を決定する。
【０２４２】
また、演出制御用ＣＰＵ１２０は、ステップＳ７５１において保留変化演出を実行すると決定した場合、作用演出の態様として、５／１００の割合で不実行、１０／１００の割合でブーメラン５Ｂが作用する態様、１５／１００の割合でキャラクタＣＨＲ−Ｂが保留表示画像の左から作用する態様、２０／１００の割合でキャラクタＣＨＲ−Ｂが保留表示画像の右から作用する態様、２５／１００の割合でキャラクタＣＨＲ−Ａが保留表示画像の左から作用する態様、２５／１００の割合でキャラクタＣＨＲ−Ａが保留表示画像の右から作用する態様を決定する。
【０２４３】
右から作用する態様では、キャラクタＣＨＲ−Ａ，ＣＨＲ−Ｂは、後述する図３２（Ｂ）で示すように、画像表示装置５の右下の方からキャラクタＣＨＲ−Ａ，ＣＨＲ−Ｂが登場する。左から作用する態様では、キャラクタＣＨＲ−Ａ，ＣＨＲ−Ｂは、画像表示装置５の左下の方からキャラクタＣＨＲ−Ａ，ＣＨＲ−Ｂが登場する。
【０２４４】
このように、キャラクタＣＨＲ−Ａ，ＣＨＲ−Ｂによる作用演出の開始位置が複数種類あるが、図２７のテーブルを用いて、保留表示画像が変化するか否かに応じて異なる割合で開始位置が決定されるので、保留表示画像が変化するか否かの期待度が、開始位置に応じて異なることとなる。
【０２４５】
図２８は、役物演出決定テーブルの一例を示す図である。図２８を参照して、この役物演出決定テーブルは、図２３のステップＳ７５７で役物演出の態様を決定するときに用いられる。
【０２４６】
たとえば、演出制御用ＣＰＵ１２０は、ステップＳ７５６においてキャラクタが作用する作用演出を実行しない（たとえば、作用演出を不実行とする、ブーメラン５Ｂが作用する作用演出を実行する）と決定した場合、役物演出の態様として、５０／１００の割合で不実行、３０／１００の割合で、長時間のパターンで１回動作する態様、２０／１００の割合で、短時間のパターンで、１回、動作する態様を決定する。
【０２４７】
また、演出制御用ＣＰＵ１２０は、ステップＳ７５６においてキャラクタが作用する作用演出を実行する（たとえば、キャラクタＣＨＲ−Ａ，ＣＨＲ−Ｂが左または右から作用する作用演出を実行する）と決定し、かつ、これから実行する変動表示の変動パターンが擬似連の変動パターンでない場合、役物演出の態様として、５０／１００の割合で、不実行、５０／１００の割合で、短時間のパターンで、１回、動作する態様を決定する。
【０２４８】
このように、キャラクタが作用する作用演出が実行される場合には、役物演出のパターンとして長時間のパターンは選択されないようにする。これにより、後述する図３５のタイミングチャートで示すように、キャラクタが保留表示画像に作用する演出を役物２００がキャラクタに被っていない状態で実行することができる。
【０２４９】
また、演出制御用ＣＰＵ１２０は、ステップＳ７５６においてキャラクタが作用する作用演出を実行する（たとえば、キャラクタＣＨＲ−Ａ，ＣＨＲ−Ｂが左または右から作用する作用演出を実行する）と決定し、かつ、これから実行する変動表示の変動パターンが擬似連の変動パターン（図１０で示したスーパーリーチＢの変動パターンＰＡ３−４，ＰＢ３−４）である場合、役物演出の態様として、５０／１００の割合で、不実行、５０／１００の割合で、複数回、動作する態様を決定する。
【０２５０】
図２２に戻り、ステップＳ３２４のあとには、ステップＳ３２４の決定結果と、表示結果指定コマンドや変動パターン指定コマンドで指定される変動パターンや可変表示結果などと、を反映した演出（可変表示の飾り図柄、保留変化演出、アクティブ変化演出、リーチ演出などを含む）の開始設定（演出制御パターンのセット、変動パターンが指定する特図変動時間に応じたタイマ初期値のプロセスタイマへのセットなど）を行う（ステップＳ３２６）。なお、ここで、最初の演出動作制御も行ってもよい。
【０２５１】
その後、保留表示画像やアクティブ表示画像の表示の更新設定を実行する（ステップＳ３２８）。具体的には、演出制御用ＣＰＵ１２０は、今回実行される特図ゲームが第１特図ゲームのときには、第１保留表示画像として表示されている対応画像のうち、最も右の表示位置の対応画像をアクティブ表示画像として表示させるように移動させるとともに、残りの対応画像の表示位置を右にシフトさせる指令（表示色は維持、以下移動及びシフトについて同じ）を表示制御部１２３（ＶＤＰ等）に供給する。演出制御用ＣＰＵ１２０は、今回実行される特図ゲームが第２特図ゲームのときには、第１保留表示画像として表示されている対応画像のうち、最も左の表示位置の対応画像をアクティブ表示画像として表示させるように移動させるとともに、残りの対応画像の表示位置を左にシフトさせる指令を表示制御部１２３（ＶＤＰ等）に供給する。表示制御部１２３は、当該指令に基づいて、保留表示画像やアクティブ表示画像の表示を更新させる。
【０２５２】
ステップＳ３２８のあとは、演出プロセスフラグを「２」に更新して（ステップＳ３２９）、本処理を終了する。
【０２５３】
図１５の演出制御プロセス処理におけるステップＳ１７２の可変表示中演出処理は、演出プロセスフラグが「２」のときに実行される。図２９は、可変表示中演出処理の一例を示すフローチャートである。
【０２５４】
可変表示中演出処理では、まず、例えばプロセスタイマのタイマ値（ステップＳ３２６で設定されたタイマ値）などに基づいて、今回の変動パターンに対応した可変表示時間（特図変動時間）が経過したか否かを判定する（ステップＳ３４１）。一例として、ステップＳ３４１の処理では、前記プロセスタイマのタイマ値を更新（例えば１減算）し（演出制御プロセス処理の最初で更新されてもよい。）、更新後の演出制御プロセスタイマ値に対応して演出制御パターンから終了コードが読み出されたときなどに、可変表示時間が経過したと判定すればよい。
【０２５５】
ステップＳ３４１にて可変表示時間が経過していない場合には（ステップＳ３４１；Ｎｏ）、現在がリーチ演出を実行するためのリーチ演出期間であるか否かを判定する（ステップＳ３４２）。リーチ演出期間は、例えばセットされた演出制御パターンにおいて予め定められていればよい（例えば、前記プロセスタイマのタイマ値と演出制御パターンとの比較によって特定すればよい。以下同じ）。ステップＳ３４２にてリーチ演出期間であると判定されたときには（ステップＳ３４２；Ｙｅｓ）、現在がスーパーリーチの開始タイミングであるか否かを判定する（ステップＳ３４３）。当該期間は、例えばセットされた演出制御パターンにおいて予め定められていればよい。
【０２５６】
スーパーリーチの開始タイミングの場合（ステップＳ３４３；Ｙｅｓ）、スーパーリーチ中、全ての対応画像（つまり、保留表示画像及びアクティブ表示画像）を非表示にする指令を表示制御部１２３（ＶＤＰ等）に供給する（ステップＳ３４４）。この指令を受けて、表示制御部は、スーパーリーチの期間中は、保留表示画像及びアクティブ表示画像を非表示とする（図３４など参照）。なお、非表示の期間に、保留の発生による保留表示画像の追加表示の指令があっても、追加される保留表示画像としての対応画像は見た目上表示されず、例えば、内部の制御上で追加表示された扱いをするとよい（スーパーリーチ終了時には、新たな保留表示画像が追加された状態で各対応画像が再表示される。）。
【０２５７】
ステップＳ３４４のあと、スーパーリーチの期間でない場合（ステップＳ３４３；Ｎｏ）、リーチ演出を実行するための演出動作制御が行われる（ステップＳ３４５）。
【０２５８】
ステップＳ３４５のあと、および、リーチ演出期間でないとき（ステップＳ３４２；Ｎｏ）は、演出制御用ＣＰＵ１２０は、ストックゾーン演出の実行が決定されているか否かを判断する（ステップＳ３４５Ａ）。決定されていない（ステップＳ３４５ＡでＮＯ）と判断した場合、演出制御用ＣＰＵ１２０は、後述の図３０で示す保留変化演出処理を実行する（ステップＳ３４６）。
【０２５９】
図３０は、保留変化演出処理の一例を示すフローチャートである。図３０を参照して、演出制御用ＣＰＵ１２０は、ブーメラン５Ｂによる作用演出の実行が有るか否かを判断する（ステップＳ８１１）。図２３のステップＳ７５６で作用演出の態様としてブーメラン５Ｂが作用する態様が決定された場合、作用演出の実行が有ると判断される。
【０２６０】
ブーメラン５Ｂによる作用演出の実行が有る（ステップＳ８１１でＹＥＳ）と判断した場合、演出制御用ＣＰＵ１２０は、ブーメラン５Ｂによる作用演出の開始タイミングであるか否かを判断する（ステップＳ８１２）。当該作用演出が開始されるタイミングは、飾り図柄の変動時間に対して予め定められたタイミングである。
【０２６１】
作用演出の開始タイミングである（ステップＳ８１２でＹＥＳ）と判断した場合、演出制御用ＣＰＵ１２０は、保留表示画像へのブーメラン５Ｂの作用演出を開始させる（ステップＳ８１３）。
【０２６２】
演出制御用ＣＰＵ１２０は、キャラクタＣＨＲ−Ａ，ＣＨＲ−Ｂによる作用演出の実行が有るか否かを判断する（ステップＳ８１４）。図２３のステップＳ７５６で作用演出の態様としてキャラクタＣＨＲ−Ａ，ＣＨＲ−Ｂが作用する態様が決定された場合、作用演出の実行が有ると判断される。
【０２６３】
キャラクタＣＨＲ−Ａ，ＣＨＲ−Ｂによる作用演出の実行が有る（ステップＳ８１４でＹＥＳ）と判断した場合、演出制御用ＣＰＵ１２０は、キャラクタＣＨＲ−Ａ，ＣＨＲ−Ｂによる作用演出の前半の開始タイミングであるか否かを判断する（ステップＳ８１５）。当該作用演出の前半が開始されるタイミングは、飾り図柄の変動時間に対して予め定められたタイミングである。
【０２６４】
作用演出の前半の開始タイミングである（ステップＳ８１５でＹＥＳ）と判断した場合、演出制御用ＣＰＵ１２０は、役物２００が移動してきたとしても被らない位置に、図２３のステップＳ７５６で決定されたキャラクタを表示させる。キャラクタは、作用演出の後半が開始されるまで、役物２００が移動してきたとしても被らない位置に表示される。キャラクタは、役物２００が被らなければ、多少、動かしてもよいし、位置を多少、移動させてもよい。
【０２６５】
作用演出の前半の開始タイミングでない（ステップＳ８１５でＮＯ）と判断した場合、演出制御用ＣＰＵ１２０は、キャラクタＣＨＲ−Ａ，ＣＨＲ−Ｂによる作用演出の後半の開始タイミングであるか否かを判断する（ステップＳ８１７）。当該作用演出の後半が開始されるタイミングは、飾り図柄の変動時間に対して予め定められたタイミングである。
【０２６６】
作用演出の後半の開始タイミングである（ステップＳ８１７でＹＥＳ）と判断した場合、演出制御用ＣＰＵ１２０は、役物２００が待機位置に戻っているか否かを判断する（ステップＳ８１８）。役物２００が待機位置である（ステップＳ８１８でＹＥＳ）と判断した場合、演出制御用ＣＰＵ１２０は、保留表示画像へのキャラクタＣＨＲ−Ａ，ＣＨＲ−Ｂの作用を開始させる（ステップＳ８１９）。
【０２６７】
演出制御用ＣＰＵ１２０は、役物演出の実行が有るか否かを判断する（ステップＳ８２１）。図２３のステップＳ７５７で役物演出の実行が決定された場合、役物演出の実行が有ると判断される。
【０２６８】
役物演出の実行が有る（ステップＳ８２１）と判断した場合、演出制御用ＣＰＵ１２０は、役物演出の開始タイミングであるか否かを判断する（ステップＳ８２２）。当該役物演出が開始されるタイミングは、飾り図柄の変動時間に対して予め定められたタイミングである。
【０２６９】
役物演出の開始タイミングである（ステップＳ８２２でＹＥＳ）と判断した場合、演出制御用ＣＰＵ１２０は、図２３のステップＳ７５７で決定された態様での役物２００の動作を開始させる（ステップＳ８２３）。
【０２７０】
演出制御用ＣＰＵ１２０は、保留変化演出の実行が有るか否かを判断する（ステップＳ８２４）。図２３のステップＳ７５１において保留変化演出の実行が決定された場合、保留変化演出の実行が有ると判断される。
【０２７１】
保留変化演出の実行が有る（ステップＳ８２４）と判断した場合、演出制御用ＣＰＵ１２０は、保留変化演出のタイミングであるか否かを判断する（ステップＳ８２５）。当該保留変化演出のタイミングは、飾り図柄の変動時間に対して予め定められたタイミングである。
【０２７２】
保留変化演出のタイミングである（ステップＳ８２５でＹＥＳ）と判断した場合、演出制御用ＣＰＵ１２０は、図２３のステップＳ７５１において対象（ターゲット）と決定された保留表示画像を、決定された態様に変化させる（ステップＳ８２６）。その後、演出制御用ＣＰＵ１２０は、実行する処理をこの処理の呼出元に戻す。
【０２７３】
図２９に戻って、ステップＳ３４６の後、演出制御用ＣＰＵ１２０は、図２３のステップＳ７５０で激熱演出（単独）の実行が決定されているか否かを判断する（ステップＳ３４６Ａ）。決定されている（ステップＳ３４６ＡでＹＥＳ）と判断した場合、演出制御用ＣＰＵ１２０は、その実行タイミングであるか否かを判断する（ステップＳ３４６Ｂ）。実行タイミングである（ステップＳ３４６ＢでＹＥＳ）と判断した場合、演出制御用ＣＰＵ１２０は、激熱演出の実行を開始する（ステップＳ３４６Ｃ）。
【０２７４】
ストックゾーン演出の実行が決定されている（ステップＳ３４５Ａ）と判断した場合、演出制御用ＣＰＵ１２０は、後述する図３９で示すストックゾーン演出処理を実行する（ステップＳ３４７）。
【０２７５】
激熱演出（単独）の実行が決定されていない（ステップＳ３４６ＡでＮＯ）と判断した場合、その実行タイミングでない（ステップＳ３４６ＢでＮＯ）と判断した場合、ステップＳ３４６の後、および、ステップＳ３４７の後、演出制御用ＣＰＵ１２０は、現在がアクティブ変化演出の実行期間であるかを判定する（ステップＳ３４８）。当該期間は、例えばセットされた演出制御パターンにおいて予め定められていればよい。実行期間であると判定されたときには（ステップＳ３４８；Ｙｅｓ）、今回のアクティブ変化演出が第２演出であるかを判定し（ステップＳ３４９）、第２演出である場合には（ステップＳ３４９；Ｙｅｓ）、現在がアクティブ変化演出（第２演出）の実行開始タイミングであるかを判定する（ステップＳ３５０）。実行されるアクティブ変化演出が第２演出であることやその実行開始タイミングは、例えばセットされた演出制御パターンにおいて予め定められていればよい。
【０２７６】
アクティブ変化演出（第２演出）の実行開始タイミングである場合（ステップＳ３５０；Ｙｅｓ）、ターゲット画像であるアクティブ表示画像（対応画像）を通常とは異なる位置に表示する指令を表示制御部１２３（ＶＤＰ等）に供給する（ステップＳ３５１）。この指令を受けて、表示制御部１２３は、スーパーリーチの期間中は、アクティブ表示画像を表示エリア５ＨＡとは異なる位置（画面左下隅）に再表示する（図３４（Ｃ）参照）。
【０２７７】
ステップＳ３５１のあと、アクティブ変化演出（第２演出）の実行開始タイミングでない場合（ステップＳ３５０；Ｎｏ）、第２演出としてのアクティブ変化演出を実行するための演出動作制御が行われる（ステップＳ３５２）。なお、成功のアクティブ変化演出（第２演出）では、演出終了の際にターゲットの対応画像（アクティブ表示画像）の表示色を変化させる（表示制御部１２３（ＶＤＰ等）に対して表示色を変化させる指令を行うなど）。変化後の表示色は、例えば、演出制御パターンで規定されている。
【０２７８】
ステップＳ３５２のあとは、アクティブ変化演出（第２演出）の実行終了タイミングであるかを判定する（ステップＳ３５３）。当該タイミングは、例えばセットされた演出制御パターンにおいて予め定められていればよい。実行終了タイミングのときは（ステップＳ３５３；Ｙｅｓ）、今回実行したアクティブ変化演出（第２演出）がガセ（失敗）であるかを判定し（ステップＳ３５４）、ガセの場合には（ステップＳ３５４；Ｙｅｓ）、ステップＳ３５１で再表示開始したターゲット画像であるアクティブ表示画像（対応画像）を再度非表示とする指令を表示制御部１２３（ＶＤＰ等）に供給する（ステップＳ３５５）。この指令を受けて、表示制御部１２３は、当該アクティブ表示画像を再度非表示にする（図３４（Ｅ）〜（Ｆ）参照）。ガセでない場合には（ステップＳ３５４；Ｎｏ）、ステップＳ３５１で再表示開始したターゲット画像であるアクティブ表示画像（対応画像）の表示を継続する指令を表示制御部１２３（ＶＤＰ等）に供給する（ステップＳ３５６）。この指令を受けて、表示制御部１２３は、当該アクティブ表示画像をスーパーリーチ終了まで表示継続する（図３４（Ｄ）など参照）。演出制御用ＣＰＵ１２０は、スーパーリーチ終了時（例えば、ステップＳ３４５）に、表示継続しているアクティブ表示画像（ターゲット画像）を非表示にする指令を表示制御部１２３（ＶＤＰ等）に供給してもよい。
【０２７９】
今回のアクティブ変化演出が第１演出である場合には（ステップＳ３４９；Ｎｏ）、第１演出としてのアクティブ変化演出を実行するための演出動作制御が行われる（ステップＳ３５７）。なお、成功のアクティブ変化演出（第１演出）では、演出終了の際にターゲットの対応画像（アクティブ表示画像）の表示色を変化させる（表示制御部１２３（ＶＤＰ等）に対して表示色を変化させる指令を行うなど）。変化後の表示色は、例えば、演出制御パターンで規定されている。
【０２８０】
ステップＳ３５５〜Ｓ３５７、現在がアクティブ変化演出の実行期間でない場合（ステップＳ３４８；Ｎｏ）、第２演出の実行終了タイミングでない場合（ステップＳ３５３；Ｎｏ）には、飾り図柄の可変表示などの可変表示中におけるその他の演出を実行するための演出動作制御が行われ（ステップＳ３４７）、可変表示中演出処理を終了する。なお、ステップＳ３４７では、演出制御用ＣＰＵ１２０は、スーパーリーチ終了後の所定タイミングに対応画像（保留表示画像やアクティブ表示画像）の再表示（表示位置は、スーパーリーチ前と一緒）を行う制御（表示制御部１２３（ＶＤＰ等）に対して対応画像を再表示させる指令を行うなど）も行う。なお、成功のアクティブ変化演出（第２演出）により、アクティブ表示画像の表示が継続されているときには、演出制御用ＣＰＵ１２０は、スーパーリーチ終了時に、当該アクティブ表示画像を一旦非表示とする制御（表示制御部１２３（ＶＤＰ等）に対してアクティブ表示画像を非表示とする指令を行うなど）を行い、スーパーリーチ終了後の所定タイミングに、対応画像（保留表示画像やアクティブ表示画像）の再表示（表示位置は、スーパーリーチ前と一緒）を行う制御（表示制御部１２３（ＶＤＰ等）に対して対応画像を再表示させる指令を行うなど）も行う。
【０２８１】
ステップＳ３４１にて可変表示時間が経過した場合には（ステップＳ３４１；Ｙｅｓ）、図柄確定指定コマンドの受信があったか否かを判定する（ステップＳ３６１）。このとき、図柄確定指定コマンドの受信がなければ（ステップＳ３６１；Ｎｏ）、可変表示中演出処理を終了して待機する。
【０２８２】
ステップＳ３６１にて図柄確定指定コマンドの受信があった場合には（ステップＳ３６１；Ｙｅｓ）、例えば表示制御部１２３（ＶＤＰ等）に対して所定の表示制御指令を伝送させることといった、飾り図柄の可変表示において表示結果となる最終停止図柄（確定飾り図柄）を導出表示させる制御（表示制御部１２３（ＶＤＰ等）に対してアクティブ表示画像を非表示にさせる指令も適宜行うとよい。）を行う（ステップＳ３６２）。このときには、当り開始指定コマンド受信待ち時間として予め定められた一定時間を設定する（ステップＳ３６３）。また、演出プロセスフラグの値を「３」に更新してから（ステップＳ３６４）、可変表示中演出処理を終了する。
【０２８３】
図１５のステップＳ１７３の特図当り待ち処理は、演出プロセスフラグの値が「３」のときに実行される処理である。演出制御用ＣＰＵ１２０は、最終停止図柄を導出表示させてからの現在の経過時間（所定のタイマで計測すればよい）が、予め設定されている当り開始指定コマンド受信待ち時間に達したかを判定し、達していないときに、当り開始指定コマンドの受信があった場合、大当り中演出（大当り遊技状態中に実行されるファンファーレ開始からエンディングの前までの演出）の開始設定（演出制御パターンのセットなど）を行う。その後、演出プロセスフラグの値を「４」に更新し、本処理を終了する。当り開始指定コマンド受信待ち時間に達しておらず、当り開始指定コマンドの受信もない場合は、そのまま本処理を終了する。現在の経過時間が当り開始指定コマンド受信待ち時間に達している場合、特図ゲームの可変表示結果が「ハズレ」と判断して、演出プロセスフラグの値を「０」に更新し、本処理を終了する。
【０２８４】
ステップＳ１７４の当り中処理は、演出プロセスフラグの値が「４」のときに実行される処理である。例えば、演出制御用ＣＰＵ１２０は、大当り中演出を実行する演出動作制御を行う。そして、当り終了指定コマンドを受信している場合には、各ラウンド遊技が全て終了したことになるので、エンディング演出の開始設定（演出制御パターンのセットなど）を行い、演出プロセスフラグの値を「５」に更新して当り中処理を終了する。当り終了指定コマンドを受信していない場合には、各ラウンド遊技が全て終了していないので、そのまま本処理を終了する。
【０２８５】
ステップＳ１７５のエンディング処理は、演出プロセスフラグの値が「５」のときに実行される処理であり、大当り遊技状態終了時のエンディングを実行するための処理である。演出制御用ＣＰＵ１２０は、現在がエンディングの終了タイミングであるかを判定する。終了タイミングは、演出制御パターンにて規定されていればよい。終了タイミングでなければ、エンディングの演出動作制御を行って本処理を終了する。現在が終了タイミングであるときには、演出プロセスフラグの値を「０」に更新し、本処理を終了する。
【０２８６】
（演出画面例）
次に、上記一連の処理によって実現する演出画面例を図３１〜図３４を参照して説明する。なお、図中、飾り図柄表示エリア５Ｌ、５Ｃ、５Ｒにおいて描かれている下向き矢印は、飾り図柄が変動中であることを示す。
【０２８７】
（保留変化演出）
保留変化演出は、全ての飾り図柄の変動中（リーチ前）に実行される（図３１参照）。なお、図３１では、第１保留表示画像として２つの対応画像Ｈ１、Ｈ２と、アクティブ表示画像として対応画像Ａが表示されている（図３１（Ａ）など）。対応画像Ｈ１は、保留変化演出の対象、つまり、ターゲットの対応画像（ターゲット画像Ｔ）でもある。なお、対応画像Ａは、表示エリア５ＨＡに表示されるが、この実施の形態では、当該表示エリア５ＨＡは、背景画像などの他の表示画像の表示領域と区切られた四角の領域等になっている（表示エリア５ＨＡの境界が認識可能となるように、表示エリア５ＨＡは区画されて表示されている）（以下、他の図においても同じ）。
【０２８８】
保留変化演出では、ブーメラン５Ｂが対応画像Ｈ１（ターゲット画像Ｔ）に向かって移動して接触（作用）する作用演出が実行される（図３１（Ｂ））。その後、保留変化演出が成功の場合には、当該保留変化演出の演出結果として、対応画像Ｈ１（ターゲット画像Ｔ）の表示色が変化し（図３１（Ｃ））、保留変化演出がガセ（失敗）の場合には、当該保留変化演出の演出結果として、対応画像Ｈ１（ターゲット画像Ｔ）の表示色が変化しない（図３１（Ｄ））。
【０２８９】
（キャラクタによる作用演出後の保留変化演出）
図３２は、キャラクタによる作用演出後の保留変化演出の演出画面例である。図３１では、キャラクタＣＨＲ−Ａ，ＣＨＲ−Ｂとは異なるブーメラン５Ｂが保留表示画像に作用する場合について示した。図３２では、図３１と異なり、キャラクタＣＨＲ−Ａ，ＣＨＲ−Ｂが保留表示画像に作用する場合について示す。
【０２９０】
図３２を参照して、図３２（Ａ）は、図３１（Ａ）と同様である。図３２（Ｂ）は、キャラクタによる作用演出の前半の開始タイミングを示す。このように、キャラクタＣＨＲ−Ａが、役物２００が移動してきたとしても被らない位置に表示される。
【０２９１】
図３２（Ｃ）は、役物２００による役物演出の実行中を示す。このように、役物２００が、ターゲットの保留表示画像が表示されている表示エリア５ＨＬの少なくとも一部に被さる位置に移動させられる。ここでは、役物２００は、ターゲットの保留表示画像Ｈ２に完全に被さっている。
【０２９２】
図３２（Ｄ）は、キャラクタによる作用演出の後半の実行中を示す。このように、キャラクタＣＨＲ−Ａが、役物２００によって隠されない状態で、保留表示画像Ｈ２に作用する。つまり、作用演出が役物２００によって隠されていない状態で実行される。
【０２９３】
図３２（Ｅ）は、保留変化演出のタイミングを示す。このように、作用演出の結果、保留表示画像Ｈ２の態様（ここでは表示色）が変化する保留変化演出が実行される。
【０２９４】
（アクティブ変化演出（第１演出））
第１演出としてのアクティブ変化演出は、スーパーリーチ前の全ての飾り図柄の変動中に実行される（図３３）。なお、図３３では、第１保留表示画像として２つの対応画像Ｈ１、Ｈ２と、アクティブ表示画像として対応画像Ａが表示されている（図３３（Ａ）など）。対応画像Ａは、アクティブ変化演出の対象、つまり、ターゲットの対応画像（ターゲット画像Ｔ）でもある。
【０２９５】
アクティブ変化演出（第１演出）では、表示エリア５ＨＡ（四角の領域）にキャラクタ５ＳＡが表示される（対応画像Ａ（ターゲット画像Ｔ）は一旦非表示となる。）。その後、アクティブ変化演出（第１演出）が成功の場合には、当該アクティブ変化演出（第１演出）の演出結果として、対応画像Ａ（ターゲット画像Ｔ）の表示色が変化し（図３３（Ｃ））、アクティブ変化演出（第１演出）がガセ（失敗）の場合には、当該アクティブ変化演出（第１演出）の演出結果として、対応画像Ａ（ターゲット画像Ｔ）の表示色が変化しない（図３３（Ｄ））。
【０２９６】
（アクティブ変化演出（第２演出））
第２演出としてのアクティブ変化演出は、スーパーリーチの実行中に実行される（図３４）。図３４（Ａ）は、スーパーリーチ前（全ての飾り図柄の変動中）のときの演出画面である。図３４（Ａ）では、第１保留表示画像として２つの対応画像Ｈ１、Ｈ２と、アクティブ表示画像として対応画像Ａが表示されている。対応画像Ａは、アクティブ変化演出の対象、つまり、ターゲットの対応画像（ターゲット画像Ｔ）でもある。スーパーリーチの実行中は、保留表示画像又はアクティブ表示画像として表示されている各対応画像Ｈ１、Ｈ２、Ａすべて（表示されている対応画像全て）が一旦非表示となる（表示エリア５ＨＡも非表示となる）（図３４（Ｂ））。なお、非表示となった各対応画像は、スーパーリーチの終了後の所定タイミング（例えば、スーパーリーチ終了時から所定期間（例えば、１秒などの短時間）経過後）から再表示される。また、アクティブ表示画像としての対応画像Ａは、可変表示結果導出時に消去される。
【０２９７】
アクティブ変化演出（第２演出）では、当該演出の開始時に、ターゲット画像Ｔである対応画像Ａ（アクティブ表示画像）が再表示される（図３４（Ｃ））。再表示される位置は、上記表示エリア５ＨＡとは別の画面左下隅（画面の隅など表示エリア５ＨＡよりも視認性が悪い位置であればよい。）となる。また、再表示された対応画像Ａは、スーパーリーチ前（通常時）において表示される対応画像Ａよりも縮小されて表示される。さらに、アクティブ変化演出（第２演出）では、ブーメラン５Ｚが再表示されたアクティブ表示画像としての対応画像Ａ（ターゲット画像Ｔ）に向かって移動して接触（作用）する作用演出が実行される（図３４（Ｃ））。その後、アクティブ変化演出（第２演出）が成功の場合には、当該アクティブ変化演出（第２演出）の演出結果として、対応画像Ａ（ターゲット画像Ｔ）の表示色が変化し（図３４（Ｄ））、アクティブ変化演出（第２演出）がガセ（失敗）の場合には、当該アクティブ変化演出（第２演出）の演出結果として、対応画像Ａ（ターゲット画像Ｔ）の表示色が変化しない（図３１（Ｅ））。アクティブ変化演出（第２演出）が成功の場合、表示色が変化した対応画像Ａ（ターゲット画像Ｔ）は、スーパーリーチ終了時まで表示が継続される。一方で、アクティブ変化演出（第２演出）がガセの場合、表示色が変化していない対応画像Ａ（ターゲット画像Ｔ）は、アクティブ変化演出（第２演出）の終了とともに再度非表示となる。
【０２９８】
（キャラクタによる作用演出時の役物演出および保留変化のタイミング）
図３５は、キャラクタＣＨＲ−Ａ，ＣＨＲ−Ｂによる作用演出時の役物演出および保留変化のタイミングの第１の例を示す図である。図３５を参照して、キャラクタＣＨＲ−Ａ，ＣＨＲ−Ｂによる作用演出を実行すると決定された場合、作用演出の前半の開始タイミングになると、作用演出が開始される。
【０２９９】
また、役物演出を実行すると決定された場合、キャラクタＣＨＲ−Ａ，ＣＨＲ−Ｂによる作用演出の実行も決定されているので、役物演出の態様として、短時間のパターンが選択され得る。役物演出の開始タイミングになると、役物演出が開始される。役物演出が実行されているときには、作用演出のキャラクタＣＨＲ−Ａ，ＣＨＲ−Ｂは、役物２００によって隠されない位置に表示されている。
【０３００】
役物２００が待機位置に戻され、役物演出が終了すると、キャラクタＣＨＲ−Ａ，ＣＨＲ−Ｂによる作用演出の後半の開始タイミングとなり、キャラクタＣＨＲ−Ａ，ＣＨＲ−Ｂによる保留表示画像への作用のための動作が開始される。そして、保留変化タイミングで、キャラクタＣＨＲ−Ａ，ＣＨＲ−Ｂが保留表示画像に作用する。この作用に応じて、保留変化タイミングで、保留表示画像の態様が変化させられる。
【０３０１】
図３６は、キャラクタによる作用演出時の役物演出および保留変化のタイミングの第２の例を示す図である。図３６を参照して、変動パターンが擬似連の変動パターンであるときに、キャラクタＣＨＲ−Ａ，ＣＨＲ−Ｂによる作用演出を実行すると決定された場合、作用演出の前半の開始タイミングになると、作用演出が開始される。
【０３０２】
また、役物演出を実行すると決定された場合、キャラクタＣＨＲ−Ａ，ＣＨＲ−Ｂによる作用演出の実行も決定されているとともに、変動表示が擬似連の変動パターンであるので、役物演出の態様として、複数回、動作する態様が選択され得る。複数回の役物演出の開始タイミングになると、それぞれ、役物演出が実行される。ここでは、飾り図柄が仮停止しているときではなく、変動しているときに、役物演出が実行される。役物演出が実行されているときには、作用演出のキャラクタＣＨＲ−Ａ，ＣＨＲ−Ｂは、役物２００によって隠されない位置に表示されている。
【０３０３】
役物２００が待機位置に戻され、役物演出が終了すると、キャラクタＣＨＲ−Ａ，ＣＨＲ−Ｂによる作用演出の後半の開始タイミングとなり、キャラクタＣＨＲ−Ａ，ＣＨＲ−Ｂによる保留表示画像への作用のための動作が開始される。そして、保留変化タイミングで、キャラクタＣＨＲ−Ａ，ＣＨＲ−Ｂが保留表示画像に作用する。この作用に応じて、保留変化タイミングで、保留表示画像の態様が変化させられる。
【０３０４】
（アクティブ表示画像としての対応画像の表示・非表示のタイミング）
図３７に示すように、変動開始とともに表示エリア５ＨＡ（通常位置）に表示されていたアクティブ表示画像は、スーパーリーチの開始とともに非表示となる（保留表示画像も非表示）。非表示となったアクティブ表示画像は、スーパーリーチの終了後の所定タイミング（例えば、スーパーリーチ終了時から所定期間（例えば、１秒などの短時間）経過後のタイミング）から表示エリア５ＨＡに再表示される（保留表示画像も元の位置で再表示される）。アクティブ変化演出（第２演出）が実行されない場合、アクティブ表示画像はスーパーリーチ中に一度も再表示されない。一方、アクティブ変化演出（第２演出）が実行される場合、非表示となっているアクティブ表示画像は、表示エリア５ＨＡ（通常位置）とは異なる画面左下隅に再表示される。実行されたアクティブ変化演出（第２演出）が成功の場合（表示色が変化した場合）、左下隅のアクティブ表示画像は、その位置でスーパーリーチの終了まで表示され、その後、スーパーリーチの終了により非表示となり、スーパーリーチの終了後の前記所定タイミングから表示エリア５ＨＡ（通常位置）に再表示される（保留表示画像も元の位置で再表示される）。なお、このような場合、アクティブ表示画像は、短期間非表示となる。一方、実行されたアクティブ変化演出（第２演出）がガセの場合（表示色が変化しない場合）、左下隅のアクティブ表示画像は、アクティブ変化演出（第２演出）の終了とともに非表示となり、その後、スーパーリーチの終了後の前記所定タイミングから表示エリア５ＨＡに再表示される（保留表示画像も元の位置で再表示される）。
【０３０５】
（ストックゾーン演出）
図３９は、ストックゾーン演出処理の一例を示すフローチャートである。図３９を参照して、まず、演出制御用ＣＰＵ１２０は、図２３のステップＳ７４６で決定されたストックゾーン演出の開始タイミングであるか否かを判断する（ステップＳ８３１）。開始タイミングである（ステップＳ８３１でＹＥＳ）と判断した場合、演出制御用ＣＰＵ１２０は、ストックゾーン演出を開始する（ステップＳ８３２）。その後、キャラクタの画像が表示されたタイミングで、演出制御用ＣＰＵ１２０は、操作を促す画像（ここでは、図４１（Ｃ）等のプッシュボタン１２６の画像７９）を表示する（ステップＳ８３３）。
【０３０６】
ストックゾーン演出の開始タイミングでない（ステップＳ８３１でＮＯ）と判断した場合、および、ステップＳ８３３の後、演出制御用ＣＰＵ１２０は、プッシュボタン１２６の操作があったか否かを判断する（ステップＳ８３４）。操作があった（ステップＳ８３４でＹＥＳ）と判断した場合、演出制御用ＣＰＵ１２０は、予告演出の実行態様（たとえば、図４１（Ｄ），図４２（Ｄ），図４３（Ｄ）で示すような予告演出が保留／アクティブ変化演出である場合、変化が１回であるか２回であるかの態様）を表示する（ステップＳ８３５）。
【０３０７】
操作が無い（ステップＳ８３４でＮＯ）と判断した場合、および、ステップＳ８３５の後、演出制御用ＣＰＵ１２０は、ストックゾーン演出の終了タイミングであるか否かを判断する（ステップＳ８３６）。終了タイミングである（ステップＳ８３６でＹＥＳ）と判断した場合、演出制御用ＣＰＵ１２０は、ストック画像の表示（ここでは、図４１（Ｅ）等で示すようなストック表示７３のうちのストック画像７４Ａ等の表示）を開始する（ステップＳ８３７）。
【０３０８】
ストックゾーン演出の終了タイミングでない（ステップＳ８３６でＮＯ）と判断した場合、および、ステップＳ８３７の後、演出制御用ＣＰＵ１２０は、ストック画像に対応する予告演出の実行タイミングであるか否かを判断する（ステップＳ８４１）。実行タイミングでない（ステップＳ８４１でＮＯ）と判断した場合、演出制御用ＣＰＵ１２０は、実行する処理をステップＳ８５１に進める。
【０３０９】
予告演出の実行タイミングである（ステップＳ８４１でＹＥＳ）と判断した場合、演出制御用ＣＰＵ１２０は、対応するストック画像を消去する（ステップＳ８４２）（たとえば、図４４（Ｂ）参照）。
【０３１０】
次に、対応する予告演出が保留／アクティブ変化演出（単に保留変化演出ともいう）の１回目または２回目か否かを判断する（ステップＳ８４３）。保留／アクティブ変化予告演出である（ステップＳ８４３でＹＥＳ）と判断した場合、演出制御用ＣＰＵ１２０は、保留／アクティブ変化演出を実行する（ステップＳ８４４）（たとえば、図４４（Ｂ）参照）。
【０３１１】
そして、当該可変表示において次の保留表示またはアクティブ表示の変化があるか否かを判断する（ステップＳ８４５）。ある（ステップＳ８４５でＹＥＳ）と判断した場合、演出制御用ＣＰＵ１２０は、当該保留／アクティブ変化演出に対応するストック画像を再表示する（ステップＳ８４６）。ない（ステップＳ８４５でＮＯ）と判断した場合、および、ステップＳ８４６の後、演出制御用ＣＰＵ１２０は、実行する処理をステップＳ８５１に進める。
【０３１２】
対応する予告演出が保留／アクティブ変化演出でない（ステップＳ８４５でＮＯ）と判断した場合、演出制御用ＣＰＵ１２０は、対応する予告演出が激熱演出であるか否かを判断する（ステップＳ８４７）。激熱演出である（ステップＳ８４７でＹＥＳ）と判断した場合、演出制御用ＣＰＵ１２０は、激熱演出βを実行する（ステップＳ８４８）。その後、実行する処理をステップＳ８５１に進める。
【０３１３】
対応する予告演出が激熱演出でない（ステップＳ８４７でＮＯ）と判断した場合、演出制御用ＣＰＵ１２０は、対応する予告演出がタイマ演出であるか否かを判断する（ステップＳ８４９）。タイマ演出である（ステップＳ８４９でＹＥＳ）と判断した場合、演出制御用ＣＰＵ１２０は、タイマ演出を開始する（ステップＳ８５０）。その後、実行する処理をステップＳ８５１に進める。
【０３１４】
ステップＳ８５１では、演出制御用ＣＰＵ１２０は、タイマ演出の終了タイミングであるか否かを判断する。終了タイミングである（ステップＳ８５１でＹＥＳ）と判断した場合、図２３のステップＳ７４６で決定済みのタイマ後演出（激熱演出αまたはβ）を実行する（ステップＳ８５２）。終了タイミングでない（ステップＳ８５１でＮＯ）と判断した場合、および、ステップＳ８５２の後、演出制御用ＣＰＵ１２０は、実行する処理をこの処理の呼出元に戻す。
【０３１５】
（ストックゾーン演出の演出画面例）
図４０は、ストックゾーン演出の第１の演出画面例である。図４０を参照して、図４０（Ａ）〜（Ｃ）で示すように、保留記憶が消化されつつ飾り図柄の可変表示が実行される。
【０３１６】
図４０（Ｄ）で示すように、可変表示の実行中に始動入賞があったことに応じて、図１６のステップＳ６１５でストックゾーンの待機中表示を開始する場合、まず、ストックゾーンの待機中表示が開始されることを示す画像（ここでは、「ＳＴＯＣＫＺＯＮＥ」との大きな飾り文字の画像）が表示される。その後、図４０（Ｅ）で示すように、待機中表示７１が開始される。
【０３１７】
図４１は、ストックゾーン演出の第２の演出画面例である。図４１を参照して、図３９のステップＳ８３２でストックゾーン演出を開始する場合、図４１（Ａ）の待機中表示７１が消去されて、図４１（Ｂ）で示すように、ストックゾーン演出が開始されることを示す画像７２（ここでは、「ＳＴＯＣＫＺＯＮＥ」との大きな飾り文字の画像）が表示される。
【０３１８】
そして、図４１（Ｃ）で示すように、ストックゾーン演出のキャラクタＣＨＲ−Ａが表示され、ステップＳ８３３が実行されることにより、操作を促す画像７９が表示される。キャラクタＣＨＲ−Ａは、予告演出としての保留／アクティブ変化演出に対応する。また、キャラクタＣＨＲ−Ａの吹き出しでのセリフとして、プッシュボタン１２６の操作が有ると保留／アクティブ表示が変化する回数を表示することを示す文字（ここでは「保留変化回数は・・・」という文字）が表示される。
【０３１９】
遊技者がプッシュボタン１２６を操作すると、図４１（Ｄ）で示すように、ステップＳ８３５が実行されることにより、予告演出の実行態様（ここでは、「２回！！」との文字で示されるように保留／アクティブ変化演出の変化が２回である態様）が表示される。その後、図３９のステップＳ８３７でストック画像の表示を開始する場合、図４１（Ｅ）で示すように、キャラクタＣＨＲ−Ａに対応するストック画像７４Ａを含むストック表示７３が開始される。
【０３２０】
図４２は、ストックゾーン演出の第３の演出画面例である。図４１では、ストックゾーン演出のキャラクタが１人である場合の演出画面例を示した。図４２では、ストックゾーン演出のキャラクタが２人である場合の演出画面例を示す。この点以外は共通であるので重複する説明は繰返さない。図４２を参照して、キャラクタＣＨＲ−Ｂは、予告演出としての激熱演出に対応する。ストック画像７４Ｂは、キャラクタＣＨＲ−Ｂに対応する。
【０３２１】
図４３は、ストックゾーン演出の第４の演出画面例である。図４３では、ストックゾーン演出のキャラクタが３人である場合の演出画面例を示す。この点以外は共通であるので重複する説明は繰返さない。図４３を参照して、キャラクタＣＨＲ−Ｃは、予告演出としてのタイマ演出に対応する。ストック画像７４Ｃは、キャラクタＣＨＲ−Ｃに対応する。
【０３２２】
なお、図４１（Ｄ），図４２（Ｄ），図４３（Ｄ）においては、キャラクタＣＨＲ−Ａに対応する１種類の予告演出である保留／アクティブ変化演出の実行態様を報知している。キャラクタＣＨＲ−Ｃに対応する予告演出であるタイマ演出の実行態様は複数種類であるので、キャラクタＣＨＲ−Ｃに対応するタイマ演出の実行態様を報知するようにしてもよい。また、キャラクタＣＨＲ−Ｂに対応する予告演出である激熱演出の実行態様が複数種類であるようにして、キャラクタＣＨＲ−Ｂに対応する激熱演出の実行態様を報知するようにしてもよい。ストックゾーン演出において報知したこれらの複数種類の予告演出の実行態様を報知するタイミングを、プッシュボタン１２６の操作に基づいて同時であることとしてもよいし、プッシュボタン１２６の操作後に順次であることとしてもよい。
【０３２３】
また、文言の内容での報知に替えて、キャラクタの衣装の色（たとえば、虹色、金色、赤色、緑色の順で遊技者にとって有利な態様であるようにする）で報知するようにしてもよいし、タイマ演出においてはタイマでカウントダウンを開始するときの初期時間（たとえば、初期時間が長い程、遊技者にとって有利な態様であるようにする）で報知するようにしてもよいし、タイマ表示の枠の色や文字の色（たとえば、虹色、金色、赤色、緑色の順で遊技者にとって有利な態様であるようにする）で報知するようにしてもよい。
【０３２４】
図４４は、ストックゾーン演出の第５の演出画面例である。図４４を参照して、図４４（Ａ）の画面が表示されているときに、図３９のステップＳ８４１でストック画像に対応する予告演出の実行タイミングになったと判断されると、図４４（Ｂ）で示すように、ステップＳ８４２が実行されることで、対応するストック画像（ここではストック画像７４Ａ）が消去される。その後、ステップＳ８４４が実行されることで、ストック画像に対応する予告演出（ここでは、アクティブ／保留変化演出）の実行が開始されることを示すキャラクタＣＨＲ−Ａが表示され、アクティブ／保留変化演出の実行が開始される。
【０３２５】
図４５は、ストックゾーン演出の第６の演出画面例である。図４５を参照して、図４５（Ａ）の画面が表示されているときに、図３９のステップＳ８４１でストック画像に対応する予告演出の実行タイミングになったと判断されると、図４５（Ｂ）で示すように、ステップＳ８４２が実行されることで、対応するストック画像（ここではストック画像７４Ｂ）が消去される。その後、ステップＳ８４８が実行されることで、ストック画像に対応する予告演出（ここでは、激熱演出）の実行が開始されることを示すキャラクタＣＨＲ−Ｂが表示され、激熱演出の実行が開始される。
【０３２６】
図４６は、ストックゾーン演出の第７の演出画面例である。図４６を参照して、図４６（Ａ）の画面が表示されているときに、図３９のステップＳ８４１でストック画像に対応する予告演出の実行タイミングになったと判断されると、図４６（Ｂ）で示すように、ステップＳ８４２が実行されることで、対応するストック画像（ここではストック画像７４Ｃ）が消去される。その後、ステップＳ８５０が実行されることで、ストック画像に対応する予告演出（ここでは、タイマ演出）の実行が開始されることを示すキャラクタＣＨＲ−Ｃが表示され、タイマ演出の実行が開始される。そして、図４６（Ｃ）で示すように、タイマ演出におけるタイマ表示７６でタイマ後演出が実行されるまでの残り時間のカウントダウンが実行される。タイマ表示７６で残り時間が０であることが示されると、タイマ後演出（激熱演出αまたはβ）が実行される。
【０３２７】
（タイマ演出の第１の変形例）
上述したタイマ演出として、以下に示すタイマ演出の思想を適用してもよい。まず、変形例で実行される演出である、領域演出としての第１領域演出および第２領域演出、並びに、第１領域演出において実行される特殊演出およびタイマ演出について説明する。
【０３２８】
［第１領域演出］
第１領域演出は、保留記憶情報に基づく変動表示が実行されるときに、画像表示装置５の左下に位置する第１領域９１（図４７参照）で実行されるすべての演出である。第１領域演出の実行中は、後述する特殊演出を実行した後にタイマを表示してタイマ演出を実行する演出、または、特殊演出を実行した後に何も表示ない所謂ガセ演出（「ガセ」は「偽」という意味を含む）を実行する演出が実行される。なお、第１領域演出は、第１領域９１に限らず、画像表示装置５のいずれの表示領域で実行されてもよい。
【０３２９】
［特殊演出］
特殊演出は、第１領域９１にタイマ演出の実行を示唆するタイマ枠９７を表示させたり、表示させなかったりを繰り返す「見え隠れ表示」を実行することにより、特殊演出の実行後にタイマ演出が実行されることを示唆する示唆表示をする演出である。特殊演出を所定時間実行した後、特殊演出からタイマ演出またはタイマ演出を実行しないガセ演出を実行する。なお、特殊演出とは、前述の演出に限らず、タイマ演出の実行を示唆する演出であればよく、たとえば、半透明のタイマ枠が実体化するか否かを煽る演出であってもよい。
【０３３０】
［タイマ演出］
タイマ演出は、保留記憶情報に基づく変動表示が実行されるときに、特殊演出実行後に特定の演出を実行するまでの待ち時間等の演出期間をタイマ表示形式で示す期間表示を更新することによってタイマ表示が所定態様となったときに、複数種類の演出のうちのいずれかの演出を実行する演出である。タイマ表示は、所定タイミングで設定された計時値の初期値から、カウントダウンされる計時値の更新が実行され、最終的には、タイマ表示の値が０（０秒を示す値）となる。このような、タイマ演出中に表示されるタイマ表示は、変動表示中の所定期間に亘って第１領域９１に表示される。
【０３３１】
［第２領域演出］
第２領域演出は、保留記憶情報に基づく変動表示が実行されるときに、後述する特定演出を実行した後に当該変動表示の表示結果や変動中に実行される演出を示唆する複数種類の所定表示のうち一の所定表示を表示する演出が実行される。なお、第２領域演出は、第２領域９２に限らず、画像表示装置５のいずれの表示領域で実行されてもよい。
【０３３２】
特定演出とは、複数種類の所定表示のうち一の所定表示が表示されることを示唆する演出である。特定演出を所定時間実行した後、たとえば、「？」、「ＮＥＸＴ」、および、「ＲＥＡＤＹ  ＧＯ」等の演出状態または遊技状態を示唆する複数種類の所定表示のうち一の所定表示を表示する。特定演出としては、たとえば、すべての所定表示を付した仮想的な回転リールを、いずれの所定表示が表示されているかを視認することができない程度の速度で所定時間回転させた後、徐々に回転速度を落として所定表示を視認可能にした後、一の所定表示が視認できる位置で停止させる演出が実行される。なお、特定演出は、前述の演出に限らず、複数種類の所定表示のうち一の所定表示が表示されることを示唆する演出であればよい。また、所定表示は、タイマ演出を示唆するタイマ演出示唆表示と、タイマ演出示唆表示以外の複数種類の特定表示とを含む。
【０３３３】
図４７は、第１の変形例におけるタイマ演出を説明するための図である。図４７（ａ）は、領域演出が実行されていない場合における変動開始時の画像表示装置５の表示例を示す図である。図４７（ｂ）〜（ｄ）は、第１領域演出中の画像表示装置５の表示例を示す図である。図４７（ｅ）、（ｆ）は第２領域演出実行中の画像表示装置５の表示例を示す図である。図４７においては、左，中，右の演出図柄が変動表示中である状態が、３つの下向き矢印で示されている。
【０３３４】
図４７（ａ）に示すように、画像表示装置５の表示領域において、左下側に第１領域演出を実行可能な第１領域９１の表示領域が設けられ、右下側に第２領域演出を実行可能な第２領域９２の表示領域が設けられる。第１領域９１は、基本的に当該領域に関する画像が表示されておらず、必要に応じて当該領域に関する画像が表示される。図４７（ａ）においては、第２領域９２では、当該領域に関する画像が常時表示される。
【０３３５】
図４７（ａ）では、特別図柄に対応する演出図柄の変動開始時において、第１領域演出および第２領域演出のいずれの領域演出も実行されていない状態が示されている。具体的に、図中に破線で示される第１領域９１には何も表示されていない。第２領域９２には、第２領域９２であることを特定可能な枠部が表示されている。また、枠部の内側の領域は、たとえばシャッターを示すような表示態様で表示され（図示省略）、通常はシャッター部分が閉じている。そして、第２領域演出が実行されるときに当該シャッター部分が開く。
【０３３６】
第１領域９１で第１領域演出が実行されるときに表示されるタイマ演出の画像は、図４７（ｄ）のように、タイマ枠９７と、タイマ枠９７内でタイマ数値を表示するタイマ表示９４とにより構成される。タイマ枠９７およびタイマ数値のそれぞれの画像は、たとえば白色および赤色のような複数種類の表示色のうちいずれかで表示される。
【０３３７】
第１領域演出が実行されるときは、図４７（ｂ）に示すように、第１領域９１において、複数の表示色から選択された色のタイマ枠９７を図柄中の矢印の方向に往復動作させる画像を表示することにより、画像表示装置５の表示領域に表示させたり、させなかったりを繰り返す「見え隠れ表示」をする特殊演出が実行される。
【０３３８】
特殊演出の実行後は、図４７（ｃ）に示すようなガセ演出、または、図４７（ｄ）に示すようなタイマ演出が実行される。図４７（ｃ）に示すように、ガセ演出は、タイマ演出の実行がされない演出であり、見え隠れ表示されていたタイマ枠９７が消去されることにより、第１領域９１に何も表示されていない状態となる。一方、図４７（ｄ）に示すように、タイマ演出が実行される場合は、見え隠れ表示されていたタイマ枠９７が、第１領域９１において複数種類の表示色のうちいずれかの色で表示される。そして、タイマ枠９７内において、複数種類の表示色のうちいずれかの色でタイマ表示９４が出現表示され、たとえば、１０秒を示す「１０：００」というような計時期間がタイマ数値として示される。タイマ演出においては、このような計時期間がタイマ表示９４において示された後、タイマ表示９４でのカウントダウン計時が開始される。
【０３３９】
タイマ演出において、タイマ表示９４のカウントダウンが進行し、タイマ表示９４のタイマ数値が０秒を示す「００：００」となると、前述の激熱演出のようなタイマ後演出が実行される。
【０３４０】
このように、第１領域演出が実行されるときには、第１領域９１でタイマ表示９４が表示されてタイマ演出が実行された後に、タイマ後演出が実行され得る。これにより、第１領域演出においてタイマ枠９７の見え隠れ表示がされる特殊演出が実行されたときに、タイマ演出が実行されるか否に遊技者を注目させることができる。
【０３４１】
また、図４７（ｂ）の特殊演出が実行された後に、図４７（ｄ）のようにタイマ演出が実行される場合と、図４７（ｃ）のように実行されない場合とがあることにより、遊技者に、タイマ演出を実行する前において、タイマ演出が実行されることに対する期待感を持たせることが可能となり、タイマ演出を実行する前の過程について遊技の興趣を向上させることができる。
【０３４２】
また、図４７（ｂ）に示すように、第１領域９１において、タイマ枠９７を見え隠れ表示することによりタイマ表示９４が実行されることを示唆する特殊演出が実行されることにより、タイマ演出が実行されるか否かに注目させることができ、タイマ演出を実行する前の過程についてより一層遊技の興趣を向上させることができる。
【０３４３】
第２領域９２で第２領域演出が実行されるときには、図４７（ｄ）のように、特定演出において、第２領域９２の枠部内で、前述のように「？」、「ＮＥＸＴ」、および、「ＲＥＡＤＹ  ＧＯ」等の演出状態または遊技状態を示唆する複数種類の所定表示が、図中矢印で示すように順次表示される。そして特定演出の開始時から特定期間経過後に、図４７（ｆ）のように、複数種類の所定表示のうちのいずれかが停止表示される。図中では「激熱」という所定表示が停止表示された例が示されている。
【０３４４】
第２領域演出において、第２領域９２でいずれかの種類の所定表示が停止表示されると、その停止表示された所定表示に対応する演出がその後、実行される。たとえば、「ＲＥＡＤＹ  ＧＯ」という所定表示が指定表示されたときには、所定のタイマ演出が実行される。また、「ＮＥＸＴ」という所定表示が指定表示されたときには、前述の擬似連の演出が実行される。
【０３４５】
このように、第２領域演出が実行された後には、第２領域９２で停止表示された所定表示に対応する各種の演出が実行され得る。これにより、第２特定演出が実行されるときに、第２領域９２の表示に遊技者の注意を引付けることができ、遊技の興趣を向上させることができる。
【０３４６】
なお、タイマ演出の第１の変形例においては、特殊演出は「見え隠れ表示」を実行する演出であるとしたが、これに限らず、タイマ演出の実行を示唆する演出であればよい。たとえば、半透明のタイマ枠を表示させる演出や複数種類のタイマ数値を付した仮想的な回転リールを表示し、回転リールを回転させる演出であってもよい。また、特定演出は仮想的な回転リールを回転させる演出としたが、これに限らず複数種類の所定表示のうち一の所定表示が表示されることを示唆する演出であればよい。たとえば、第２領域９２に仮想的なシャッターを表示し、このシャッターを開閉する演出や、第２領域９２に所定表示を半透明に表示する演出であってもよい。
【０３４７】
（タイマ演出の第２の変形例）
タイマ演出の第２の変形例では、第１の変形例に示した第１領域９１および第２領域９２のそれぞれにおいて実行されるタイマ演出の変形例を説明する。ここでは、第２の変形例によるタイマ演出として、第１領域９１で実行される演出を代表例として示すが、第２の変形例によるタイマ演出は、第２領域９２でも同様に実行可能である。
【０３４８】
第２の変形例で実行されるタイマ演出は、保留記憶情報に基づく変動表示が実行されるときに、特定の演出を実行するまでの待ち時間等の演出期間をタイマ表示形式で示す期間表示を更新することによってタイマ表示が所定態様となったときに、複数種類の演出のうちのいずれかの演出を実行する演出である。タイマ表示は、所定タイミングで設定された計時値の初期値から、カウントダウンされる計時値の更新が実行され、最終的には、タイマ表示の値が０（０秒を示す値）となる。このような、タイマ演出中に表示されるタイマ表示は、変動表示中の所定期間に亘って画像表示装置５に表示される。
【０３４９】
また、タイマ演出の実行中には、タイマ表示による期間表示が開始されてから期間表示が所定態様である０となるまでの期間において、タイマ表示をカウントダウンさせた後に、停止態様としてタイマ表示を数秒間に亘り停止させ、その停止態様を経由した後にタイマ表示の値を０にする場合がある。このように、タイマ表示のカウントダウンを数秒間停止する演出のことを、以下ではフリーズ演出と称する。なお、フリーズ演出としては、タイマ表示のカウントダウンが数秒間に亘り完全に停止するものではなく、所定の期間以上にカウントダウンが進まないようなものでもよい。たとえば、カウントダウンの途中の「１５：４７」のタイマ表示でフリーズ演出が発生した場合には、「１５：４６」→「１５：４７」→「１５：４６」のように、所定の数字と特定の数字との間を行き来することで、タイマ表示が所定期間以上にカウントダウンを進めないような演出としてもよい。また、「１５：４７」→「１５：４６」→「１５：４５」とカウントダウンが進むが、そのカウントダウンを実際の時間の計時よりも極端に遅くすることで、ほとんど時間が進んでいないような演出としてもよい。
【０３５０】
図４８は、第２の変形例におけるタイマ演出を説明するための図である。図４８（ａ）〜（ｅ）は、タイマ演出中にフリーズ演出が実行される場合の第１領域９１におけるタイマ表示９４の表示例を示す図である。また、図４８（ｆ）〜（ｉ）は、タイマ演出中にフリーズ演出が実行されない場合の第１領域９１におけるタイマ表示９４の表示例を示す図である。ここで、タイマ演出では、複数種類の時間の中からいずれかの時間がタイマ演出の秒数として決定される。図４８（ａ）〜（ｅ）では、タイマ演出を実行する期間として３０秒の時間が選択されている。また、図４８（ｆ）〜（ｉ）では、タイマ演出を実行する期間として２０秒の時間が選択されている。なお、タイマ演出の第２の変形例のタイマ演出は、第２領域９２で実行されるようにしてもよく、画像表示装置５内のどの領域で実行されるようにしてもよい。
【０３５１】
図４８（ａ）に示すように、タイマ演出が開始される場合、たとえば、タイマ表示９４として２０秒を示す「２０：００」という計時期間が第１領域９１に表示される。タイマ表示９４に表示される期間は、秒以下２桁（百分の一の位）まで表示され、時間の経過とともにその値がカウントダウンされる。図４８（ｂ）は、２０秒からカウントダウンされて１０秒経過した際に表示されるタイマ表示９４を示す図である。図４８（ｂ）に示すように、１０秒経過毎には、１０秒を示す「１０：００」が表示されたときに、タイマ表示９４の上側にＬＯＣＫ表示９５が表示される。ＬＯＣＫ表示９５は、表示画像がタイマ表示９４に対して作用する作用演出であり、ＬＯＣＫの文字で示す表示画像が、タイマ表示９４に付加される。ＬＯＣＫ表示９５がタイマ表示９４に付加されることにより、フリーズ演出が実行される。このように、ＬＯＣＫ表示９５がタイマ表示９４に付加されることにより、フリーズ演出の実行中であることを遊技者に容易に認識させることができる。
【０３５２】
図４８（ｃ）は、図４８（ｂ）の状態から１０秒間が経過したときの、タイマ表示９４の表示態様を示す図である。図４８（ｂ），（ｃ）に示すように、フリーズ演出が実行される場合は、「１０：００」の表示のままで１０秒間に亘りタイマ表示９４の表示が停止されるとともに、ＬＯＣＫ表示９５が付加される。１０秒間のフリーズ期間経過後には、図４８（ｄ）に示すように、再度タイマ表示９４がカウントダウンされる。その後、図４８（ｅ）に示すように、タイマ表示９４は、カウントダウンされ、所定態様である０秒を示す「００：００」で表示される。そして、タイマ表示が０秒となったことに基づいて、複数種類の演出のうちからいずれかの演出が実行される。
【０３５３】
次に、フリーズ演出が実行されない場合を図４８（ｆ）〜（ｉ）により説明する。タイマ演出を実行する期間として２０秒の時間が選択された場合、図４８（ｆ）に示すように、タイマ演出が開始される場合、たとえば、タイマ表示９４として２０秒を示す「２０：００」という計時時間が第１領域９１に表示される。図４８（ｇ）は、２０秒からカウントダウンされて１０秒経過した際に表示されるタイマ表示９４を示す図である。図４８（ｇ）に示すように、１０秒経過毎には、１０秒を示す「１０：００」が表示される。フリーズ演出が実行されないので、ＬＯＣＫ表示９５は表示されない。
【０３５４】
次いで、図４８（ｈ）に示すように、図４８（ｇ）から１秒経過したときには、図４８（ｈ）に示すように、タイマ表示が９秒を示す「０９：００」で表示される。その後、図４８（ｉ）に示すように、タイマ表示９４は、カウントダウンされ、所定態様である０秒を示す「００：００」で表示される。そして、タイマ表示が０秒となったことに基づいて、複数種類の演出のうちからいずれかの演出が実行される。ここで、図４８（ａ）〜（ｉ）では、秒以下２桁のタイマ表示９４については、実際はカウントダウンしているが、図面上では詳細に開示していない。また、秒以下２桁を表示せず、「１０」、「９」・・・「０」と秒数のみをカウントダウンしていくようにしてもよい。
【０３５５】
このように、タイマ演出において表示されるタイマ表示９４は、表示が開始されてからカウントダウンされ、所定態様である０秒を示す「００：００」となるまでの期間において、フリーズ演出を経由するパターンとフリーズ演出を経由しないパターンとが設けられている。よって、タイマ表示９４によるカウントダウンが開始されてから０秒となるまでの期間におけるタイマ表示９４の表示態様に遊技者を注目させることができる。
【０３５６】
また、タイマ演出において、フリーズ演出が実行されるパターンでは、図４８（ｂ）〜（ｄ）に示すように、フリーズ演出を１０秒間実行した後に、再度タイマ表示９４の更新が実行される。このようにすれば、タイマ表示９４が０秒となるまでの期間におけるタイマ表示９４の表示態様に遊技者を注目させることができる。
【０３５７】
また、タイマ演出の実行される秒数であるタイマ秒数（タイマ表示の開始から０秒となるまでの時間）を決定するためのタイマ選択時間は異なるが、図４８に示すように、フリーズ演出を実行しない場合とフリーズ演出を実行する場合とで、タイマ表示９４の開始時の表示態様が同一（いずれも「２０：００」で同じ）の場合がある。このようにすれば、タイマ表示９４の開始時にフリーズ演出を経由するか否かがばれることがなく、意外性のある演出を実行することができる。
【０３５８】
（タイマ演出の第３の変形例）
タイマ演出の第３の変形例では、第１の変形例に示した第１領域９１および第２領域９２のそれぞれにおいて実行されるタイマ演出の変形例を説明する。ここでは、第３の変形例によるタイマ演出として、第１領域９１で実行される演出を代表例として示すが、第３の変形例によるタイマ演出は、第２領域９２でも同様に実行可能である。
【０３５９】
第３の変形例で実行されるタイマ演出では、通常パターンのタイマ演出の他に特別パターンのタイマ演出が設定されている。通常パターンのタイマ演出とは、タイマ表示が開始されてからタイマ表示が０秒となるまでの期間において、タイマ表示の表示値が時間経過とともにカウントダウンされるのみのパターンである。それに対し、特別パターンのタイマ演出では、タイマ表示９４がカウントダウンされ０秒となったときに、スティックコントローラのような操作手段を用いる演出が実行される。スティックコントローラでの遊技者の操作は、傾倒方向センサユニットにより検出される。具体的には、タイマ表示９４がカウントダウンされ０秒となったときに、スティックコントローラを遊技者が引く操作を実行すると、０秒となっていたタイマ表示９４の秒数が増加し、再度カウントダウンが実行される演出が行なわれる。このような、特別パターンは複数回実行されることがあり、最終的に０秒となったときに、所定のタイマ後演出が実行される。
【０３６０】
図４９は、第３の変形例におけるタイマ演出を説明するための図である。図４９のうち図４９（ａ）は、タイマ演出の特別パターンとして、タイマ選択時間２０秒の２回パターンの場合のタイミングチャートを示す図である。２回パターンとは、タイマ演出の実行中に操作手段を用いた演出が２回実行される演出パターンを示している。また、図４９（ｂ）〜（ｉ）は、図４９（ａ）のパターンにおけるタイマ表示９４の表示例を示す図である。まず、図４９（ａ）〜（ｉ）により特別パターンのタイマ演出について説明する。なお、特別パターンは２回パターンだけではなく、１回パターンや３回以上のパターンが設けられていてもよい。
【０３６１】
図４９（ａ）に示すように、タイマ演出として実行されるタイマ選択時間２０秒の２回パターンでは、最初にタイマ表示９４に「０４：００」が表示される（図４９（ｂ））。この状態からタイマ表示９４のカウントダウンが４秒間実行される。そして、タイマ表示９４が「００：００」で示す値となったとき（図４９（ｃ））、スティックコントローラ等の操作手段を操作する操作演出が実行される。スティックコントローラは、操作が有効な期間（以下、操作有効期間とも称する）が２秒間に設定されている。この操作有効期間である２秒の間にスティックコントローラを引く操作が遊技者により実行された場合には、「＋０４：００」が画像表示装置５の画面上に表示される（図４９（ｄ））。「＋０４：００」の表示は、残りの操作有効期間とその時間に１秒（タイマ表示の最少期間）加算した期間、画像表示装置５の画面上に表示されるとともに、タイマ表示９４として「００：００」から秒数が増加し、「０４：００」の値が第１領域９１に表示される（図４９（ｅ））。
【０３６２】
操作有効期間である２秒の間にスティックコントローラを引く操作が実行されなかった場合には、操作有効期間の終了時に「＋０４：００」の表示が自動的に画像表示装置５の画面上に表示される（図４９（ｄ））。「＋０４：００」の表示は、操作有効期間の終了後、１秒の間、画像表示装置５の画面上に表示されるとともに、タイマ表示９４として「００：００」から秒数が増加し、「０４：００」の値が第１領域９１に表示される（図４９（ｅ））。
【０３６３】
ここで、スティックコントローラが操作された場合も操作されなかった場合も、少なくとも１秒の間は、「＋０４：００」の表示が画像表示装置５の画面上に表示される（図４９（ｄ））。また、タイマ表示９４として「００：００」から秒数が増加し、「０４：００」の値が第１領域９１に表示される（図４９（ｅ））。この時間に遊技者は、タイマ表示９４の秒数が増加したことを認識することができる。操作有効期間（図４９（ａ）の操作２秒）とタイマ表示９４の増加秒数を示す画像表示装置５のタイマ表示期間（図４９（ａ）のタイマ表示１秒）との合計期間は３秒間に設定されている。
【０３６４】
その後、タイマ表示９４は、「０４：００」で示される４秒からカウントダウンを開始し、タイマ表示９４が「００：００」で示す値となったとき（図４９（ｆ））に、再度、操作有効期間中にスティックコントローラを引く演出が実行される。２秒の間にスティックコントローラを引く操作が遊技者により実行された場合には、「＋０６：００」が画像表示装置５の画面上に表示される（図４９（ｇ））。「＋０６：００」の表示は、残りの操作有効期間とその時間に１秒加算した期間、画像表示装置５の画面上に表示されるとともに、タイマ表示９４として「００：００」から秒数が増加し、「０６：００」の値が第１領域９１に表示される（図４９（ｈ））。
【０３６５】
操作有効期間である２秒の間にスティックコントローラを引く操作が実行されなかった場合には、操作有効期間の終了時に「＋０６：００」の表示が自動的に画像表示装置５の画面上に表示される（図４９（ｇ））。「＋０６：００」の表示は、操作有効期間の終了後、１秒の間、画像表示装置５の画面上に表示されるとともに、タイマ表示９４として「００：００」から秒数が増加し、「０６：００」の値が第１領域９１に表示される（図４９（ｈ））。
【０３６６】
タイマ表示９４が、６秒からカウントダウンを開始し、タイマ表示９４が「００：００」で示す値となったとき（図４９（ｉ））に、所定のタイマ後演出が実行される。
【０３６７】
このように、特別パターンでは、タイマ演出が開始されタイマ表示９４が０秒で示す値となったときに、タイマ表示９４の秒数が増加し、再度カウントダウンが実行される演出が行なわれる。これにより、タイマ表示９４の値が０秒となったときの演出に遊技者を注目させることができる。また、このような特別パターンのタイマ演出により、タイマ表示９４のカウントダウンが開始されてから、タイマ表示９４の値が最終的に０秒となるまでの期間における表示態様に遊技者を注目させることができる。
【０３６８】
（タイマ演出の第４の変形例）
タイマ演出の第４の変形例では、第１の変形例に示した第１領域９１および第２領域９２のそれぞれにおいて実行されるタイマ演出の変形例を説明する。ここでは、第４の変形例によるタイマ演出として、第１領域９１と第２領域９２とのそれぞれのタイマ演出に適用する場合の例を、図５０に示す第３領域９６という１つの領域を代表例として用いて説明する。
【０３６９】
第４の変形例におけるタイマ演出は、リーチ中に実行される。ここで、図１０に示すように、リーチとなる変動パターンには、ノーマルリーチの変動パターンとスーパーリーチの変動パターンとが含まれている。遊技制御用マイクロコンピュータ１００からスーパーリーチを指定する変動パターンコマンドが送信されると、演出制御用ＣＰＵ１２０は、送信されたコマンドに基づいて指定されたスーパーリーチの演出を実行する。図１０のスーパーリーチＡ，Ｂでは、各変動パターンについて、複数種類のスペシャルリーチ（以下、単にＳＰリーチとも称する）の中からいずれかのＳＰリーチが実行される。
【０３７０】
ＳＰリーチでは、変動表示中の演出図柄のうちいずれかの図柄でリーチとなる。その後、リーチ状態となってから所定時間経過後（ノーマルリーチ後やノーマルリーチと異なるリーチ演出後）にＳＰリーチへと発展する。スーパーリーチにおいて実行されるＳＰリーチは、ＳＰリーチまで発展せずリーチ後に派手な演出をしないノーマルリーチに比べ、大当り表示結果となる期待度の高いリーチである。ＳＰリーチ中は、たとえば、液晶画面上でバトル演出等の演出が実行される。バトル演出とは、味方のキャラクタと敵のキャラクタとが戦い、味方のキャラクタが勝利すると大当り表示結果が表示され、味方のキャラクタが敗北するとはずれ表示結果が表示されるような演出である。
【０３７１】
また、タイマ演出の第４の変形例では、画像表示装置５の表示画面の中央下部領域である第３領域９６においてタイマ演出が開始される場合について説明する。たとえば、ＳＰリーチ中は、画面全体を用いた派手な演出が実行される。このような場合、第３領域９６に表示されるタイマ表示９４がそのような演出を阻害しないように画像表示装置５の表示画面と重ならない位置（たとえば、画像表示装置５の左下位置）にタイマ表示９４を移動させる。タイマ演出の第４の変形例では、タイマ演出とＳＰリーチとが同時に実行される。タイマ演出とＳＰリーチとが実行される場合の演出について図５０により説明する。
【０３７２】
図５０は、第４の変形例におけるタイマ演出を説明するための図である。タイマ演出が実行される場合には、図５０（ａ），（ｂ）に示すようなパターンや図５０（ａ），（ｃ）に示すパターンが実行される。図５０（ａ）に示すように、画像表示装置５において「４」を示す図柄でリーチがかかっている場合に、画面の中央下部の第３領域９６にタイマ画像が表示される。タイマ画像には、「２０：００」と表示されたタイマ表示９４が表示される。タイマ表示９４は、時間の経過とともにカウントダウンされる。
【０３７３】
図５０（ａ）から図５０（ｂ）となるパターンは、通常のリーチから弱ＳＰリーチへと発展する場合を示している。弱ＳＰリーチは、後述する強ＳＰリーチと比較して大当り表示結果となる期待度が低いＳＰリーチである。大当り表示結果となる期待度は、図５０（ｂ）中に示す、黒色の星の数で示される。今回実行される弱ＳＰリーチは、期待度が５段階中の２なのであまり期待度が高くないということになる。弱ＳＰリーチ中は、演出図柄が画像表示装置５の右上の領域において、小型化（縮小）した態様のコマンド図柄で表示される。またタイマ画像は、弱ＳＰリーチが開始されるときに画面上の中央下部の位置から左端下部の位置（第１領域９１に対応する位置）へと移動する。
【０３７４】
ＳＰリーチが実行される際には、タイマ画像の枠部９６ａが変化する場合がある。しかし、図５０（ｂ）に示すように、弱ＳＰリーチにおいては、枠部９６ａがＳＰリーチへの発展前の図５０（ａ）と同様の態様で表示される。また、タイマ表示９４は、カウントダウンされ「１５：００」で示されている。ＳＰリーチ中は、ＳＰリーチ発展前の図５０（ａ）のような場合に比べ、表示画面の全体を用いた派手な演出が実行される。ＳＰリーチ演出のような派手な演出が実行される場合には、画面の中央下部の第３領域９６においてタイマ画像が表示されていると演出の妨げになってしまう。そこで、タイマ表示９４が開始されてからタイマ表示９４が０秒となるまでの期間において、ＳＰリーチが実行されている場合には、タイマ表示９４が画面の左端の位置（第１領域９１に対応する位置）へ移動される。また、ＳＰリーチが実行されない場合には、タイマ画像は画面の中央下部の位置で変化せずタイマ表示９４のカウントダウンが実行される。
【０３７５】
このように、タイマ表示９４の表示が開始されてからタイマ表示９４が０秒となるまでの期間にＳＰリーチが実行されているか否かにより、タイマ表示９４の位置が変更される。よって、ＳＰリーチのような演出が実行されているか否かという演出の状況を考慮することができ、遊技の興趣が向上する。
【０３７６】
また、図５０（ｃ）は、図５０（ａ）のリーチ状態から強ＳＰリーチへ発展した場合を示している。強ＳＰリーチは、弱ＳＰリーチと比べ大当り表示結果となる期待度が高い。図５０（ｃ）に示すように、今回実行される強ＳＰリーチは、期待度が５段階中の４なので、大当り期待度が高い演出であることが示される。強ＳＰリーチ中は、演出図柄が画像表示装置５の右上の領域において、小型化（縮小）した態様のコマンド図柄で表示される。またタイマ画像は、強ＳＰリーチが開始されるときに画面上の中央下部の第３領域９６から左端下部の位置（第１領域９１に対応する位置）へと移動する。
【０３７７】
また、強ＳＰリーチが実行されるときには、タイマ画像の枠部９６ｂの態様が変化する。たとえば、図５０（ｃ）に示すように、枠部９６ｂの色が白から赤（図５０（ｃ）の斜線部分）に変化する。また、タイマ表示９４は、カウントダウンされ「１５：００」で示されている。強ＳＰリーチでも弱ＳＰリーチと同様にタイマ表示９４が開始されてからタイマ表示９４が０秒となるまでの期間において、ＳＰリーチが実行されている場合には、タイマ表示９４が画面の左端の位置（第１領域９１に対応する位置）へ移動される。
【０３７８】
このように、タイマ表示９４の表示が開始されてからタイマ表示９４が０秒となるまでの期間にＳＰリーチが実行されているか否かにより、タイマ表示９４の位置が変更される。よって、ＳＰリーチのような演出が実行されているか否かという演出の状況を考慮することができ、遊技の興趣が向上する。
【０３７９】
また、ＳＰリーチは、ＳＰリーチまで発展せずに終了するノーマルリーチと比べ大当り期待度の高いリーチである。よって、このような大当りとなる期待度の高いリーチが実行されることを考慮することにより、遊技の興趣を向上させることができる。また、図５０に示すように、ＳＰリーチに発展する前の通常状態（リーチがかかっているのみの状態）においては画像表示装置５の中央下部の第３領域９６でタイマ表示９４を表示し、ＳＰリーチの実行中においては画像表示装置５の左端下部の位置（第１領域９１に対応する位置）でタイマ表示９４を表示する。よって、ＳＰリーチ中の演出をタイマ表示９４が阻害しないようにすることにより、遊技の興趣の低下を防止することができる。
【０３８０】
また、図５０に示すように、弱ＳＰリーチが実行されているときにはタイマ画像の枠部９６ａを白色のまま変化させず、強ＳＰリーチが実行されているときにはタイマ画像の枠部９６ｂを赤色に変化させて表示する。このようにすれば、実行されるＳＰリーチに応じたタイマ表示９４の枠の表示態様とすることにより、大当りに対する期待度が示され、遊技の興趣を向上させることができる。
【０３８１】
なお、タイマ演出の第４の変形例のタイマ演出が実行されているときに、第２領域９２に対応する位置においては、タイマ演出の第１の変形例で示したような第２領域演出が実行されるようにしてもよい。
【０３８２】
（本実施形態の効果など）
以上、本実施の形態によれば、図３９のステップＳ８４４，ステップＳ８４８，ステップＳ８５０で示したように、それぞれ異なるタイミングにより開始可能であり大当り遊技状態になることを示唆する複数種類の予告演出として、たとえば、保留／アクティブ変化演出、激熱演出、タイマ演出が実行可能である。図３９のステップＳ８３２，ステップＳ８３５で示したように、可変表示中に実行可能な予告演出のうちから少なくとも２種類の予告演出が実行される場合に、予告演出が実行されるよりも前の所定タイミングにおいて、実行される予告演出の種類の組合せを報知するストックゾーン演出が実行可能である。
【０３８３】
また、図２４で示したように、ストックゾーン演出において報知される予告演出の種類の組合せによって大当り遊技状態に制御される期待度が異なるようにストックゾーン演出が実行可能である。
【０３８４】
これにより、実行される予告演出の種類の組合せを報知することによって大当り遊技状態に制御される期待度を報知することができる。その結果、遊技の興趣を向上させることができる。
【０３８５】
また、図２４で示したように、ストックゾーン演出の実行タイミングによって大当り遊技状態に制御される期待度が異なるようにストックゾーン演出が実行される。
【０３８６】
これにより、ストックゾーン演出の実行タイミングによって大当り遊技状態に制御される期待度を報知することができる。その結果、遊技の興趣を向上させることができる。
【０３８７】
また、図２４，図２５で示したように、同じ種類の予告演出を実行する場合であっても、ストックゾーン演出で報知された後に実行するとき（たとえば、図２３のステップＳ７４６でストックゾーン演出の予告演出として決定された激熱演出が図３９のステップＳ８４８で実行される）とストックゾーン演出で報知されずに実行するとき（たとえば、図２３のステップＳ７５０で単独で決定された激熱演出が図２９のステップＳ３４６Ｃで実行される）とで大当り遊技状態に制御される期待度が異なるように予告演出が実行される。
【０３８８】
これにより、予告演出がストックゾーン演出で報知されたか否かによって大当り遊技状態に制御される期待度を報知することができる。その結果、遊技の興趣を向上させることができる。
【０３８９】
また、図３９のステップＳ８３７，ステップＳ８４２，ステップＳ８４６で示したように、報知された予告演出の種類にそれぞれ対応する図４１〜図４６のストック画像７４Ａ〜７４Ｃが、対応する予告演出が実行されるまで表示される。
【０３９０】
これにより、いずれの種類の予告演出が実行されるかをそれぞれの予告演出が実行されるまで遊技者に分かり易く知らせることができる。
【０３９１】
また、図３９のステップＳ８３５で示したように、ストックゾーン演出において、実行される予告演出の種類とともに当該予告演出の実行態様が報知される。
【０３９２】
これにより、ストックゾーン演出の演出態様が多彩になる。その結果、報知演出によって遊技の興趣を向上させることができる。
【０３９３】
また、図１６のステップＳ６１５，図２３のステップＳ７４５で示したように、ストックゾーン演出が実行されることを事前に示唆する待機中表示が実行可能である。
【０３９４】
これにより、ストックゾーン演出が実行されることが示唆されることによって遊技の興趣を向上させることができる。
【０３９５】
また、図２１（Ａ），（Ｂ）で示したように、待機中表示の実行期間（たとえば、表示期間）に応じて、待機中表示の後に生じる大当り遊技状態の期待度が異なるように待機中表示が実行される。
【０３９６】
これにより、待機中表示の実行期間に遊技者を注目させることができる。その結果、報知示唆演出によって遊技の興趣を向上させることができる。
【０３９７】
また、図１，図２で示したように、遊技者が操作可能なプッシュボタン１２６をさらに備える。図３９のステップＳ８３５、図４１，図４２，図４３で示したように、ストックゾーン演出において、プッシュボタン１２６の操作に基づいて、報知した種類の予告演出の実行態様を同時に報知する。
【０３９８】
これにより、遊技者が介入する要素を含ませることができる。その結果、遊技の興趣を向上させることができる。
【０３９９】
また、本実施の形態によれば、図３２（Ｅ）で示したように、作用演出が実行される期間に役物演出を実行する場合、少なくとも保留表示画像を変化させるときには保留表示画像に被らないように役物２００が動作させられる。
【０４００】
これにより、役物２００が表示エリア５ＨＬ，５ＨＲの少なくとも一部に被される位置に動作可能な場合であっても、保留表示画像を変化させるときには保留表示画像に被らない位置に役物２００が動作させられるので、保留表示画像の変化態様を遊技者にいち早く確認させることができる。その結果、遊技の興趣を向上させることができる。
【０４０１】
また、本実施の形態によれば、図２８で示したように、キャラクタＣＨＲ−Ａ，Ｂによる作用演出が実行されるときは、当該作用演出が実行されないときよりも短い期間の役物演出が実行可能である。
【０４０２】
これにより、役物２００が保留表示画像に被らない位置に、より早く動作させられるので、保留表示画像の変化態様を遊技者にいち早く確認させることができる。その結果、遊技の興趣を向上させることができる。
【０４０３】
また、本実施の形態によれば、図３２（Ｂ）で示したように、動作させられている役物２００が被らない位置で、キャラクタＣＨＲ−Ａ，ＣＨＲ−Ｂによる作用演出が開始される。
【０４０４】
これにより、役物２００が動作する場合であっても役物２００が被らない位置で作用演出が開始されるので、作用演出が開始されることを遊技者にいち早く確認させることができる。その結果、遊技の興趣を向上させることができる。
【０４０５】
また、本実施の形態によれば、図２７で示したように、保留表示画像の表示態様が変化することとなっているか否かで異なる割合で複数種類の作用演出のいずれかが実行可能である。
【０４０６】
これにより、いずれの作用演出が実行されるかに遊技者を注目させることができる。その結果、遊技の興趣を向上させることができる。
【０４０７】
また、本実施の形態によれば、図２７で示したように、複数の開始位置のいずれか（たとえば、画像表示装置５の右下または左下）から作用演出が開始される。
【０４０８】
これにより、いずれの開始位置で作用演出が開始されるかに遊技者を注目させることができる。その結果、遊技の興趣を向上させることができる。
【０４０９】
また、本実施の形態によれば、図３６で示したように、複数回の役物演出での役物２００の動作に亘って作用演出が実行可能である。
【０４１０】
これにより、複数回の役物演出での役物２００の動作に亘って作用演出が実行される。その結果、遊技の興趣を向上させることができる。
【０４１１】
また、本実施の形態によれば、スーパーリーチ中に、保留表示画像やアクティブ表示画像として表示される対応画像を全て非表示とすることで（図３４、図３７）、遊技者が対応画像に注目してしまうことを防止でき、スーパーリーチの演出効果の低下を軽減できる。また、アクティブ変化演出（第２演出）を実行するときに、ターゲット画像となっているアクティブ表示画像（対応画像）を再表示するので（図３４、図３７）、アクティブ変化演出（第２演出）が実行されるという好適のタイミングで、当該アクティブ表示画像に遊技者が注目できる。このように、この実施の形態では、対応画像（特に、アクティブ表示画像）を好適に表示できる。なお、この実施の形態では、対応画像を非表示とするスーパーリーチを複数種類用意しているので（スーパーリーチＡ及びＢ）（図１０参照）、遊技の興趣を向上させることができる。
【０４１２】
また、本実施の形態では、アクティブ変化演出（第２演出）実行時にアクティブ表示画像（ターゲット画像）を再表示するときに、その表示位置が、通常の位置（スーパーリーチ非実行時であり、表示エリア５ＨＡの位置）とは異なる位置（左下隅）となる（図３４、図３７）。これにより、アクティブ表示画像を好適に表示できる。特に、この実施の形態では、当該画像を、通常の位置よりも目立たない位置（下部の中央よりも目立たない隅）や態様（縮小した態様）で再表示するので（図３４）、アクティブ表示画像によるスーパーリーチの演出効果の低下を軽減でき、アクティブ表示画像を好適に表示できる。
【０４１３】
また、本実施の形態では、アクティブ変化演出（第２演出）に作用演出（ブーメラン５Ｚが、アクティブ表示画像としての対応画像（ターゲット画像）に向かって移動して作用する作用演出）が含まれる（図３４）。これによって、アクティブ変化演出（第２演出）の演出効果を高めることができる。また、作用演出として、アクティブ表示画像（ターゲット画像）の表示色を変化させないもの（ガセのアクティブ変化演出における作用演出）と、アクティブ表示画像の表示色を変化させるもの（成功のアクティブ変化演出における作用演出）と、があり（図３４）、これによって、遊技者は、作用演出や表示色の変化に注目し、アクティブ変化演出（第２演出）の演出効果を高めることができる。
【０４１４】
また、本実施の形態では、アクティブ変化演出（第２演出）が実行されて、アクティブ表示画像（ターゲット画像）の表示色が変化したとき（演出が成功のとき）、変化後のアクティブ表示画像はスーパーリーチ終了時まで継続表示される（図３４、図３７）。これによって、遊技者が注目するであろう、変化後のアクティブ表示画像（ターゲット画像）を長く表示でき、アクティブ表示画像を好適に表示できる。一方、アクティブ変化演出（第２演出）が実行されて、アクティブ表示画像（ターゲット画像）の表示色が変化しないとき（演出がガセのとき）、当該アクティブ表示画像はすぐに非表示（スーパーリーチ終了前に非表示）となる（図３４、図３７）。これによって、注目度の低いアクティブ表示画像をすぐに非表示にすることができ、アクティブ表示画像を好適に表示できる。また、本実施形態のように、アクティブ変化演出によりアクティブ表示画像の表示色が変化したときの方が、変化しなかったときよりも長く継続表示されることで、アクティブ表示画像を好適に表示できる（変化しなかったときよりも注目度の高い変化後のアクティブ表示画像を長く表示するため）。なお、本実施形態のように、アクティブ変化演出による変化後の表示色の大当り期待度が、変化前の表示色よりも高くなるときには、当該変化後のアクティブ表示画像を変化無しのときよりも長く表示することで、遊技者に取って好ましいアクティブ表示画像の表示時間を長くすることができ、アクティブ表示画像を好適に表示できる。
【０４１５】
また、本実施の形態では、スーパーリーチにより非表示にされた各対応画像（保留表示画像やアクティブ表示画像）の再表示を、スーパーリーチの終了後の所定タイミングから開始する（図３７）。仮に、保留表示画像やアクティブ表示画像の再表示を、スーパーリーチ終了直後からとすると、成功のアクティブ変化演出（第２演出）により表示継続されているアクティブ表示画像は、その表示位置がスーパーリーチ終了前後で唐突に変わることになる。この実施の形態では、前記再表示をスーパーリーチの終了後の所定タイミングから開始するので、成功のアクティブ変化演出（第２演出）が実行されてアクティブ表示画像がスーパーリーチ終了まで継続表示されても、当該アクティブ表示画像は一旦非表示となり、前記のような違和感を生じ難くさせることができる（アクティブ表示画像を好適に表示できる）。
【０４１６】
また、本実施の形態では、スーパーリーチの種類に応じて、アクティブ変化演出の実行タイミングの決定割合が異なっている（図２６）。これによって、スーパーリーチの種類に応じて、アクティブ表示画像（ターゲット画像）の再表示の割合が異なることになるので、アクティブ表示画像の再表示に注目させることができる。特に、スーパーリーチＢの方が、スーパーリーチ中にアクティブ変化演出が実行されやすい（アクティブ表示画像（ターゲット画像）が再表示されやすい）ので、期待度の高いスーパーリーチＢにおいてアクティブ表示画像の変化にも注目させることができる。また、スーパーリーチＢ前にアクティブ変化演出の実行がなくても、スーパーリーチ中にアクティブ変化演出の実行を期待できる。
【０４１７】
また、本実施の形態では、他の表示領域とは区切られた表示エリア５ＨＡが設定され（図３１〜図３４）、この表示エリア５ＨＡの内部において、アクティブ表示画像としての対応画像が表示される。更に、表示エリア５ＨＡの内部において実行される演出として、アクティブ変化演出（第１演出）を実行する（図３３）。アクティブ表示画像を強調するためには、アクティブ表示画像の表示領域（表示エリア５ＨＡ）を拡大することが考えられる。しかし、アクティブ表示画像の表示領域を拡大する場合、他の予告演出における表示の妨げになって遊技興趣の低下を招く可能性がある。これに対して、本実施の形態では、他の表示領域とは区切られた表示エリア５ＨＡが設定され、この表示エリア５ＨＡの内部においてアクティブ変化演出（第１演出）が実行可能である（表示エリア５ＨＡ内で演出が完結する）。このため、アクティブ表示画像を強調しつつ、遊技興趣を向上させることができる。
【０４１８】
また、図４７で示したように、図４７（ｂ）の特殊演出が実行された後に、図４７（ｄ）のようにタイマ演出が実行される場合と、図４７（ｃ）のように実行されない場合とがあることにより、遊技者に、タイマ演出を実行する前において、タイマ演出が実行されることに対する期待感を持たせることが可能となり、タイマ演出を実行する前の過程について遊技の興趣を向上させることができる。
【０４１９】
また、図４８で示したように、タイマ演出において表示されるタイマ表示９４は、表示が開始されてからカウントダウンされ、所定態様である０秒を示す「００：００」となるまでの期間において、フリーズ演出を経由するパターンとフリーズ演出を経由しないパターンとが設けられている。よって、タイマ表示９４によるカウントダウンが開始されてから０秒となるまでの期間におけるタイマ表示９４の表示態様に遊技者を注目させることができる。
【０４２０】
また、図４９で示したように、タイマ表示９４が０秒となったときにタイマ表示９４の計時数値が増加する特別パターンが実行可能であることにより、タイマ表示９４の値が０秒となったときの演出に遊技者を注目させることができる。
【０４２１】
また、図５０で示したように、ＳＰリーチを実行しているか否かにより、第３領域９６の位置を変更可能であることにより、ＳＰリーチのような演出が実行されているか否かという演出の状況を考慮することができ、遊技の興趣が向上する。
【０４２２】
（変形例）
この発明は、上記実施の形態に限定されず、上記実施の形態について様々な変形及び応用が可能である。例えばパチンコ遊技機１は、上記実施の形態で示した全ての技術的特徴を備えるものでなくてもよく、従来技術における少なくとも１つの課題を解決できるように、上記実施の形態で説明した一部の構成を備えたものであってもよい。以下に変形例を列挙するが、下記の変形例の少なくとも一部の思想同士を互いに組み合わせてもよい。
【０４２３】
（１）  前述した実施の形態においては、図３９のステップＳ８４４，ステップＳ８４８，ステップＳ８５０、および、図４４（Ｂ）、図４５（Ｂ）および図４６（Ｂ）で示したように、ストックゾーン演出において、実行される予告演出の種類が報知された後、当該予告演出をそれぞれ実行する前には、特に共通の態様の演出を実行しないようにした。
【０４２４】
しかし、これに限定されず、ストックゾーン演出において、実行される予告演出の種類が報知された後、当該予告演出をそれぞれ実行する前に、共通の態様の演出を実行するようにしてもよい。たとえば、「いくよー！」といったような共通のセリフを、各キャラクタの音声として出力したり、吹出しなどの画像として表示したりしてもよい。これによれば、ストックゾーン演出の後、予告演出が開始されるタイミングを遊技者に明確に知らせることができる。
【０４２５】
（２）  前述した実施の形態においては、図３９のステップＳ８３２、図４２（Ｃ）、および図４３（Ｃ）で示したように、実行される予告演出の種類が複数であったとしても、ストックゾーン演出において、実行される予告演出の種類を同時に報知するようにした。
【０４２６】
しかし、これに限定されず、実行される予告演出の種類が複数である場合、ストックゾーン演出において、当該ストックゾーン演出において報知される予告演出の種類を、当該ストックゾーン演出の実行前に、段階的に報知することが可能であるようにしてもよい。たとえば、図４２（Ｃ），図４３（Ｃ）で示したような複数のキャラクタを段階的に表示することによって、それぞれのキャラクタに対応する予告演出を段階的に報知するようにしてもよい。これによれば、予告演出の種類が段階的に報知されるので、遊技者の期待感を段階的に高めることができる。
【０４２７】
具体的には、所定のタイミング（たとえば、擬似連の２回目の開始時）にストックゾーン演出を実行する場合、所定のタイミングの２段階前のタイミング（たとえば、擬似連の開始前）に決定済みのキャラクタの数に満たない数のキャラクタを表示させる初期数表示演出、所定のタイミングの１段階前のタイミング（たとえば、擬似連の１回目の開始時）にキャラクタの数を決定済みのキャラクタの数まで増加させて表示させる増加表示演出を実行するようにしてもよい。また、始動入賞時にストックゾーン演出を実行すると決定している場合、ストックゾーン演出が実行される可変表示までの可変表示において、初期数表示演出および増加表示演出を実行するようにしてもよい。始動入賞時にストックゾーン演出を実行すると決定している場合、ストックゾーン演出が実行される可変表示までの可変表示において、所定の増加タイミングのいずれかごとに１人ずつキャラクタの数が増えていき、ストックゾーン演出の実行時には決定済みのキャラクタの数に達しているようにしてもよい。
【０４２８】
（３）  前述した実施の形態においては、図２１（Ａ），（Ｂ）で示したように、待機中表示の実行期間（たとえば、表示期間）に応じて、待機中表示の後に生じる大当り遊技状態の期待度が異なるように待機中表示が実行されるようにした。
【０４２９】
しかし、これに限定されず、待機中表示の実行期間に応じて、待機中表示の後に生じるスーパーリーチ演出の期待度が異なるように待機中表示を実行するようにしてもよいし、待機中表示の後に生じるストックゾーン演出で報知される予告演出の種類の組合せの期待度が異なるように待機中表示を実行するようにしてもよい。これによっても、待機中表示の実行期間に遊技者を注目させることができる。その結果、報知示唆演出によって遊技の興趣を向上させることができる。
【０４３０】
（４）  前述した実施の形態においては、図４１，図４２，図４３で示したように、遊技者が操作可能なプッシュボタンの操作に基づいて、ストックゾーン演出において、報知した種類の予告演出の実行態様を報知するようにした。
【０４３１】
しかし、これに限定されず、プッシュボタンの操作に関係なく、ストックゾーン演出において、報知した種類の予告演出の実行態様を、同時または順次、報知するようにしてもよい。
【０４３２】
（５）  前述した実施の形態においては、ストックゾーン演出で表示され得る予告演出の種類にそれぞれ対応する所定画像が異なる３人のキャラクタの画像であることとしたが、これに限定されず、複数であれば何人であってもよい。また、所定画像は、異なるキャラクタの画像に限定されず、他の種類の形状のあるものの画像、たとえば、異なる飾り文字などの文字画像であってもよい。所定画像は、異なる模様の画像であってもよいし、異なる色彩の画像であってもよいし、異なる形状、模様または色彩の組合せの画像であってもよい。
【０４３３】
（６）  前述した実施の形態においては、ストックゾーン演出で選択され得る予告演出が、保留／アクティブ変化演出、激熱演出およびタイマ演出の３種類であることとした。しかし、これに限定されず、予告演出は、これらのものを含まなくても、他の予告演出（たとえば、カットイン演出、連続予告演出、ＳＰリーチ演出、ステップアップ予告演出、擬似連演出）を含んでもよい。
【０４３４】
（７）  前述した実施の形態においては、始動入賞時および可変表示の開始時にストックゾーン演出を実行するか否かを決定するようにした。しかし、これに限定されず、始動入賞時および可変表示の開始時のいずれかのタイミングのみでストックゾーン演出を実行するか否かを決定するようにしてもよい。
【０４３５】
（８）  前述した実施の形態においては、始動入賞時にストックゾーン演出を実行すると決定した場合に、ストックゾーン演出の待機中表示を、始動入賞時のストックゾーン演出の実行の決定時、および、対応する可変表示の開始時のいずれから開始するかを決定するようにした。しかし、これに限定されず、始動入賞時にストックゾーン演出を実行すると決定した場合に、待機中表示を必ずその決定時から開始するようにしてもよい。また、始動入賞時にストックゾーン演出を実行すると決定した場合に、必ず対応する可変表示の開始時から待機中表示を開始するようにしてもよい。また、始動入賞時から当該始動入賞に対応する可変表示の表示結果が導出表示されるまでの複数の所定タイミング（始動入賞時のストックゾーン演出の決定時、ストックゾーン演出が実行される前の可変表示の開始時，擬似連の開始時，ＳＰリーチ時、ストックゾーン演出が実行される可変表示の開始時，擬似連の開始時，ＳＰリーチ時）のうちのいずれかから待機中表示を開始するようにしてもよい。
【０４３６】
（９）  前述した実施の形態においては、ストックゾーン演出の開始タイミングを、対応する可変表示の開始時のタイミング、および、ＳＰリーチ前のタイミングのいずれかから決定するようにした。しかし、これに限定されず、ストックゾーン演出の開始タイミングは、可変表示中のランダムに決定したタイミングとしてもよいし、３以上の複数の所定のタイミングから決定したタイミングとしてもよいし、１つの所定のタイミングとしてもよい。所定のタイミングとしては、開始時のタイミングやＳＰリーチ前のタイミングに限定されず、擬似連の再変動時であってもよいし、擬似連の再変動後の所定のタイミングであってもよいし、リーチ状態となる前または後の所定のタイミングであってもよい。
【０４３７】
（１０）  前述した実施の形態においては、図３９のステップＳ８３７，ステップＳ８４２，ステップＳ８４６および図４１〜図４６で示したように、報知演出（ストックゾーン演出）で報知された予告演出の種類にそれぞれ対応する所定画像（ストック画像７４Ａ〜７４Ｃ）を、対応する予告演出が実行されるまで表示するようにした。
【０４３８】
しかし、これに限定されず、次のようにしてもよい。所定画像は、報知演出を実行してから対応する予告演出が実行されるまでの期間を表示するもの（たとえば、前述のストック画像と前述のタイマ表示とをセットで表示する所定画像）と、対応する予告演出が実行されるまでの期間を表示しないもの（たとえば、ストック画像７４Ａ〜７４Ｃ）とを含み、報知演出で報知された予告演出の種類にそれぞれ対応する所定画像を、対応する予告演出が実行されるまで表示する。これにより、遊技者は、開始されるタイミングが分かる予告演出と、いつ開始されるか分からない予告演出との両方を楽しみに待つことができる。その結果、遊技の興趣を向上させることができる。
【０４３９】
（１１）  前述した実施の形態においては、図２４で示したように、ストックゾーン演出で報知される予告演出が実行される順番については特に説明しなかった。しかし、これに限定されず、ストックゾーン演出で報知された複数の予告演出が実行される順番によって有利状態に制御される期待度が異なるようにしてもよい。これによれば、ストックゾーン演出に対応する複数の予告演出が実行される順番によって有利状態に制御される期待度を報知することができる。その結果、遊技の興趣を向上させることができる。
【０４４０】
たとえば、ストックゾーン演出で報知される予告演出としてキャラクタＡ，Ｂ，Ｃに対応する予告演出が決定された場合、キャラクタＡ，キャラクタＢ，キャラクタＣに対応する予告演出の順番（ここでは、このような順番をＡ，Ｂ，Ｃの順番ということとする）、Ａ，Ｃ，Ｂの順番、Ｂ，Ａ，Ｃの順番、Ｂ，Ｃ，Ａの順番、Ｃ，Ａ，Ｂの順番、Ｃ，Ｂ，Ａの順番で有利状態に制御される期待度が異なるようにしてもよい。
【０４４１】
（１２）  前述した実施の形態においては、図４４（Ｂ），図４５（Ｂ），図４６（Ｂ）で示したように、ストックゾーン演出で報知された予告演出が開始されるときに、ストック画像を消去して、対応するキャラクタを表示した後に、当該予告演出を開始するようにした。しかし、これに限定されず、ストックゾーン演出で報知された予告演出が開始されるときに、ストック画像を消去した後、対応するキャラクタを表示せずに、当該予告演出を開始するようにしてもよい。
【０４４２】
（１３）  前述した実施の形態においてストックゾーン演出で報知された予告演出が保留／アクティブ変化演出（２回）の場合、図３９のステップＳ８４１〜ステップＳ８４６で示したように、保留／アクティブ変化演出の１回目のタイミングで、ストック表示７３から対応するストック画像７４Ａを消去して、表示されたキャラクタＣＨＲ−Ａが保留／アクティブ表示に作用する保留／アクティブ変化演出を実行した後、ストック表示７３にストック画像７４Ａを再表示させた後に、保留／アクティブ変化演出の２回目のタイミングで、ストック表示７３から対応するストック画像７４Ａを消去して、表示されたキャラクタＣＨＲ−Ａが保留／アクティブ表示に作用する保留／アクティブ変化演出を実行するようにした。
【０４４３】
しかし、これに限定されず、保留／アクティブ変化演出の１回目のタイミングで、ストック表示７３から対応するストック画像７４Ａを消去して、表示されたキャラクタＣＨＲ−Ａが保留／アクティブ表示に作用する保留／アクティブ変化演出を実行した後、表示されたキャラクタＣＨＲ−Ａはそのまま表示された状態とし、保留／アクティブ変化演出の２回目のタイミングで、表示されたキャラクタＣＨＲ−Ａが保留／アクティブ表示に作用する保留／アクティブ変化演出を実行するようにしてもよい。
【０４４４】
（１４）  前述した実施の形態においては、図４６（Ｃ）で示したように、タイマ演出が開始されると対応するキャラクタＣＨＲ−Ｃを消去するようにした。しかし、これに限定されず、タイマ演出とともに対応するキャラクタＣＨＲ−Ｃを表示したままとするようにしてもよい。
【０４４５】
（１５）  前述した実施の形態においては、図４４（Ｂ），図４５（Ｂ），図４６（Ｂ）で示したように、ストックゾーン演出で報知された予告演出に対応するストック画像からキャラクタが１人ずつ動作するようにした。しかし、これに限定されず、ストック画像が複数ある場合、すべてのストック画像からキャラクタが同時に動作するようにしてもよい。また、ストックゾーン演出で報知された予告演出が複数である場合、これらのうちの２つ以上の予告演出が同時に実行されるようにしてもよい。たとえば、タイマ演出と激熱演出の実行前の準備中の表示とが同時に実行されるようにしてもよいし、タイマ演出と激熱演出とが同時に実行されるようにしてもよい。
【０４４６】
（１６）  前述した実施の形態においては、ストックゾーン演出を実行するか否か、および、ストックゾーン演出で報知する予告演出の種類を、始動入賞時に決定するようにした。しかし、これに限定されず、ストックゾーン演出を実行するか否か、および、ストックゾーン演出で報知する予告演出の種類を、始動入賞時から対応する可変表示においてストックゾーン演出の実行タイミングとなるまでの実行前期間に、段階的に決定するようにしてもよい。
【０４４７】
たとえば、実行前期間のうちのいずれかのタイミングでストックゾーン演出を実行するか否かを決定し、その後のいずれかのタイミングでストックゾーン演出で報知する予告演出の種類を決定するようにしてもよい。
【０４４８】
また、実行前期間のうちのいずれかのタイミングでストックゾーン演出を実行するか否かを決定し、その後のいずれかのタイミングごとに、増加させる予告演出の種類を決定するようにしてもよい。この場合に、ストックゾーン演出を実行すると決定されたときに待機中表示を開始し、予告演出の種類の増加が決定されるごとに、ストック画像を追加表示するようにしてもよい。
【０４４９】
（１７）  前述した実施の形態においては、図７のステップＳ４２２で示したように、始動入賞時に変動パターン種別指定コマンドを送信するようにした。しかし、これに限定されず、始動入賞時に変動パターンの種類を決定するとともに変動パターンの種類を直接指定するコマンドを送信するようにしてもよい。たとえば、図３で示したように、変動パターン指定コマンドは、８１ＸＸ（Ｈ）であるが、この変動パターン指定コマンドで指定されるＸＸ（Ｈ）で示される変動パターンの種類と同じ種類を指定する始動入賞時変動パターン指定コマンドＥ０ＸＸ（Ｈ）を始動入賞時に送信するようにしてもよい。
【０４５０】
（１８）  前述した実施の形態においては、特別図柄の変動表示の開始時に、図２３のステップＳ７４３でストックゾーン演出を実行すると決定したと判断した場合、ステップＳ７４５で図４０（Ｄ），（Ｅ）で示したような待機中の表示を開始するようにした。
【０４５１】
しかし、これに限定されず、ステップＳ７４３においてストックゾーン演出を実行すると決定したと判断した場合であって、ストックゾーン演出の開始タイミングが変動開始時と決定されている場合は、ステップ７４５において待機中の表示を開始しないようにしてもよい。このようにした場合、図４１（Ａ），図４２（Ａ），図４３（Ａ）で示すような待機中の表示がされていない状態で、いきなり、図３９のステップＳ８３２が実行されることによって、変動開始直後にストックゾーン演出が開始される（図４１（Ｂ），図４２（Ｂ），図４３（Ｂ）参照）。変動開始時にストックゾーン演出の実行が決定されるとともにストックゾーン演出が開始される場合、待機中の表示が実行されたとしても、待機中の表示の期間は短いため、待機中の表示がされないことにより遊技者の期待感を損なうことはほぼ無い。逆に、待機中の表示無しにストックゾーン演出が開始されるため、遊技者にサプライズ感を与えることができる。
【０４５２】
さらに、ステップＳ７４３においてストックゾーン演出を実行すると決定したと判断した場合であって、ストックゾーン演出の開始タイミングが変動開始時と決定されていない場合（前述した実施の形態では、ＳＰリーチ前と決定されている場合）についても、ステップＳ７４５において待機中の表示を開始しないようにしてもよい。このようにした場合、待機中の表示がされていない状態で、変動表示の途中に前兆無しでいきなり、ストックゾーン演出が開始されることとなる。このため、遊技者にサプライズ感を与えることができる。
【０４５３】
（１９）  前述した実施の形態においては、図４１（Ｅ）で示したように、保留／アクティブ変化演出の変化の回数に関わらず、同じストック表示７３を表示するようにした。しかし、これに限定されず、保留／アクティブ変化演出の変化の回数に応じてストック表示７３の表示態様を異ならせるようにしてもよい。たとえば、変化の回数に応じた数のストック表示を表示する（たとえば、変化が１回であればストック表示を１つ表示し、２回であればストック表示を２つ表示する）ようにしてもよいし、ストック表示の近傍に変化の回数を示す情報（たとえば、「×１」や「×２」といった文字情報）を表示するようにしてもよいし、変化の回数に応じてストック表示の色を異ならせる（たとえば、変化が１回であればストック表示を緑色が目立つような態様で表示し、変化が２回であればストック表示を赤色が目立つような態様で表示する）ようにしてもよい。
【０４５４】
（２０）  前述した実施の形態においては、図３２（Ｅ）で示したように、保留表示画像への作用演出が実行される期間に役物演出を実行する場合、少なくとも保留表示画像を変化させるときには保留表示画像に被らないように役物２００が動作させられるようにした。しかし、これに限定されず、アクティブ表示画像への作用演出が実行される期間に役物演出を実行する場合、少なくともアクティブ表示画像を変化させるときにはアクティブ表示画像に被らないように役物２００が動作させられるようにしてもよい。
【０４５５】
これにより、役物２００が表示エリア５ＨＡの少なくとも一部に被される位置に動作可能な場合であっても、アクティブ表示画像を変化させるときにはアクティブ表示画像に被らない位置に役物２００が動作させられるので、アクティブ表示画像の変化態様を遊技者にいち早く確認させることができる。その結果、遊技の興趣を向上させることができる。なお、以下の保留表示画像に関する変形例についても、保留表示画像に替えて、アクティブ表示画像に適用できる。
【０４５６】
（２１）  前述した実施の形態においては、図３０のステップＳ８１８，ステップＳ８１９で示したように、演出制御用ＣＰＵ１２０が、役物２００が待機位置に戻ったと判断したときに、保留表示画像へのキャラクタＣＨＲ−Ａ，ＣＨＲ−Ｂによる作用を開始するようにした。しかし、これに限定されず、ステップＳ８１８の処理を実行しないようにしてもよい。
【０４５７】
このような場合であっても、役物２００が待機位置に戻るタイミングより後に、保留表示画像へのキャラクタＣＨＲ−Ａ，ＣＨＲ−Ｂによる作用を開始するタイミングとなるように、それぞれのタイミングを予め定めておけば、ステップＳ８１８のようなそれぞれのタイミングを調整する処理を実行しない場合であっても、保留表示画像を変化させるときには保留表示画像に被らない位置に役物２００が動作させられる。
【０４５８】
（２２）  前述した実施の形態においては、図３５で示したように、キャラクタＣＨＲ−Ａ，ＣＨＲ−Ｂによる作用演出の開始タイミングは、役物演出の開始タイミングよりも早いタイミングであることとした。しかし、これに限定されず、作用演出が開始されたことを遊技者が認識できるとともに、作用演出の終了後の保留表示画像の態様の変化を遊技者が認識することができるのであれば、作用演出の開始タイミングが役物演出の開始タイミングよりも遅いタイミングであってもよいし、作用演出の開始タイミングが役物演出の開始タイミングと同じタイミングであってもよい。
【０４５９】
（２３）  前述した実施の形態においては、擬似連の変動パターンは、１種類であることとした。しかし、これに限定されず、擬似連の変動パターンが、擬似連の回数によって複数種類あることとしてもよい。この場合、擬似連の回数が１回，２回，３回と増加するにしたがって、作用演出が終了するタイミングが遅くなるようにしてもよい。具体的には、作用演出の期間が、擬似連の回数に応じて、予め定められた複数の期間から選択されるようにしてもよい。また、擬似連が実行された後にリーチになって大当り遊技状態となる期待度の高いスーパーリーチが実行されているときまで作用演出（作用演出のキャラクタの表示）が継続し続けるように、作用演出が終了するタイミングが遅くなるようにしてもよい。
【０４６０】
（２４）  操作促進報知（操作促進画像や残存有効期間画像）が役物２００で隠蔽されることがあるようにしてもよい。この場合に、操作促進報知が終了するのは、役物２００が待機位置に戻った後であることが好ましい。具体的には以下に説明する。
【０４６１】
図５３は、役物予告演出およびボタン予告演出の具体例を示す説明図である。役物予告演出（役物演出ともいう）は、役物２００を一時的に待機位置から演出位置に移動させる制御が行われる演出である。また、ボタン予告演出は、プッシュボタン１２６の操作を促す操作促進報知を伴い、検出有効期間中にプッシュボタン１２６の操作が行われたことにもとづいて実行される演出である。ボタン予告演出では、それぞれ対応する検出有効期間が開始されるタイミングになると、画像表示装置５において、プッシュボタン１２６の操作を促すための操作促進報知が行われる（例えば、プッシュボタン１２６の外観を模した操作促進画像や、検出有効期間の残存期間を示す残存有効期間画像が表示される。図５３（Ｂ）〜（Ｅ）参照）。そして、検出有効期間中にプッシュボタン１２６の操作が少なくとも１回検出されたことにもとづいて、ボタン予告演出画像（例えば、キャラクタが所定のセリフを言う画像や、所定のメッセージが示される画像など、大当りとなる可能性を示唆する画像）が表示される。
【０４６２】
画像表示装置５において、飾り図柄の変動表示が開始された後（図５３（Ａ））、役物予告演出およびボタン予告演出が開始されると、役物２００が演出位置に移動する制御が開始されるとともに、画像表示装置５の表示画面において、プッシュボタン１２６の外観を模した操作促進画像２０１と、残存有効期間画像２０２とが表示される（図５３（Ｂ））。そして、役物２００は、演出位置に向かって徐々に移動し、残存有効期間画像２０２は、経過期間に応じて（すなわち検出有効期間の残存期間に応じて）、残存期間を示す指示領域（図５３の例では網掛け領域が相当する）がメータ表示領域に占める割合が減少するように更新される（図５３（Ｃ））。
【０４６３】
次いで、役物２００は、演出位置に到達すると、所定期間停止する（図５３（Ｄ））。このときには、ボタン予告演出による操作促進画像２０１および残存有効期間画像２０２は、役物２００に覆い隠されて視認困難となる。ただし、この実施の形態では、図５３（Ｄ）に示すように、操作促進画像２０１および残存有効期間画像２０２は、役物２００よりもサイズが大きくなるように構成されているため、完全に視認できなくなるわけではなく、常に一部は視認可能である。そのため、遊技者が検出有効期間（すなわちボタン予告演出）を見逃してしまうことを防止することができる。
【０４６４】
次いで、役物２００は、演出位置に所定期間停止した後に、待機位置に移動する（図５３（Ｅ））。この実施の形態では、ボタン予告演出は、役物予告演出よりも後に終了するように構成されている。すなわち、ボタン予告演出の検出有効期間は、操作促進画像２０１および残存有効期間画像２０２が視認困難な状態である期間よりも後に終了するように構成されている。そのため、図５３（Ｅ）に示すように、操作促進画像２０１および残存有効期間画像２０２は、役物２００が待機位置に戻った後、すなわち視認困難な状態が解消された後にも、画像表示装置５に表示されている。
【０４６５】
ここで、プッシュボタン１２６の操作が検出されると、「チャンス！」のセリフを言うキャラクタを示すボタン予告演出画像２０３が表示される（図５３（Ｆ））。
【０４６６】
また、検出有効期間の残存期間に応じて、メータ表示領域内の指示領域の割合が異なる残存有効期間画像を更新して表示することにより、検出有効期間の残存期間を示すように構成されている。すなわち、残存有効期間画像におけるメータ表示領域は全検出有効期間を示し、指示領域は検出有効期間の残存期間を示す。具体的には、検出有効期間が開始されると、指示領域がメータ表示領域の全領域を占める残存有効期間画像（例えば、図５３（Ｂ）に示す残存有効期間画像２０２。網掛け領域が指示領域に相当する）が表示され、検出有効期間の残存期間の減少に応じて、指示領域がメータ表示領域に占める割合が減少した残存有効期間画像（例えば、図５３（Ｃ）に示す残存有効期間画像２０２）が表示され、検出有効期間が終了するとき（または所定操作が検出されたとき）には、指示領域がメータ表示領域に占める割合が０である残存有効期間画像が表示される。したがって、遊技者は、残存有効期間画像の状態を確認することによって、検出有効期間の残存期間を把握することができる。なお、指示領域がメータ表示領域に占める割合が０である残存有効期間画像を、有効期間終了画像ともいい、有効期間終了画像を表示することにより、検出有効期間が終了したことを報知する検出有効期間終了報知を行う。
【０４６７】
このように、遊技者の動作を検出可能な検出手段（本例では、プッシュボタン１２６やスティックコントローラなど）と、所定の動作を行う可動部材（本例では、役物２００）と、検出手段による検出が有効な検出有効期間であることを示す検出有効期間表示（本例では、残存有効期間画像）を表示する検出有効期間表示手段とを備えている。そして、検出有効期間表示は、可動部材が動作することにより少なくとも一部が隠される視認困難状態（例えば、図５３（Ｄ）に示す残存有効期間画像２０２が役物２００により覆い隠された状態）となる場合があり、検出有効期間は、検出有効期間表示が視認困難状態である期間よりも後に終了する（例えば、役物２００が演出位置から待機位置に戻った後、すなわち残存有効期間画像の視認困難状態が解消された後に、検出有効期間は終了する）ように構成されている。そのため、可動部材を動作可能とするとともに、遊技者が検出有効期間であることを見逃してしまうことを防止することができる。
【０４６８】
例えば、検出手段による検出が有効な検出有効期間であることを示す検出有効期間表示を表示する構成と、可動部材を動作させる演出を実行する構成とを単純に組み合わせると、可動部材が動作することにより検出有効期間表示が隠されてしまい、遊技者が検出有効期間であることを見逃してしまうおそれがある。そこで、この実施の形態では、検出有効期間表示が可動部材により視認困難状態となる期間よりも後に検出有効期間を終了するように構成することで、可動部材を動作させる演出を実行可能とするとともに、遊技者が検出有効期間であることを見逃してしまうことを防止している。
【０４６９】
なお、ここではプッシュボタン１２６またはスティックコントローラの操作が検出されたか否かにより、遊技者の動作を検出するように構成されているが、これに限らず、プッシュボタン１２６やスティックコントローラの連打操作や長押し操作等の操作が検出されたか否かや、プッシュボタン１２６やスティックコントローラ等を用いて所定情報（例えば、特定のコマンド等）を入力する操作が行われたか否かにより、遊技者の動作を検出するようにしてもよい。また、プッシュボタン１２６やスティックコントローラに代えて、または加えて、遊技者の動作を検出すると、検出信号を入力する赤外線センサや光センサ等の非接触型のセンサを設け、これらのセンサを用いて遊技者の動作を検出するようにしてもよい。
【０４７０】
また、ここでは、検出有効期間表示は、視認困難状態である場合にも、少なくとも一部は視認可能である（例えば、図５３（Ｄ）に示すように、残存有効期間画像２０２は、役物２００により覆い隠された状態であっても、完全に視認できなくなるわけではなく、常に一部は視認可能である）ように構成されている。そのため、可動部材を動作可能とするとともに、遊技者が検出有効期間であることを見逃してしまうことを防止することができる。
【０４７１】
なお、ここでは、検出有効期間表示（本例では、残存有効期間画像）は、視認困難状態である場合にも、少なくとも一部は視認可能であるように構成されているが、可動部材（本例では、役物２００）が動作することにより完全に隠される視認困難状態となる場合があるように構成してもよい。
【０４７２】
また、ここでは、検出有効期間表示が視認困難状態である場合の例として、可動部材が動作する（本例では、役物２００が演出位置に移動して所定期間停止する）ことにより、可動部材と重なる部分が視認できず、重なっていない部分のみ視認可能となる状態について説明したが、これに限らず、例えば、可動部材が連続して動作する（具体的には、役物２００が画像表示装置５の表示画面前を移動する制御が繰り返し行われる）ことにより、検出有効期間表示が見づらくなる状態（見づらくなるものの役物２００と重なっていないタイミングで残存有効期間画像を視認可能）や、半透明の可動部材が検出有効期間表示と重なることにより、検出有効期間表示が見づらくなる状態（見づらくなるものの役物２００を透して残存有効期間画像を視認可能）なども、検出有効期間表示が視認困難状態である場合に含まれる。
【０４７３】
また、ここでは、可変表示中に演出を実行する演出実行手段を備え、演出実行手段は、検出手段が遊技者の動作を検出したことにもとづいて、検出演出（ここでは、ボタン予告演出）を実行する検出演出実行手段と、可動部材を動作させる可動部材演出（本例では、役物予告演出）を実行する可動部材演出実行手段とを含み、可変表示がリーチ状態となる前の期間において、検出演出と可動部材演出とを同時期に実行可能である（例えば、リーチ状態となる前の期間において、ボタン予告演出と役物予告演出とを同時期に実行可能である）ように構成されている。そのため、重要な演出に注目させることができ、効果的に演出を行うことができる。
【０４７４】
（２５）  前述した実施の形態においては、図２３のステップＳ７５６，ステップＳ７５７で示したように、作用演出の態様を決定した後に、役物演出の態様を決定するようにした。しかし、これに限定されず、役物演出の態様を決定した後に、作用演出の態様を決定するようにしてもよい。たとえば、役物演出の態様を図２８で示した長時間のパターンに決定した場合は、作用演出は不実行にすると決定し、短時間のパターンに決定した場合は、作用演出の態様を図２７のテーブルに基づいて決定するようにしてもよい。
【０４７５】
（２６）  また、作用演出の態様と役物演出の態様とを同時に決定するようにしてもよい。具体的には、図５４で説明する。図５４は、作用演出および役物演出決定テーブルの一例を示す図である。たとえば、演出制御用ＣＰＵ１２０は、保留変化演出を実行しないと決定した場合、作用演出の態様および役物演出の態様を、それぞれ、１５／１００の割合で不実行および不実行、１４／１００の割合で不実行および実行、１３／１００の割合でキャラクタＣＨＲ−Ｂが保留表示画像の左から作用する態様および不実行、１２／１００の割合でキャラクタＣＨＲ−Ｂが保留表示画像の右から作用する態様および不実行、１１／１００の割合でキャラクタＣＨＲ−Ａが保留表示画像の左から作用する態様および不実行、９／１００の割合でキャラクタＣＨＲ−Ａが保留表示画像の右から作用する態様および不実行、８／１００の割合でキャラクタＣＨＲ−Ｂが保留表示画像の左から作用する態様および実行、７／１００の割合でキャラクタＣＨＲ−Ｂが保留表示画像の右から作用する態様および実行、６／１００の割合でキャラクタＣＨＲ−Ａが保留表示画像の左から作用する態様および実行、５／１００の割合でキャラクタＣＨＲ−Ａが保留表示画像の右から作用する態様および実行を決定するようにしてもよい。
【０４７６】
また、演出制御用ＣＰＵ１２０は、保留変化演出を実行すると決定した場合、作用演出の態様および役物演出の態様を、それぞれ、５／１００の割合で不実行および不実行、６／１００の割合で不実行および実行、７／１００の割合でキャラクタＣＨＲ−Ｂが保留表示画像の左から作用する態様および不実行、８／１００の割合でキャラクタＣＨＲ−Ｂが保留表示画像の右から作用する態様および不実行、９／１００の割合でキャラクタＣＨＲ−Ａが保留表示画像の左から作用する態様および不実行、１１／１００の割合でキャラクタＣＨＲ−Ａが保留表示画像の右から作用する態様および不実行、１２／１００の割合でキャラクタＣＨＲ−Ｂが保留表示画像の左から作用する態様および実行、１３／１００の割合でキャラクタＣＨＲ−Ｂが保留表示画像の右から作用する態様および実行、１４／１００の割合でキャラクタＣＨＲ−Ａが保留表示画像の左から作用する態様および実行、１５／１００の割合でキャラクタＣＨＲ−Ａが保留表示画像の右から作用する態様および実行を決定するようにしてもよい。
【０４７７】
（２７）  前述した実施の形態においては、図３０のステップＳ８１８，ステップＳ８１９で示したように、役物２００が待機位置に完全に戻ってから保留表示画像にキャラクタＣＨＲ−Ａ，ＣＨＲ−Ｂを作用させるようにした。しかし、これに限定されず、役物２００が待機位置に戻る前であっても保留表示画像に被っていない状態であれば、保留表示画像にキャラクタＣＨＲ−Ａ，ＣＨＲ−Ｂを作用させるようにしてもよい。
【０４７８】
（２８）  前述した実施の形態においては、キャラクタＣＨＲ−Ａ，ＣＨＲ−Ｂが、直接、保留表示画像に作用するようにした。しかし、これに限定されず、キャラクタから保留表示画像に対して何らかの作用物（たとえば、銃弾や玉）が発射されるように、キャラクタが、間接的に、保留表示画像に作用するようにしてもよい。また、保留表示画像に直接的に作用するキャラクタ自体が、銃弾や玉などの作用物であってもよい。
【０４７９】
また、作用するときに作用物を保留表示画像の近傍で減速させるようにしてもよい。このようにすると、遊技者が作用物を目視し易くなるので、効果的に、保留表示画像が変化するか否かに、遊技者を注目させることができる。
【０４８０】
また、役物２００が保留表示画像に被るタイミングや被る前のタイミングや被った後のタイミングで作用物が発射されるが、役物２００が保留表示画像に被っていないとき、または、役物２００が保留表示画像に被らない場合よりも、作用物を減速させたり停止させたりすることで、保留表示画像に作用物が作用するタイミングを（たとえば、役物２００が保留表示画像に被っていない状態となった後に作用物が保留表示画像に作用するように）調整してもよい。
【０４８１】
（２９）  前述した実施の形態においては、キャラクタによる作用演出のキャラクタは、キャラクタＣＨＲ−Ａ，ＣＨＲ−Ｂの２種類であることとした。しかし、これに限定されず、キャラクタが１種類であってもよいし、３種類以上であってもよい。
【０４８２】
（３０）  前述した実施の形態においては、キャラクタの登場位置は、左下と右下との２箇所であることとした。しかし、これに限定されず、キャラクタの登場位置は１箇所であってもよいし、３箇所以上であってもよい。
【０４８３】
（３１）  前述した実施の形態においては、キャラクタの登場位置は、役物２００が動作した場合であっても、キャラクタに役物が全く被ることのない位置であることとした。しかし、これに限定されず、キャラクタの登場位置は、キャラクタの登場タイミングにおいて役物がキャラクタに被らないのであれば、役物がキャラクタに被り得る位置であってもよい。
【０４８４】
（３２）  前述した実施の形態においては、所定の動作を行なう可動物が、星形の役物２００であることとした。しかし、これに限定されず、可動物が、画像表示装置５の画面を遮蔽するシャッターのようなものであってもよいし、画像表示装置５とは異なる他の表示装置であってもよい。また、所定の動作を行なう可動物の待機位置が、画像表示装置５の上であることとしたが、これに限定されず、画像表示装置５の下や左右など他の位置であってもよい。
【０４８５】
（３３）  前述した実施の形態においては、図３２で示した保留表示画像に被る役物と図５３で示した操作促進画像や残存有効期間画像に被る役物とが同じ役物２００であることとした。しかし、これに限定されず、両者が異なる役物であることとしてもよい。
【０４８６】
（３４）  成功のアクティブ変化演出は、現在の表示色を、当該現在の表示色よりも大当り期待度が高い表示色に変化させているが、当該現在の表示色よりも大当り期待度が低い表示色に変化させてもよい（例えば、保留・アクティブ変化パターンにより規定されればよい。）。このことは、保留変化演出についても同様である。また、アクティブ変化演出や保留変化演出は、作用演出やキャラクタＳＡの表示が無く、保留表示画像やアクティブ表示画像が単に変化するだけの演出であってもよい。アクティブ変化演出（第２演出）により、アクティブ表示画像が再表示されるタイミングは、作用演出開始時（ブーメラン５Ｚの表示開始時）であっても、作用演出開始前（ブーメラン５Ｚの表示開始前）であってもよい。なお、作用演出は、上記実施形態のように、スーパーリーチの演出画像に被らない又はスーパーリーチを邪魔しない位置で実行されるとよい。報知する大当り期待度は、最終色であってもよいし、途中の表示色（例えば、変化の過程において最も高い期待度の表示色など）でもよい。
【０４８７】
（３５）  保留・アクティブ変化パターンの決定は、上記実施の形態に限られない。例えば、最終色を先に決定し（大当り期待度は、金色＞緑色＞青色＞白色とする。）、決定した最終色に合致する保留・アクティブ変化パターンを使用パターンに抽選（テーブルと、乱数値とに基づいて決定すること。以下同じ）などにより決定してもよい。また、ガセのアクティブ変化演出や保留変化演出の実行の有無は、可変表示開始時（ステップＳ１７１の実行時）に抽選などにより決定してもよい。保留・アクティブ変化パターンとして、保留表示画像を、最初から青色、緑色、金色で表示するパターンを用意してもよい。保留・アクティブ変化演出の実行の有無を抽選などにより決定し、その後、保留・アクティブ変化パターンを抽選などにより決定してもよい。可変表示毎（ステップＳ１７１の実行毎）に、保留変化演出やアクティブ変化演出の実行の有無、表示色の変化の有無、変化後の表示色などを抽選などにより決定してもよい。また、アクティブ変化演出にてターゲット画像の表示色が金色（最も期待度高い表示色など、所定基準よりも高い期待度の表示色）に変化するときの方が、保留変化演出にてターゲット画像の表示色が金色に変化するときよりもターゲットの大当り期待度が高くなるようしてもよいし、その逆でもよい。このようなことによって、遊技の興趣を向上させることができる。
【０４８８】
（３６）  成功のアクティブ変化演出（第２演出）後のアクティブ表示画像（ターゲット画像）の表示期間（以下、第１表示期間という）と、失敗のアクティブ変化演出（第２演出）後のアクティブ表示画像（ターゲット画像）の表示期間（以下、第２表示期間という）と、を以下のようにしてもよい。例えば、演出制御用ＣＰＵ１２０は、タイマで経過時間を計測し、経過時間が前記表示期間の終期に達したら、アクティブ表示画像（ターゲット画像）を非表示とする制御（表示制御部１２３への指令など）を行う。
【０４８９】
上記実施の形態では、第２表示期間は「０秒」として説明されていたが（アクティブ変化演出後、アクティブ表示画像はすぐに非表示となる。）、第２表示期間として多少の期間が設定されてもよい。但し、第１表示期間は、第２表示期間よりも長いとよい。
【０４９０】
アクティブ表示画像の変化後の表示色の大当り期待度に応じて、第１表示期間を変えてもよい。例えば、変化後の表示色の大当り期待度が高いほど、第１表示期間を長い期間としてもよい。また、変化後の表示色の大当り期待度が所定基準よりも高い場合（例えば、変化後の表示色が金色の場合）には、前記第１表示期間を第１期間とし、変化後の表示色の大当り期待度が前記所定基準よりも低い場合（例えば、変化後の表示色が金色以外の場合）には、前記第１表示期間を前記第１期間よりも短い第２期間としてもよい。なお、前記第２期間は、上記第２表示期間としてもよい（つまり、変化後の表示色の大当り期待度が前記所定基準よりも低い場合には、ガセのときと同じ期間（「０秒」含む）だけアクティブ表示画像の表示を継続してもよい）。
【０４９１】
上記第１表示期間は、スーパーリーチ終了時まででなくてもよい。例えば、スーパーリーチ中にカットインなどによって特別画像（動画など）の再生があるときには、当該特別画像の演出効果を妨げないように、当該再生時にはアクティブ表示画像を非表示としてもよい（図３７）。このように、スーパーリーチ終了前の特定タイミングからはアクティブ表示画像を再度非表示としてもよい。
【０４９２】
遊技者は、変化後の表示色が大当り期待度の高いものであっても低いものであっても（期待度が、変化前よりも下がった場合を含む。）、変化後の表示色に注目するので、第１表示期間よりも第２表示期間を短くすることで、注目度の高いときのアクティブ表示画像を長く表示でき、アクティブ表示画像を好適に表示できる。また、遊技者にとっては、大当り期待度が高い表示色ほど好ましい。アクティブ表示画像を、変化後の表示色の大当り期待度が高いときの方が大当り期待度が低いとき（ガセを含む）よりも長く継続表示することで、遊技者にとって好ましい表示色のアクティブ表示画像を長く表示できるので、アクティブ表示画像を好適に表示できる。
【０４９３】
（３７）  成功のアクティブ変化演出（第２演出）により表示継続されているアクティブ表示画像をスーパーリーチ終了前の第１特定タイミングから再度非表示にするとき（上記変形例３の（３）の例など）に、その後の第２特定タイミングから再度アクティブ表示画像（表示色が変化後のターゲット画像）を表示してもよい。例えば、上記特別画像の表示がスーパーリーチの終了タイミングよりも前に終了するときには、非表示とした当該アクティブ表示画像（表示色が変化したターゲット画像）を再度表示してもよい。成功のアクティブ変化演出（第２演出）により表示を継続しているアクティブ表示画像を特定期間（スーパーリーチ終了までの期間であっても、その前までの期間であってもよい。）中に非表示とすることで、アクティブ表示画像を好適に表示できる。
【０４９４】
なお、図３７のように、前記特定期間（成功のアクティブ変化演出（第２演出）により表示を継続しているアクティブ表示画像再度非表示とする期間）がスーパーリーチ終了時まで継続する場合には、保留表示画像やアクティブ表示画像の再表示を、スーパーリーチ終了直後からとしても、上記のようなアクティブ表示画像の表示位置がスーパーリーチ終了前後で唐突に変わる違和感は生じないので、保留表示画像やアクティブ表示画像の再表示を、スーパーリーチ終了直後からとしてもよい。また、保留表示画像やアクティブ表示画像の再表示を、スーパーリーチ終了直後とし、アクティブ表示画像の表示継続の終期をスーパーリーチ終了前の所定タイミングとしてもよい。以上のようにすることで、アクティブ表示画像を好適に表示できる。
【０４９５】
なお、前記特定期間（成功のアクティブ変化演出（第２演出）により表示を継続しているアクティブ表示画像を非表示とする期間）がスーパーリーチ終了時まで継続するときに、スーパーリーチ終了時に当該アクティブ表示画像をスライド移動させて通常の表示位置（表示エリア５ＨＡ）に移動させてもよい。これにより、保留表示画像やアクティブ表示画像の再表示を、スーパーリーチ終了直後からとしても上記のような違和感は生じないので、アクティブ表示画像を好適に表示できる。
【０４９６】
（３８−１）  スーパーリーチ前などの通常のときに表示されるアクティブ表示画像（ターゲット画像）の表示位置である第１表示位置（表示エリア５ＨＡの位置）と、スーパーリーチ中に実行される成功又はガセのアクティブ変化演出（第２演出）により再表示されるアクティブ表示画像（ターゲット画像）の表示位置である第２表示位置と、前記アクティブ変化演出（第２演出）後に表示継続されるアクティブ表示画像の表示位置である第３表示位置とは、同じであってもよい。また、第１表示位置と第２表示位置とは同じで、第３表示位置だけ異なるようにしてもよい。第１表示位置と第３表示位置とは同じで、第２表示位置だけ異なるようにしてもよい（表示色変化後にアクティブ表示画像を第２表示位置から第３表示位置に移動させるなど）。第１表示位置と第２表示位置と第３表示位置とを全て異ならせてもよい（表示色変化後にアクティブ表示画像を第２表示位置から第３表示位置に移動させるなど）。第２表示位置と第３表示位置とが異なる場合には、表示色変化後のアクティブ表示画像を一旦非表示として移動させてもよいし、スライド移動させて表示されてもよい。第２表示位置及び／又は第３表示位置が第１表示位置と同じ場合、表示エリア５ＨＡをともに表示させてもよい。第１表示位置、第２表示位置、第３表示位置に表示されるアクティブ表示画像の表示態様（大きさ、形状）は、同じであってもよいし、異なってもよい。このようなことによっても、アクティブ表示画像を好適に表示できる。なお、スーパーリーチ中の第２表示位置及び／又は第３表示位置は、第１表示位置よりも目立たない（視認し難い）箇所（例えば、第１表示位置よりも画面の四隅に近い位置）とすると、スーパーリーチの演出効果の低下を軽減できる。さらに、スーパーリーチ中の第２表示位置及び／又は第３表示位置で表示されるアクティブ表示画像（ターゲット画像）は、第１表示位置でのアクティブ表示画像よりも目立たない（視認し難い）態様（例えば、スーパーリーチの演出画像が見やすいように第１表示位置のときよりも小さい、透過度が高いなど）で表示されると、スーパーリーチの演出効果の低下を軽減できる。
【０４９７】
（３８−２）  成功又はガセのアクティブ変化演出（第２演出）により再表示されるアクティブ表示画像（ターゲット画像）の再表示位置は、スーパーリーチの種類に応じて異なるようにしてもよい（例えば、スーパーリーチＡであれば左下隅で、スーパーリーチＢであれば右下隅）。通常、スーパーリーチにおいて表示される画像（動画など）は、その種類によって異なるものであるので、前記再表示位置は、実行中のスーパーリーチの演出画像の邪魔にならない位置（例えば、演出画像において表示されるキャラクタなどの一部の重要な特定の画像（動いている画像など）に重ならない位置）であるとよい。また、スーパーリーチ中に表示される飾り図柄の可変表示の位置（通常、隅に表示される）がスーパーリーチの種類によって異なる場合には、当該飾り図柄の可変表示に重ならないように、再表示位置を設定してもよい。また、同じスーパーリーチでも、各タイミングによって表示画像が異なることから、成功又はガセのアクティブ変化演出（第２演出）の実行タイミングに応じて、スーパーリーチの演出画像の邪魔にならないように、アクティブ表示画像（ターゲット画像）の再表示位置を設定してもよい。さらに、再表示位置に応じて、成功又はガセのアクティブ変化演出（第２演出）に含まれる作用演出の態様を変えてもよい（スーパーリーチの演出画像を邪魔しないように態様を変える）。
【０４９８】
（３９）  アクティブ変化演出や保留変化演出は、ターゲット画像の表示態様を変化させるものであればよい。表示色に限らず、例えば、形状、大きさ、動作態様などを変化させるものであればよい。なお、これら演出は、１つのターゲットに対して、１回の可変表示で複数回実行されてもよい。また、アクティブ変化演出（第２演出）で変化した変化後の表示態様には、アクティブ変化演出（第１演出）や保留変化演出で変化した変化後の表示態様とは異なる特別な態様（リーチ成立前にはなり得ない対象など）があってもよい（例えば、ステップＳ７５５で、スーパーリーチ中にアクティブ変化演出を実行するときには、変化後の表示態様を特別な態様に差し替えるなど）。これによって、遊技の興趣を向上させることができる。
【０４９９】
（４０）  アクティブ変化演出に代えて又は加えて保留変化演出をスーパーリーチ中に実行可能としてもよい。この場合には、アクティブ変化演出と同様に、保留変化演出実行時に、スーパーリーチにより非表示としていた保留表示画像（ターゲット画像である対応画像）を再度表示してもよい（図５１）。図５１に示すように、当該保留変化演出の態様は、アクティブ変化演出と同様であるが（ブーメラン５Ｚによる作用演出等も同様）、保留表示画像（ターゲット画像）をアクティブ表示画像と同様に通常の位置（スーパーリーチ以外の期間の表示位置）とは異なる位置に表示するときには、当該保留表示画像が保留されている可変表示のうちのどの可変表示に対応するものであるか（当該保留表示画像がどの保留表示画像であるか（通常のときの保留表示画像の表示位置がどの位置であるか）など）を報知する画像５Ｐ（「第１特図の保留１だよ！」など）などを当該保留表示画像とともに表示するようにするとよい。これにより、演出を分かり易くすることができる。当該保留変化演出については、上記アクティブ変化演出についての思想（図２６のような保留変化演出の実行タイミングの考え方などを含む）を適宜採用できる（アクティブ表示画像を保留表示画像に置き換えて考えればよい）。
【０５００】
なお、アクティブ変化演出と、保留変化演出と、をスーパーリーチ中に実行する場合には、両者の演出の実行期間が重複しないように演出の実行を設定するとよい。また、スーパーリーチ中のアクティブ変化演出で再表示するアクティブ表示画像（ターゲット画像）の表示位置と、スーパーリーチ中の保留変化演出で再表示する保留表示画像（ターゲット画像）の表示位置と、を異ならせてもよい。これによって、再表示される対応画像が、アクティブ表示画像であるか、保留表示画像であるかを分かり易くすることができる（上記と同様に再表示される対応画像がどの対応画像であるか（アクティブ画像であるか保留表示画像であるか、どの保留表示画像であるかなど）を報知する画像を表示してもよい）。スーパーリーチ中のアクティブ変化演出で再表示するアクティブ表示画像（ターゲット画像）の表示位置と、スーパーリーチ中の保留変化演出で再表示する保留表示画像（ターゲット画像）の表示位置と、を同じ位置とし、アクティブ画像であるか保留表示画像であるか、どの保留表示画像であるかなどを報知する画像（再表示される対応画像がどの対応画像であるかを示唆する画像など）を表示してもよい。これによって、演出を分かり易くすることができる。
【０５０１】
（４１）  演出設定を遊技者が調整できるようにしてもよい。演出設定としては、例えば、演出音の音量、表示画面の輝度などがある。例えば、遊技者の動作を検出する検出部（操作ボタン、赤外線センサ、動作を検知するためのカメラなど）を設け、検出した動作に基づいて演出の設定を調整するようにする。例えば、検出部が検出した動作を示す信号を演出制御基板１２に送信し、演出制御基板１２は、送信されてきた当該信号により特定される動作に応じて演出設定を変更（調整）する。また、演出制御基板１２は、現在の演出設定（変更があったときには、変更後の演出設定）で演出を実行する。
【０５０２】
演出制御基板１２は、演出設定の変更があったときに、当該変更後の演出設定を画像表示装置５の画面に所定期間表示するようにしてもよい。例えば、可変表示の実行中に演出設定の変更を受け付け可能としてもよく、この場合には、可変表示の実行中に変更後の演出設定に対応した演出設定画像を所定期間表示する。但し、当該所定期間内に可変表示結果が導出表示されたときには、当該演出設定画像を視認不可又は視認困難にする。これによって、可変表示結果の視認性を確保することができる。
【０５０３】
具体的には、音量変更（輝度変更でもよい）の操作があったときに、演出制御用ＣＰＵ１２０は、表示制御部１２３に所定の指令を与え、画像表示装置５の画面上に変更後の音量に対応した音量画像ＶＬ（変更後の音量を示す音量画像ＶＬ）を表示し、所定期間経過後に消去する（図５２（Ａ）〜（Ｃ））。但し、所定期間内に、飾り図柄の可変表示の可変表示結果が導出されたときには、表示している音量画像ＶＬを消去する（図５２（Ｄ）〜（Ｅ））。音量画像ＶＬを半透過表示や縮小表示にして視認困難としてもよい。これによって、可変表示結果の視認性を確保することができる。特に、音量画像ＶＬが可変表示結果に重畳する位置に表示されるとき（図５２参照）において音量画像ＶＬを表示したままだと、停止した飾り図柄の上に音量画像ＶＬが位置して、停止した飾り図柄（可変表示結果）の視認性が損なわれる。しかし、音量画像ＶＬを非表示としたり、半透過としたり縮小表示したりすることで、当該視認性を確保できる。
【０５０４】
（４２）  対応画像（保留表示画像やアクティブ表示画像）は、上記実施の形態の形状に限られない。対応画像は、表示位置によって表示態様（色、形状等）が変化してもよい。
【０５０５】
（４３）  保留表示画像やアクティブ表示画像の表示制御を演出制御用ＣＰＵ１２０で行ってもよい。
【０５０６】
（４４）  アクティブ変化演出や保留変化演出の演出態様は、適宜の態様であればよい。例えば、保留変化演出として、アクティブ変化演出の態様の演出が実行されてもよいし、アクティブ変化演出として、保留変化演出の態様の演出が実行されてもよい。また、保留変化演出をスーパーリーチの実行中に実行するようにしてもよく（この場合、保留表示画像を消去しないようにするとよい）、この場合には、保留変化演出についても実行タイミングがスーパーリーチの実行中か否かでその態様をどの態様にするかの割合（０％：１００％を含む）を異ならせてもよい。
【０５０７】
（４５）  アクティブ変化演出や保留変化演出は、所定タイミングで保留表示画像やアクティブ表示画像の表示態様を変更するのみの態様（キャラクタＣ１や隠蔽画像などを表示しない態様）であってもよい。
【０５０８】
（４６）  上記では、保留変化演出やアクティブ変化演出にて変化する前の対応画像の表示態様を通常態様（白色など）というが、当該通常態様は、保留表示画像の表示開始時に最も表示される割合が高いものなどである。なお、変化後の表示態様は、ターゲットの大当り期待度を予告するものでなくてもよい（先読み判定に基づかず、保留変化演出やアクティブ変化演出が実行されてもよい。）。
【０５０９】
（４７）  先読み判定は、ターゲットの可変表示が所定態様（大当りの導出、リーチの成立、スーパーリーチを実行するリーチの成立、擬似連の実行、変動時間が所定時間以上の態様など）になるか否かの判定であればよい。例えば、先読み判定において、乱数値ＭＲ３に基づいてステップＳ２６２又はＳ２６３の処理と同様の処理を行ってターゲットの変動パターンを特定することで、前記所定態様になるかの判定を行う。なお、ターゲットの可変表示が所定態様になるか否かの判定に基づいて行われる保留・アクティブ変化演出（特に、変化後の表示態様）は、ターゲットの可変表示が所定態様になる可能性を報知する演出（当該可能性を保留表示画像やアクティブ表示画像の表示態様（最終色など）で報知する演出）となるが、多くの場合、結果的にその演出態様（最終色など変化後の表示態様など）によりターゲットの大当り期待度を予告する演出になっている。先読み判定に用いられる乱数値などの情報をコマンドとして主基板１１から演出制御基板１２に送信し、演出制御基板１２側で先読み判定を行ってもよい。このような場合には、主基板１１から演出制御基板１２に遊技状態を指定するコマンドを送信するようにするとよい。
【０５１０】
（４８）  保留変化演出やアクティブ変化演出の実行が決定されたことによるターゲット画像の表示開始から、当該ターゲットの特図ゲームの実行により消去されるまでの期間中は、他の特図ゲームをターゲットとする保留・アクティブ変化演出の実行を禁止してもよいし、禁止しなくてもよい。禁止しない場合には、保留変化演出やアクティブ変化演出が、１回の可変表示において複数回実行されることがあり、この場合には、予め定められた条件に従って各演出の態様を変更したり実行タイミングを調整したりするとよい。
【０５１１】
（４９）  アクティブ表示画像や保留表示画像の表示色である金色、緑色、青色は、アクティブ表示画像及び保留表示画像の双方で用いることができるが、アクティブ表示画像のみの表示態様（色、文字、キャラクタ等であり、変化後の態様を含む。）があってもよく、保留表示画像のみの表示態様（色、文字、キャラクタ等であり、変化後の態様を含む。）があってもよい。
【０５１２】
（５０）  保留・アクティブ変化パターンの決定において、例えば、先読み判定結果が大当り判定の場合には、当該始動入賞に対応する一連の保留表示とその後のアクティブ表示の過程において、できるだけ後に保留変化演出又はアクティブ変化演出が実行されるような保留・アクティブ変化パターンを優先的に決定するようにしてもよい。アクティブ変化演出は、ターゲットの可変表示を実行するときに特定される可変表示結果や変動パターンなど（変動時における大当りとするか変動パターンをどうするかなどの決定結果）に基づいて（変動パターン指定コマンドや表示結果指定コマンドの指定内容に基づいて）、抽選などによって実行の有無などを決定してもよい。
【０５１３】
（５１）  また、上記実施形態では、大当り種別決定用の乱数値ＭＲ２の値に基づいて大当りの種類を確定させる態様としているが、大当りの種類を確定させる条件はこれに限定されない。例えば、大入賞口の近傍に、又は、大入賞口の内部に、特定領域を設け、該特定領域に遊技球が進入（通過）することに基づいて、大当りの種別が確定する態様としてもよい。例えば、確変大当りと通常大当りとを設けた場合に、上記特定領域に遊技球が進入することに基づいて確変大当りが確定する態様としてもよい。
【０５１４】
（５２）  また、上記実施形態では、第１特別図柄表示装置４Ａや第２特別図柄表示装置４Ｂにおいて大当り図柄が表示されたことに基づいて大当り遊技状態に制御するようにしているが、大当り遊技状態に制御する態様はこれに限定されない。例えば、第２始動入賞口の近傍に、または、第２始動入賞口の内部に、特定領域を設け、該特定領域に遊技球が進入（通過）したことに基づいて大当り遊技状態に制御するようにいてもよい。
【０５１５】
（５３）  なお、上記実施形態では、０〜９の数字または記号等の複数種類の特別図柄を可変表示させ表示結果を導出表示させる態様を示したが、可変表示は、そのような態様に限定されない。例えば、可変表示させる特別図柄と、可変表示結果として導出表示される特別図柄とが異なっていてもよい。換言すれば、変動する複数種類の特別図柄に含まれない特別図柄が可変表示結果として導出表示されてもよいし、変動する複数種類の特別図柄の中には可変表示結果として特別導出表示されないものが含まれていてもよい。また、必ずしも複数種類の特別図柄を可変表示させる必要はなく、１種類の特別図柄のみを用いて可変表示を実行する態様であってもよい。１種類の特別図柄を用いた可変表示として、例えば、当該１種類の特別図柄を点滅させてもよい（交互に点灯／消灯を繰返してもよい）。即ち、点灯、消灯の繰返しを可変表示としてもよい。そして、この場合であっても、当該１種類の特別図柄が最後に導出表示（点灯）されるものであってもよいし、当該１種類の図柄とは異なる図柄が最後に導出表示されるものであってもよい。また、他の図柄（例えば、普通図柄、飾り図柄等）の可変表示についても同様である。
【０５１６】
（５４）  例えば、上記において、「割合」とは、Ａ：Ｂ＝７０％：３０％やＡ：Ｂ＝３０％：７０％のような関係にかぎらず、Ａ：Ｂ＝１００％：０％のような関係も含む概念である（即ち、一方が１００％、他方が０％となるような割り振りも含む概念である）。また、ＡはＢよりも割合が高いと言うときには、Ａが１００％であってＢが１００％未満である場合や、Ｂが０％であってＡが０％よりも大きい場合も含む概念である。
【０５１７】
（５５）  また、例えば、上記実施形態においては、変動時間およびリーチ演出の種類や擬似連の有無等の変動態様を示す変動パターンを演出制御基板１２に通知するために、変動を開始するときに１つの変動パターン指定コマンドを送信する例を示したが、２つ乃至それ以上のコマンドにより変動パターンを演出制御基板１２に通知するようにしてもよい。具体的には、２つのコマンドにより通知する場合、主基板１１は、１つ目のコマンドでは擬似連の有無、滑り演出の有無など、リーチとなる以前（リーチとならない場合には所謂第２停止の前）の変動時間や変動態様を示すコマンドを送信し、２つ目のコマンドではリーチの種類や再抽選演出の有無など、リーチとなった以降（リーチとならない場合には所謂第２停止の後）の変動時間や変動態様を示すコマンドを送信するようにしてもよい。この場合、演出制御基板１２側では２つのコマンドの組合せから導かれる変動時間に基づいて変動表示における演出制御を行うようにすればよい。なお、主基板１１の方では２つのコマンドのそれぞれにより変動時間を通知し、それぞれのタイミングで実行される具体的な変動態様については演出制御基板１２の方で選択を行うようにしてもよい。２つのコマンドを送る場合、同一のタイマ割込内で２つのコマンドを送信する様にしてもよく、１つ目のコマンドを送信した後、所定期間が経過してから（例えば次のタイマ割込において）２つ目のコマンドを送信するようにしてもよい。なお、それぞれのコマンドで示される変動態様はこの例に限定されるわけではなく、送信する順序についても適宜変更可能である。このように２つ乃至それ以上のコマンドにより変動パターンを通知するようにすることで、変動パターン指定コマンドとして記憶しておかなければならないデータ量を削減することができる。
【０５１８】
（５６）  また、本発明の遊技機は、入賞の発生に基づいて所定数の遊技媒体を景品として払い出す払出式遊技機に限定されるものではなく、遊技媒体を封入し入賞の発生に基づいて得点を付与する封入式遊技機にも適用することができる。例えば、プリペイドカードや会員カード等の遊技用記録媒体の記録情報より特定される大きさの遊技価値である度数を使用して、遊技に使用するための遊技得点を付与するとともに、付与された遊技得点又は遊技による入賞により付与された遊技得点を使用して遊技機内に封入された遊技球を遊技領域に打ち込んで遊技者が遊技を行う遊技機にも本発明を適用することができる。
【０５１９】
（５７）  その他にも、遊技機の装置構成やデータ構成、フローチャートで示した処理、画像表示装置における画像表示動作やスピーカにおける音声出力動作さらには発光体ユニットや遊技効果ランプおよび装飾用ＬＥＤにおける点灯動作を含めた各種の演出動作などは、本発明の趣旨を逸脱しない範囲で、任意に変更および修正が可能である。
【０５２０】
（５８）  本発明を実現するためのプログラムおよびデータは、例えばパチンコ遊技機１やスロットマシンといった、遊技機に含まれるコンピュータ装置などに対して、着脱自在の記録媒体により配布・提供される形態に限定されるものではなく、予めコンピュータ装置などの有する記憶装置にプリインストールしておくことで配布される形態を採っても構わない。さらに、本発明を実現するためのプログラムおよびデータは、通信処理部を設けておくことにより、通信回線等を介して接続されたネットワーク上の、他の機器からダウンロードすることによって配布する形態を採っても構わない。
【０５２１】
そして、ゲームの実行形態も、着脱自在の記録媒体を装着することにより実行するものだけではなく、通信回線等を介してダウンロードしたプログラムおよびデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行うことによりゲームを実行するような形態とすることもできる。
【０５２２】
（上記実施の形態や変形例などから導き出せる構成）
以下に、この明細書が開示する構成（上記実施の形態や変形例の構成は、適宜、下記の構成に含まれる。）を列挙する。なお、本発明は、以下の記載に限られない。なお、下記で説明する具体的な構成や応用例、変形例などは、上記実施の形態や変形例にも適用できる。
【０５２３】
（１−１）  可変表示を行ない、遊技者にとって有利な有利状態（たとえば、大当り遊技状態）に制御可能な遊技機（たとえば、パチンコ遊技機１、スロットマシン）であって、
それぞれ異なるタイミングにより開始可能であり前記有利状態になることを示唆する複数種類の予告演出（たとえば、保留／アクティブ変化演出、激熱演出、タイマ演出）を実行可能な予告演出実行手段（たとえば、演出制御用ＣＰＵ１２０、図３９のステップＳ８４４，ステップＳ８４８，ステップＳ８５０）と、
可変表示中に実行可能な予告演出のうちから少なくとも２種類の予告演出が実行される場合に、予告演出が実行されるよりも前の所定タイミングにおいて、実行される予告演出の種類の組合せを報知する報知演出（たとえば、ストックゾーン演出）を実行可能な報知演出実行手段（たとえば、演出制御用ＣＰＵ１２０、図３９のステップＳ８３２，ステップＳ８３５）とを備える。
【０５２４】
（１−１−１）  上記（１−１）の遊技機において、
前記報知演出実行手段は、前記報知演出において報知される予告演出の種類の組合せによって前記有利状態に制御される期待度が異なるように前記報知演出を実行可能である（たとえば、図２４参照）。なお、この場合は、予告演出の種類は、３種類以上であることが前提である。
【０５２５】
このような構成によれば、実行される予告演出の種類の組合せを報知することによって有利状態に制御される期待度を報知することができる。その結果、遊技の興趣を向上させることができる。
【０５２６】
（１−１−２）  上記（１−１）の遊技機において、
前記報知演出実行手段は、前記報知演出の実行タイミングによって前記有利状態に制御される期待度が異なるように前記報知演出を実行する（たとえば、図２４参照）。
【０５２７】
このような構成によれば、報知演出の実行タイミングによって有利状態に制御される期待度を報知することができる。その結果、遊技の興趣を向上させることができる。
【０５２８】
（１−１−３）  上記（１−１）の遊技機において、
前記予告演出実行手段は、同じ種類の予告演出を実行する場合であっても、前記報知演出で報知された後に実行するとき（たとえば、図２３のステップＳ７４６でストックゾーン演出の予告演出として決定された激熱演出が図３９のステップＳ８４８で実行される）と前記報知演出で報知されずに実行するとき（たとえば、図２３のステップＳ７５０で単独で決定された激熱演出が図２９のステップＳ３４６Ｃで実行される）とで前記有利状態に制御される期待度が異なるように予告演出を実行する（たとえば、図２４，図２５参照）。
【０５２９】
このような構成によれば、予告演出が報知演出で報知されたか否かによって有利状態に制御される期待度を報知することができる。その結果、遊技の興趣を向上させることができる。
【０５３０】
（１−２）  上記（１−１−１）〜（１−１−３）の遊技機において、
前記報知演出実行手段によって報知された予告演出の種類にそれぞれ対応する所定画像（たとえば、図４１〜図４６のストック画像７４Ａ〜７４Ｃ）を、対応する予告演出が実行されるまで表示する画像表示手段（たとえば、演出制御用ＣＰＵ１２０、図３９のステップＳ８３７，ステップＳ８４２，ステップＳ８４６）をさらに備える。
【０５３１】
このような構成によれば、いずれの種類の予告演出が実行されるかをそれぞれの予告演出が実行されるまで遊技者に分かり易く知らせることができる。
【０５３２】
（１−３）  上記（１−１−１）〜（１−２）の遊技機において、
前記報知演出実行手段は、実行される予告演出の種類とともに当該予告演出の実行態様を報知する（たとえば、図３９のステップＳ８３５）。
【０５３３】
このような構成によれば、報知演出の演出態様が多彩になる。その結果、報知演出によって遊技の興趣を向上させることができる。
【０５３４】
（１−４）  上記（１−１−１）から（１−３）のいずれかの遊技機において、
前記報知演出実行手段によって前記報知演出が実行されることを事前に示唆する報知示唆演出（たとえば、待機中表示）を実行可能な報知示唆演出実行手段（たとえば、演出制御用ＣＰＵ１２０、図１６のステップＳ６１５，図２３のステップＳ７４５）をさらに備える。
【０５３５】
このような構成によれば、報知演出が実行されることが示唆されることによって遊技の興趣を向上させることができる。
【０５３６】
（１−５）  上記（１−４）の遊技機において、
前記報知示唆演出実行手段は、前記報知示唆演出の実行期間（たとえば、待機中表示の表示期間）に応じて、前記報知示唆演出の後に生じる事象（たとえば、大当り遊技状態、スーパーリーチ演出、ストックゾーン演出で報知される予告演出の種類の組合せ）の期待度が異なるように前記報知示唆演出を実行する（たとえば、図２１（Ａ），（Ｂ）参照）。
【０５３７】
このような構成によれば、報知示唆演出の実行期間に遊技者を注目させることができる。その結果、報知示唆演出によって遊技の興趣を向上させることができる。
【０５３８】
（１−６）  上記（１−１−１）から（１−５）のいずれかの遊技機において、
遊技者が操作可能な操作手段（たとえば、プッシュボタン１２６）をさらに備え、
前記報知演出実行手段は、前記操作手段の操作に基づいて、報知した種類の予告演出の実行態様を同時に報知する（たとえば、図３９のステップＳ８３５）。
【０５３９】
このような構成によれば、遊技者が介入する要素を含ませることができる。その結果、遊技の興趣を向上させることができる。
【０５４０】
（１−７）  上記（１−１−１）から（１−６）のいずれかの遊技機において、
前記予告演出実行手段は、前記報知演出実行手段によって実行される予告演出の種類が報知された後、当該予告演出をそれぞれ実行する前に、共通の態様の演出を実行する（たとえば、「いくよー！」といったような共通のセリフを各キャラクタの音声として出力したり吹出しなどの画像として表示したりしてもよい）。
【０５４１】
このような構成によれば、報知演出の後、予告演出が開始されるタイミングを遊技者に明確に知らせることができる。
【０５４２】
（１−８）  上記（１−１−１）から（１−７）のいずれかの遊技機において、
前記報知演出において、実行される予告演出の種類が複数である場合、当該報知演出において報知される予告演出の種類を当該報知演出の実行前に段階的に報知することが可能である（たとえば、図４２（Ｃ），図４３（Ｃ）で示すように複数の予告演出にそれぞれ対応するキャラクタを同時に表示するのではなく、キャラクタを段階的に表示することによってキャラクタに対応する予告演出を段階的に報知してもよい）。
【０５４３】
このような構成によれば、予告演出の種類が段階的に報知されるので、遊技者の期待感を段階的に高めることができる。
【０５４４】
（１−９）  上記（１−１−１）から（１−８）のいずれかの遊技機において、
所定の動作を行なう可動物（たとえば、役物２００）と、
可変表示に関する情報に対応して特定表示（たとえば、保留表示画像、アクティブ表示画像）を特定表示領域（たとえば、表示エリア５ＨＬ，５ＨＲ，５ＨＡ）に表示可能な特定表示手段（たとえば、演出制御用ＣＰＵ１２０、画像表示装置５）と、
前記可動物を前記特定表示領域の少なくとも一部に被さる位置に動作させる動作演出（たとえば、役物演出）を実行可能な動作演出手段（たとえば、演出制御用ＣＰＵ１２０）と、
前記特定表示の表示態様を変化させることで前記有利状態に制御される期待度を示唆する変化演出（たとえば、保留変化、アクティブ変化）を実行可能な変化演出手段（たとえば、演出制御用ＣＰＵ１２０、画像表示装置５）と、
前記変化演出の実行前の所定期間に亘って前記特定表示の表示態様が変化するか否かを示唆する示唆演出（たとえば、キャラクタＣＨＲ−Ａ，Ｂによる保留表示画像への作用演出）を実行可能な示唆演出手段（たとえば、演出制御用ＣＰＵ１２０、画像表示装置５）とをさらに備え、
前記動作演出手段は、前記所定期間の間に動作演出を実行する場合、少なくとも前記変化演出が実行されるときには前記特定表示に被らないように前記可動物を動作させ（たとえば、図３２（Ｅ）参照）、
前記示唆演出手段は、複数種類の示唆演出のいずれかを実行可能である（たとえば、図２７参照）。
【０５４５】
このような構成によれば、可動物が特定表示領域の少なくとも一部に被さる位置に動作可能な場合であっても、変化演出が実行されるときには特定表示に被らない位置に可動物が動作されるので、特定表示の変化態様を遊技者にいち早く確認させることができる。その結果、遊技の興趣を向上させることができる。
【０５４６】
（１−１０）  上記（１−１−１）から（１−９）のいずれかの遊技機において、
期間表示（たとえば、図４７の第１領域９１におけるタイマ表示９４）を表示する期間表示手段（たとえば、演出制御用ＣＰＵ１２０、図４７の画像表示装置５、第１領域９１、図１５のステップＳ１７２でタイマ演出を実行する処理）と、
前記期間表示が所定態様となったとき（たとえば、図４７の第１領域９１でタイマ表示９４が０秒となったとき）に所定演出（たとえば、スーパーリーチ演出）を実行可能な所定演出実行手段（たとえば、演出制御用ＣＰＵ１２０、図１５のステップＳ１７２でスーパーリーチ演出を実行する処理）と、
特殊演出（たとえば、図４７（ｂ）のタイマ枠９７の見せ隠れ表示による特殊演出）を実行可能な特殊演出実行手段（たとえば、演出制御用ＣＰＵ１２０、図１５のステップＳ１７２で特殊演出を実行する処理）とをさらに備え、
前記特殊演出実行手段は、前記期間表示の実行前に前記特殊演出を実行可能（たとえば、図４７（ｂ），（ｄ））であるとともに、前記期間表示が実行されない場合（ガセ演出時）にも前記特殊演出を実行可能である（たとえば、図４７（ｂ），（ｃ））。
【０５４７】
このような構成によれば、期間表示が実行されるか否かに注目させることができ、期間表示を実行する前の過程について遊技の興趣を向上させることができる。
【０５４８】
（２−１）  所定の動作を行なう可動物（たとえば、役物２００）を有し、遊技者にとって有利な有利状態（たとえば、大当り遊技状態）に制御可能な遊技機（たとえば、パチンコ遊技機１）であって、
可変表示に関する情報に対応して特定表示（たとえば、保留表示画像、アクティブ表示画像）を特定表示領域（たとえば、表示エリア５ＨＬ，５ＨＲ，５ＨＡ）に表示可能な特定表示手段（たとえば、演出制御用ＣＰＵ１２０、画像表示装置５）と、
前記可動物を前記特定表示領域の少なくとも一部に被さる位置に動作させる動作演出（たとえば、役物演出）を実行可能な動作演出手段（たとえば、演出制御用ＣＰＵ１２０）と、
前記特定表示の表示態様を変化させることで前記有利状態に制御される期待度を示唆する変化演出（たとえば、保留変化、アクティブ変化）を実行可能な変化演出手段（たとえば、演出制御用ＣＰＵ１２０、画像表示装置５）と、
前記変化演出の実行前の所定期間に亘って前記特定表示の表示態様が変化するか否かを示唆する示唆演出（たとえば、キャラクタＣＨＲ−Ａ，Ｂによる保留表示画像への作用演出）を実行可能な示唆演出手段（たとえば、演出制御用ＣＰＵ１２０、画像表示装置５）とを備え、
前記動作演出手段は、前記所定期間の間に動作演出を実行する場合、少なくとも前記変化演出が実行されるときには前記特定表示に被らないように前記可動物を動作させる（たとえば、図３２（Ｅ）参照）。
【０５４９】
このような構成によれば、可動物が特定表示領域の少なくとも一部に被さる位置に動作可能な場合であっても、変化演出が実行されるときには特定表示に被らない位置に可動物が動作されるので、特定表示の変化態様を遊技者にいち早く確認させることができる。その結果、遊技の興趣を向上させることができる。
【０５５０】
（２−２）  上記（２−１）の遊技機において、
前記動作演出手段は、前記示唆演出手段によって前記示唆演出が実行されるときは前記示唆演出が実行されないときよりも短い期間の前記動作演出を実行可能である（たとえば、図２８参照）。
【０５５１】
このような構成によれば、可動物が特定表示に被らない位置に、より早く動作させられるので、特定表示の変化態様を遊技者にいち早く確認させることができる。その結果、遊技の興趣を向上させることができる。
【０５５２】
（２−３）  上記（２−１）または（２−２）の遊技機において、
前記示唆演出手段は、前記動作演出手段によって動作されている前記可動物が被らない位置で、前記示唆演出を開始する（たとえば、図３２（Ｂ）参照）。
【０５５３】
このような構成によれば、可動物が動作する場合であっても可動物が被らない位置で示唆演出が開始されるので、示唆演出が開始されることを遊技者にいち早く確認させることができる。その結果、遊技の興趣を向上させることができる。
【０５５４】
（２−４）  上記（２−１）から（２−３）のいずれかの遊技機において、
前記示唆演出手段は、前記特定表示の表示態様が変化することとなっているか否かで異なる割合で複数種類の示唆演出のいずれかを実行可能である（たとえば、図２７参照）。
【０５５５】
このような構成によれば、いずれの示唆演出が実行されるかに遊技者を注目させることができる。その結果、遊技の興趣を向上させることができる。
【０５５６】
（２−５）  上記（２−１）から（２−４）のいずれかの遊技機において、
前記示唆演出手段は、複数の開始位置のいずれかから前記示唆演出を開始する（たとえば、図２７参照）。
【０５５７】
このような構成によれば、いずれの開始位置で示唆演出が開始されるかに遊技者を注目させることができる。その結果、遊技の興趣を向上させることができる。
【０５５８】
（２−６）  上記（２−１）から（２−５）のいずれかの遊技機において、
前記示唆演出手段は、複数回の前記動作演出に亘って前記示唆演出を実行可能である（たとえば、図３６参照）。
【０５５９】
このような構成によれば、複数回の動作演出に亘って示唆演出が実行される。その結果、遊技の興趣を向上させることができる。
【０５６０】
（２−７）  上記（２−１）から（２−６）のいずれかの遊技機において、
特定演出（たとえば、スーパーリーチなど）を実行する特定演出実行手段（たとえば、演出制御用ＣＰＵ１２０、図１５のステップＳ１７２）をさらに備え、
前記特定表示手段は、前記特定演出の実行前に表示していた前記特定表示を前記特定演出の実行中に非表示とすることが可能であり、前記特定演出の実行中に前記変化演出が実行される際に、非表示としていた前記特定表示を再表示可能である（たとえば、図３７など参照）。このような構成によれば、特定表示を好適に表示できる。
【０５６１】
（２−８）  上記（２−１）から（２−７）のいずれかの遊技機において、
遊技者の動作を検出可能な検出手段（たとえば、プッシュボタン１２６やスティックコントローラ、赤外線センサや光センサなどの非接触型のセンサなど）と、
前記検出手段による検出が有効な検出有効期間であることを示す検出有効期間表示（たとえば、残存有効期間画像（図５３（Ｂ）に示す残存有効期間画像２０２）を表示する検出有効期間表示手段（たとえば、演出制御用ＣＰＵ１２０）とを備え、
前記検出有効期間表示は、可動物が動作することにより少なくとも一部が隠される視認困難状態（たとえば、図５３（Ｄ）に示す残存有効期間画像２０２が役物２００により覆い隠された状態）となる場合があり、
前記検出有効期間は、前記検出有効期間表示が視認困難状態である期間よりも後に終了する（たとえば、役物が演出位置から待機位置に戻った後、すなわち残存有効期間画像の視認困難状態が解消された後に、検出有効期間は終了する）。
【０５６２】
このような構成によれば、可動物を動作可能とするとともに、遊技者が検出有効期間であることを見逃してしまうことを防止することができる。
【０５６３】
（３−１）可変表示（例えば、特図ゲームや飾り図柄の可変表示など）を実行し、遊技者にとって有利な有利状態（例えば、大当り遊技状態など）に制御可能な遊技機（例えば、パチンコ遊技機１など）であって、
可変表示に対応する所定表示（例えば、保留表示画像やアクティブ表示画像として表示される対応画像など）を表示する所定表示手段（例えば、対応画像を表示制御する演出制御基板１２など）と、
特定演出（例えば、スーパーリーチなど）を実行する特定演出実行手段（例えば、ステップＳ１７２でスーパーリーチを実行する演出制御基板１２など）と、
前記所定表示の態様を変化させる変化演出（例えば、アクティブ変化演出又は保留変化演出など）を実行する変化演出実行手段（例えば、ステップＳ１７２でアクティブ変化演出又は保留変化演出を実行する演出制御基板１２など）と、を備え、
前記所定表示手段は、前記特定演出の実行前に表示していた前記所定表示を前記特定演出の実行中に非表示とすることが可能であり、前記特定演出の実行中に前記変化演出が実行される際に、非表示としていた前記所定表示を再表示可能である（例えば、図３７など参照）ことを特徴とする。
【０５６４】
なお、変化演出は、所定表示の態様を変化させることで、（特に変化度の態様により）有利状態に制御される割合（期待度）を報知（示唆ないし予告も含む。）するものであることが望ましい。変化演出は、先読み判定（未だ開始されていない可変表示についての判定であればよい。）や、可変表示実行時に当該可変表示の可変表示結果を特定表示結果とするかの決定結果（表示結果指定コマンドが指定する表示結果など）などに基づいて実行されればよい。
【０５６５】
なお、特定演出実行手段は、複数種類の前記特定演出を実行可能である（例えば、スーパーリーチＡ〜Ｂなど）、ようにしてもよい。
【０５６６】
なお、特定演出は、スーパーリーチに限らず、リーチ演出全般、又は、特定のスーパーリーチのみ（スーパーリーチＢのみ）、大当り遊技状態中の演出、特定の予告演出（ステップアップ予告）、特別なプレミア演出などであってもよい。なお、大当り遊技状態中の演出では、例えば、上記変化演出は、始動入賞時コマンドバッファに先読み判定結果指定コマンドが指定する先読み判定結果に基づいて実行され、保留されているターゲットが大当りとなる可能性を予告する（例えば、保留内連荘があることを示唆する）保留変化演出などとなる。上記のように、特定演出の演出効果を妨げないように、特定演出の種類に応じて、再表示する所定表示の表示位置（例えば、特定演出内の特定の表示に重ならない位置など）を異ならせてもよい。また、変化演出を特定演出中の複数タイミングのいずれかで実行可能としてもよく、この場合に、特定演出の演出効果を妨げないように、変化演出の実行タイミングに応じて、再表示する所定表示の表示位置（例えば、特定演出内の特定の表示に重ならない位置など）を異ならせてもよい。
【０５６７】
このような構成によれば、所定表示を好適に表示できる。特に、上記で説明したように、非表示としていた所定表示を再表示するときに、前記非表示前の態様（表示位置などを含む）よりも目立たない態様にすることで、所定表示を好適に表示できる。
【０５６８】
（３−２）前記所定表示手段は、前記所定表示を再表示するときに、当該所定表示を非表示とする前に表示していた表示位置（例えば、表示エリア５ＨＡなど）とは異なる表示位置（例えば、画面左下隅など）に当該所定表示を再表示する（例えば、図５１など参照）ことを特徴とする。
【０５６９】
このような構成によれば、所定表示を好適に表示できる。特に、上記で説明したように、再表示後の表示位置を非表示前の表示位置よりも目立たない位置（例えば、画面左下隅など）に表示することで、特定演出を妨げることを軽減でき、所定表示を好適に表示できる。
【０５７０】
（３−３）前記変化演出は、再表示された前記所定表示に作用可能な作用演出（例えば、図３４や図５１のようにブーメラン５Ｚが対応画像に作用（到達してぶつかるなど）する作用演出など）を含むようにしてもよい。
【０５７１】
このような構成によれば、変化演出の演出効果を高めることができる。また、上記実施の形態のように、作用演出を特定演出の邪魔にならない位置で実行することで、特定演出を妨げることを軽減できる。また、所定表示を好適に表示できる。
【０５７２】
（３−４）前記作用演出として、第１の作用演出（例えば、対応画像の表示色を変化させる作用演出など）と、第２の作用演出（例えば、対応画像の表示色を変化させない作用演出など）とがあるようにしてもよい。
【０５７３】
このような構成によれば、変化演出の演出効果を高めることができる。なお、第２の作用演出は、所定表示に作用しない態様であってもよい（例えば、ブーメラン５Ｚが対応画像に到達する前に消える演出など）。
【０５７４】
（３−５）前記第１の作用演出は、前記所定表示の態様を変化させ、
前記所定表示手段は、前記第１の作用演出が実行されたときは、変化後の前記所定表示の表示を所定期間継続する（例えば、図３７や図３８のように、スーパーリーチ終了や特別画像表示のタイミングまで対応画像を表示継続するなど）ようにしてもよい。このような構成によれば、所定表示を好適に表示できる。
【０５７５】
（３−６）前記第２の作用演出は、前記所定表示の態様を変化させず、
前記所定表示手段は、前記第２の作用演出が実行されたときは、変化しなかった前記所定表示を前記特定演出の実行中に再度非表示とする（例えば、図３７や図３８のように、アクティブ変化演出や保留変化演出の終了とともに対応画像を非表示するなど）ようにしてもよい。
【０５７６】
このような構成によれば、所定表示を好適に表示できる。特に、変化しなかった所定表示を長く表示すると、遊技者が注目しない表示が継続することになるので、遊技の興趣が低下するが、前記構成により、これを防止でき、所定表示を好適に表示できる。なお、第２の作用演出は、前記所定表示の態様を一旦変化させてから、元に態様に戻すものであってもよい。第２の作用演出は、最終的に（演出の結果として）所定表示の態様を変化させないものであればよい。また、第１の作用演出は、最終的に（演出の結果として）所定表示の態様を変化させるものであればよい。
【０５７７】
（３−７）前記特定演出は、複数種類あり（例えば、スーパーリーチＡ〜Ｂなど）、
前記所定表示手段は、前記特定演出の種類に応じて異なる割合で、前記所定表示を再表示する（例えば、図２６など参照）ようにしてもよい。
【０５７８】
このような構成によれば、所定表示の再表示に注目させることができる。なお、上記実施の形態では、スーパーリーチの種類に応じてアクティブ変化演出の実行タイミングの決定割合を異ならせることで、前記構成を実現しているが、例えば、スーパーリーチの種類に応じてアクティブ変化演出の実行を中止することで、又は、ターゲットの可変表示の実行時において、アクティブ変化演出の実行の有無、ガセか成功か、変化後の表示色などをスーパーリーチの種類や現在の色に応じて抽選等により決定することで、上記構成を実現してもよい。
【０５７９】
（３−８）上記（３−１）〜（３−７）のいずれかの遊技機において、
前記所定表示手段は、前記所定表示として、未だ開始されていない可変表示に対応する保留表示（例えば、保留表示画像など）と、実行中の可変表示に対応する対応表示（アクティブ表示画像など）と、を表示可能であり、
前記対応表示は、所定領域（例えば、表示エリア５ＨＡなど）内に表示され、
前記対応表示の態様を変化させる第１演出態様と当該態様を変化させない第２演出態様とがある所定演出（例えば、第１演出としてのアクティブ変化演出など）を前記所定領域内において実行する所定演出実行手段（例えば、ステップＳ１７２で第１演出としてのアクティブ変化演出を実行する演出制御基板１２など）をさらに設けたようにしてもよい。このような構成によれば、遊技の興趣を向上させることができる。所定演出は、所定領域内に対応表示とは異なる画像を対応表示の変わり又は加えて表示させてから、対応表示の態様を変化させる又は変化させない演出とすると、遊技の興趣を向上させることができる。
【０５８０】
なお、前記所定領域は、他の表示領域（例えば、画像表示装置５の表示領域における表示エリア５ＨＡ以外の表示領域）とは異なる背景表示であるようにしてもよい。このような構成によれば、遊技者が所定領域を認識しやすくなり、遊技興趣が向上する。
【０５８１】
なお、前記特定表示は、前記保留表示よりも目立つ態様であるようにしてもよい（例えば、アクティブ表示画像が保留表示画像よりも大きいなど）（図３３など）。このような構成によれば、遊技者が特定表示を認識しやすくなり、遊技興趣が向上する。
【０５８２】
なお、前記所定領域において前記所定演出の実行中に前記対応表示を消去可能であり、前記所定演出の実行態様に関連して前記対応表示を表示するようにしてもよい（例えば、アクティブ変化演出（第２演出）において、その後にキャラクタＳＡがアクティブ表示画像の代わりに表示され、その後に、キャラクタＳＡの代わりにアクティブ表示画像が表示されるなど）（図３３など）。このような構成によれば、遊技者が所定演出を認識しやすくなり、遊技興趣が向上する。
【０５８３】
前記所定演出の実行態様は複数種類あり（例えば、所定演出の種類を複数用意するなど）、前記所定演出の実行態様に応じて、前記所定演出が第１態様となる割合が異なるようにしてもよい。このような構成によれば、所定演出の態様が多彩になり、遊技興趣が向上する。
【０５８４】
前記所定演出として、前記特定表示を変化させるか否かを示唆する第１所定演出（例えば、キャラクタＳＡの表示など）と、前記第１所定演出とは異なり、前記特定表示を変化させずに可変表示が有利状態となる可能性を示唆する第２所定演出（キャラクタＳＡ以外の他の演出を用意するなど）とを実行可能であるようにしてもよい。このような構成によれば、所定演出の態様が多彩になり、遊技興趣が向上する。
【０５８５】
前記特定表示を変化させる第１態様の所定演出として、前記第１所定演出と、前記所定領域の外部から前記特定表示を変化させる第３所定演出（例えば、画像表示装置５の表示領域における表示エリア５ＨＡ以外の領域から当該表示エリア５ＨＡに向かって所定の画像を移動する演出を用意するなど）とで、前記特定表示が変化する割合が異なるようにしてもよい。このような構成によれば、何れの演出が実行されるかを遊技者に注目させて、遊技興趣が向上する。
【０５８６】
前記所定演出と、前記所定領域の外部における演出（例えば、画像表示装置５の表示領域における表示エリア５ＨＡ以外の領域でセリフを表示する演出を用意するなど）とを並列して実行可能であるようにしてもよい。このような構成によれば、演出の態様が多彩になり、遊技興趣が向上する。
【０５８７】
前記特定表示の態様に応じて、前記所定演出の実行割合が異なるようにしてもよい（例えば、アクティブ表示画像の表示色に応じてアクティブ変化演出（第２演出）の実行割合を異ならせるなど）。このような構成によれば、所定演出が実行されるかを遊技者に注目させて、遊技興趣が向上する。
【０５８８】
（３−９）少なくとも可変表示の実行中に、遊技者による調整動作（例えば、音量調整の操作など）に応じて演出設定（例えば、音量、輝度など）を調整可能な調整手段（例えば、演出制御基板１２など）と、
前記調整手段による調整に対応する調整画像（例えば、音量を示す画像ＶＬなど）を所定期間表示する調整画像表示手段（例えば、演出制御基板１２など）と、を備え、
前記調整画像表示手段は、前記所定期間のうち、可変表示において可変表示結果が導出表示される期間で前記調整画像を視認不可（例えば、非表示など）又は視認困難（例えば、透過表示など）とする（例えば、図５２参照）ようにしてもよい。このような構成によれば、可変表示結果の認識性の低下を低減できる。前記調整画像の表示領域の少なくとも一部が、可変表示結果の導出表示領域の少なくとも一部と重なる（例えば図５２参照）、ようにしてもよい。このような構成によれば、可変表示結果の導出表示領域の少なくとも一部と重なる調整画像結果画像を消去などするため、可変表示結果の視認性の低下を抑えることができる。
【０５８９】
可変表示結果の導出表示中もエラー画像は消去しない（エラー（異常）が発生したときに表示されるエラー画像は消去しないなど）、ようにしてもよい。このような構成によれば、エラー画像の視認性を確保することができる。
【０５９０】
前記調整画像の表示よりもエラー画像の表示を優先する、ようにしてもよい。このような構成によれば、エラー画像の視認性を確保することができる。
【０５９１】
前記調整操作が行われた場合はデモ表示を視認可能に維持するが、メニュー表示操作が行われた場合はデモ表示を消去する、ようにしてもよい。このような構成によれば、好適にデモ表示を行うことができる。
【０５９２】
遊技者にとって有利な有利状態（例えば大当り遊技状態など）に制御するか否かを決定する決定手段（例えばステップＳ２３９の処理を実行するＣＰＵ１０３など）と、前記決定手段の決定結果に応じて、可変表示を行い可変表示結果を導出表示する表示手段（例えば、ステップＳ１７２で飾り図柄の可変表示を実行する演出制御用ＣＰＵ１２０など）と、可変表示の実行中に特定演出画像を表示可能な特定演出実行手段（例えば演出制御用ＣＰＵ１２０で実行するなど）と、を備え、前記特定演出画像は、少なくとも可変表示される識別情報の一部よりも前方側の重複する位置に配置可能であり、前記特定演出実行手段は、可変表示結果が導出される期間において、前記識別情報よりも前方側にて重複する位置では前記特定演出画像の表示態様を静止態様とする（例えば演出制御用ＣＰＵ１２０で実行するなど）、ようにしてもよい。このような構成によれば、表示結果の誤認を防止することができる。
【０５９３】
なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【符号の説明】
【０５９４】
１  パチンコ遊技機、２  遊技盤、３  遊技機用枠、４Ａ，４Ｂ  特別図柄表示装置、５  画像表示装置、６Ａ  普通入賞球装置、６Ｂ  普通可変入賞球装置、７  特別可変入賞球装置、８Ｌ，８Ｒ  スピーカ、９  遊技効果ランプ、１１  主基板、１２  演出制御基板、１３  音声制御基板、１４  ランプ制御基板、１５  中継基板、２０  普通図柄表示器、２１  ゲートスイッチ、２２Ａ，２２Ｂ  始動口スイッチ、２３  カウントスイッチ、３１Ａ  スティックコントローラ、３１Ｂ  プッシュボタン、３１Ｃ  操作ノブ、１００  遊技制御用マイクロコンピュータ、１０１，１２１  ＲＯＭ、１０２，１２２  ＲＡＭ、１０３  ＣＰＵ、１０４，１２４  乱数回路、１２０  演出制御用ＣＰＵ、１２３
表示制御部、１２５  Ｉ／Ｏ。
【図１】
2020054883.tif 000003
【図２】
2020054883.tif 000004
【図３】
2020054883.tif 000005
【図４】
2020054883.tif 000006
【図５】
2020054883.tif 000007
【図６】
2020054883.tif 000008
【図７】
2020054883.tif 000009
【図８】
2020054883.tif 000010
【図９】
2020054883.tif 000011
【図１０】
2020054883.tif 000012
【図１１】
2020054883.tif 000013
【図１２】
2020054883.tif 000014
【図１３】
2020054883.tif 000015
【図１４】
2020054883.tif 000016
【図１５】
2020054883.tif 000017
【図１６】
2020054883.tif 000018
【図１７】
2020054883.tif 000019
【図１８】
2020054883.tif 000020
【図１９】
2020054883.tif 000021
【図２０】
2020054883.tif 000022
【図２１】
2020054883.tif 000023
【図２２】
2020054883.tif 000024
【図２３】
2020054883.tif 000025
【図２４】
2020054883.tif 000026
【図２５】
2020054883.tif 000027
【図２６】
2020054883.tif 000028
【図２７】
2020054883.tif 000029
【図２８】
2020054883.tif 000030
【図２９】
2020054883.tif 000031
【図３０】
2020054883.tif 000032
【図３１】
2020054883.tif 000033
【図３２】
2020054883.tif 000034
【図３３】
2020054883.tif 000035
【図３４】
2020054883.tif 000036
【図３５】
2020054883.tif 000037
【図３６】
2020054883.tif 000038
【図３７】
2020054883.tif 000039
【図３８】
2020054883.tif 000040
【図３９】
2020054883.tif 000041
【図４０】
2020054883.tif 000042
【図４１】
2020054883.tif 000043
【図４２】
2020054883.tif 000044
【図４３】
2020054883.tif 000045
【図４４】
2020054883.tif 000046
【図４５】
2020054883.tif 000047
【図４６】
2020054883.tif 000048
【図４７】
2020054883.tif 000049
【図４８】
2020054883.tif 000050
【図４９】
2020054883.tif 000051
【図５０】
2020054883.tif 000052
【図５１】
2020054883.tif 000053
【図５２】
2020054883.tif 000054
【図５３】
2020054883.tif 000055
【図５４】
2020054883.tif 000056